(57)【要約】  無線通信システムの基地局が開示される。無線通信システムの基地局はそれぞれ通信モジュールと、プロセッサと、を含む。前記プロセッサは、ＤＲＳ（Ｄｉｓｃｏｖｅｒｙ  ｒｅｆｅｒｅｎｃｅ  ｓｉｇｎａｌ）伝送ウィンドウ内のＳＳＢ（ｓｙｎｃｈｒｏｎｉｚａｔｉｏｎ  ｓｉｇｎａｌ  ａｎｄ  ＰＢＣＨ  ｂｌｏｃｋ）伝送候補位置でＳＳＢ伝送を試み、第１ＤＲＳ伝送ウィンドウ内の第１ＳＳＢ伝送候補位置でＳＳＢ伝送に失敗したら、前記第１ＤＲＳ伝送ウィンドウ内の第１ＳＳＢ伝送候補位置より遅い時点の第２ＳＳＢ伝送候補位置で前記ＳＳＢ伝送を試みる。前記ＤＲＳ伝送ウィンドウは、前記基地局がＳＳＢを伝送可能な時間区間である。前記ＳＳＢ伝送候補位置は、前記ＤＲＳ伝送ウィンドウ内で前記基地局がＳＳＢ伝送を開始可能な時点を示す。
2021534643.tif 000002
【特許請求の範囲】
【請求項１】
無線通信システムの基地局において、
通信モジュールと、
前記通信モードを制御するプロセッサと、を含み、
前記プロセッサは、
ＤＲＳ（Ｄｉｓｃｏｖｅｒｙ  ｒｅｆｅｒｅｎｃｅ  ｓｉｇｎａｌ）伝送ウィンドウ内のＳＳＢ（ｓｙｎｃｈｒｏｎｉｚａｔｉｏｎ  ｓｉｇｎａｌ  ａｎｄ  ＰＢＣＨ  ｂｌｏｃｋ）伝送候補位置でＳＳＢ伝送を試み、
第１ＤＲＳ伝送ウィンドウ内の第１ＳＳＢ伝送候補位置でＳＳＢ伝送に失敗したら、前記第１ＤＲＳ伝送ウィンドウ内の第１ＳＳＢ伝送候補位置より遅い時点の第２ＳＳＢ伝送候補位置で前記ＳＳＢ伝送を試み、
前記ＤＲＳ伝送ウィンドウは、前記基地局がＳＳＢを伝送可能な時間区間であり、
前記ＳＳＢ伝送候補位置は、前記ＤＲＳ伝送ウィンドウ内で前記基地局がＳＳＢ伝送を開始可能な時点を示す
基地局。 
【請求項２】
前記基地局は、予め指定された前記ＤＲＳ伝送ウィンドウ内で複数のＳＳＢを含むＳＳＢセットを伝送し、
前記ＤＲＳ伝送ウィンドウ内に含まれた複数のＳＳＢ伝送候補位置それぞれは、前記複数のＳＳＢのうち一つのＳＳＢにマッピングされ、
前記プロセッサは、
前記基地局が前記第１ＳＳＢ伝送候補位置の前にチャネルアクセスに成功したら、前記第１ＳＳＢ伝送候補位置から前記ＤＲＳ伝送ウィンドウ内の少なくとも一つのＳＳＢ伝送候補位置それぞれから前記少なくとも一つのＳＳＢ伝送候補位置それぞれにマッピングされたＳＳＢを伝送し、
前記基地局が前記第１ＤＲＳ伝送ウィンドウで最大に伝送可能なＳＳＢの個数は制限される
請求項１に記載の基地局。
【請求項３】
第２ＤＲＳ伝送ウィンドウ内のＳＳＢ伝送候補位置と前記ＳＳＢとの間のマッピング関係は、前記第１ＤＲＳ伝送ウィンドウ内のＳＳＢ伝送候補位置と前記ＳＳＢとの間のマッピング関係とは異なり、
前記第２ＤＲＳ伝送ウィンドウは前記第１ＤＲＳ伝送ウィンドウのすぐ次の周期のＤＲＳ伝送ウィンドウである
請求項２に記載の基地局。
【請求項４】
前記第２ＤＲＳ伝送ウィンドウ内の複数のＳＳＢ伝送候補位置それぞれにマッピングされたＳＳＢのインデックスは、前記第１ＤＲＳ伝送ウィンドウ内の複数のＳＳＢ伝送候補位置それぞれにマッピングされたＳＳＢのインデックスをサイクリックラップアラウンドしたものであり、
前記複数のＳＳＢそれぞれに前記ＳＳＢセット内で固有なインデックスが割り当てられる
請求項３に記載の基地局。
【請求項５】
前記第２ＤＲＳ伝送ウィンドウ内の複数のＳＳＢ伝送候補位置それぞれにマッピングされたＳＳＢのインデックスは、前記第１ＤＲＳ伝送ウィンドウ内の複数のＳＳＢ伝送候補位置それぞれにマッピングされたＳＳＢのインデックスを逆順に割り当てたものであり、
前記複数のＳＳＢそれぞれに前記ＳＳＢセット内で固有なインデックスが割り当てられる
請求項３に記載の基地局。
【請求項６】
前記ＤＲＳ伝送ウィンドウのデュレーションは固定された長さを有し、
前記ＤＲＳ伝送ウィンドウは一定周期に繰り返されるように端末に設定される
請求項１に記載の基地局。
【請求項７】
前記ＳＳＢを伝送するために使用されるサブキャリアスペーシングは、１５ｋＨｚ、３０ｋＨｚ、或いは６０ｋＨｚのうち一つであり、
前記プロセッサは、
複数のＳＳＢを時間的に連続して伝送する
請求項１に記載の基地局。
【請求項８】
前記ＳＳＢを伝送するために使用されるサブキャリアスペーシングの値は、１５ｋＨｚ、３０ｋＨｚ、或いは６０ｋＨｚのうち一つであり、
前記プロセッサは、
前記ＳＳＢ伝送が行われるスロットと前記ＳＳＢ伝送が行われるスロットの次のスロットとの間の境界から少なくとも一つ以上のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルの前に前記ＳＳＢ伝送を終了する
請求項１に記載の基地局。
【請求項９】
前記プロセッサは、
ｎ個の候補位置単位でチャネルアクセスを行い、
前記ｎは正の整数である、
請求項１に記載の基地局。
【請求項１０】
前記ｎは１である、
請求項９に記載の基地局。
【請求項１１】
無線通信システムの端末において、
通信モジュールと、
前記通信モードを制御するプロセッサと、を含み、
前記プロセッサは、
ＤＲＳ伝送ウィンドウ内のＳＳＢ伝送候補位置内でＳＳＢ受信を試み、
第１ＤＲＳ伝送ウィンドウ内の第１ＳＳＢ伝送候補位置でＳＳＢ受信に失敗したら、前記第１ＤＲＳ伝送ウィンドウ内で第１ＳＳＢ伝送候補位置より遅い時点の第２ＳＳＢ伝送候補位置でＳＳＢ受信を試み、
前記ＤＲＳ伝送ウィンドウは、基地局がＳＳＢを伝送可能な時間区間であり、
前記ＳＳＢ伝送候補位置は、前記ＤＲＳ伝送ウィンドウ内で前記端末がＳＳＢ受信を開始可能な時点を示す
端末。
【請求項１２】
前記プロセッサは、
前記第１ＳＳＢ伝送候補位置からＳＳＢ伝送に対する受信を開始し、前記ＳＳＢ伝送の受信を完了した後、前記第１ＤＲＳ伝送ウィンドウ内で同じＳＳＢの受信を試みない
請求項１１に記載の端末。
【請求項１３】
前記端末は、前記ＤＲＳ伝送ウィンドウ内で複数のＳＳＢを含むＳＳＢセットを受信し、
前記ＤＲＳ伝送ウィンドウ内に含まれた複数のＳＳＢ伝送候補位置それぞれは、前記複数のＳＳＢのうち一つのＳＳＢにマッピングされ、
前記プロセッサは、
前記第１ＳＳＢ伝送候補位置から前記第１ＤＲＳ伝送ウィンドウ内に位置する少なくとも一つのＳＳＢ伝送候補位置それぞれで前記少なくとも一つのＳＳＢ伝送候補位置それぞれにマッピングされたＳＳＢを受信する
請求項１１に記載の端末。
【請求項１４】
第２ＤＲＳ伝送ウィンドウ内のＳＳＢ伝送候補位置と前記ＳＳＢとの間のマッピング関係は、前記第１ＤＲＳ伝送ウィンドウ内のＳＳＢ伝送候補位置と前記ＳＳＢとの間のマッピング関係とは異なり、
前記第２ＤＲＳ伝送ウィンドウは前記第１ＤＲＳ伝送ウィンドウのすぐ次の周期のＤＲＳ伝送ウィンドウである
請求項１３に記載の端末。
【請求項１５】
前記第２ＤＲＳ伝送ウィンドウ内の複数のＳＳＢ伝送候補位置それぞれにマッピングされたＳＳＢのインデックスは、前記第１ＤＲＳ伝送ウィンドウ内の複数のＳＳＢ伝送候補位置それぞれにマッピングされたＳＳＢのインデックスをサイクリックラップアラウンドしたものであり、
前記複数のＳＳＢそれぞれに前記ＳＳＢセット内で固有なインデックスが割り当てられる
請求項１４に記載の端末。
【請求項１６】
前記第２ＤＲＳ伝送ウィンドウ内の複数のＳＳＢ伝送候補位置それぞれにマッピングされたＳＳＢのインデックスは、前記第１ＤＲＳ伝送ウィンドウ内の複数のＳＳＢ伝送候補位置それぞれにマッピングされたＳＳＢのインデックスを逆順に割り当てたものであり、
前記複数のＳＳＢそれぞれに前記ＳＳＢセット内で固有なインデックスが割り当てられる
請求項１４に記載の端末。
【請求項１７】
前記ＤＲＳ伝送ウィンドウのデュレーションは固定された長さを有し、
前記ＤＲＳ伝送ウィンドウは一定周期に繰り返されるように前記端末に設定される
請求項１１に記載の端末。
【請求項１８】
前記ＳＳＢを伝送するために使用されるサブキャリアスペーシングの値は、１５ｋＨｚ、３０ｋＨｚ、或いは６０ｋＨｚのうち一つであり、
前記プロセッサは、
複数のＳＳＢを時間的に連続して受信する
請求項１１に記載の端末。
【請求項１９】
前記ＳＳＢを伝送するために使用されるサブキャリアスペーシングは、１５ｋＨｚ、３０ｋＨｚ、或いは６０ｋＨｚのうち一つであり、
前記プロセッサは、
前記ＳＳＢ受信が行われるスロットと前記ＳＳＢ受信が行われるスロットの次のスロットとの間の境界から少なくとも一つ以上のＯＦＤＭシンボルの前に前記ＳＳＢ受信を終了する
請求項１１に記載の端末。
【発明の詳細な説明】
【技術分野】
【０００１】
本発明は、無線通信システムに関する。詳しくは、本発明は、無線通信システムの物理チャネル及び信号送受信方法及びそれを利用する装置に関する。
【背景技術】
【０００２】
４Ｇ（４ｔｈ  ｇｅｎｅｒａｔｉｏｎ）通信システムの商用化後、増加する無線データトラフィック需要を充足するために、新たな５Ｇ（５ｔｈ  ｇｅｎｅｒａｔｉｏｎ）通信システムを開発するための努力が行われている。５Ｇ通信システムは、４Ｇネットワーク以降（ｂｅｙｏｎｄ  ４Ｇ  ｎｅｔｗｏｒｋ）の通信システム、ＬＴＥシステム以降（ｐｏｓｔ  ＬＴＥ）のシステム、またはＮＲ（ｎｅｗ  ｒａｄｉｏ）システムと称されている。高いデータ伝送率を達成するために、５Ｇ通信システムは、６ＧＨｚ以上の超高周波（ｍｍＷａｖｅ）帯域を使用して運用されるシステムを含み、また、カバレッジを確保し得る側面から６ＧＨｚ以下の周波数帯域を使用して運用される通信システムを含んで、基地局と端末における具現が考慮されている。
【０００３】
３ＧＰＰ（３ｒｄ  ｇｅｎｅｒａｔｉｏｎ  ｐａｒｔｎｅｒｓｈｉｐ  ｐｒｏｊｅｃｔ）  ＮＲシステムは、ネットワークスペクトルの効率を向上させて、通信事業者が与えられた帯域幅でより多くのデータ及び音声サービスを提供し得るようにする。よって、３ＧＰＰ  ＮＲシステムは、大容量音声支援以外にも、高速データ及びメディア伝送に対する要求を充足するように設計される。ＮＲシステムの長所は、同じプラットフォームで高い処理量、低い待機時間、ＦＤＤ（ｆｒｅｑｕｅｎｃｙ  ｄｉｖｉｓｉｏｎ  ｄｕｐｌｅｘ）、及びＴＤＤ（ｔｉｍｅ  ｄｉｖｉｓｉｏｎ  ｄｕｐｌｅｘ）支援、向上された最終ユーザ環境、及び簡単なアーキテクチャで低い運営コストを有するという点である。
【０００４】
より効率的なデータ処理のために、ＮＲシステムのダイナミックＴＤＤは、セルのユーザのデータトラフィック方向に応じて上りリンク及び下りリンクに使用し得るＯＦＤＭ（ｏｒｔｈｏｇｏａｌ  ｆｒｅｑｕｅｎｃｙ  ｄｉｖｉｓｉｏｎ  ｍｕｌｔｉｐｌｅｘｉｎｇ）シンボルの数を可変する方式を使用する。例えば、セルの下りリンクトラフィックが上りリンクトラフィックより多ければ、基地局はスロット（またはサブフレーム）に多数の下りリンクＯＦＤＭシンボルを割り当てる。スロット構成に関する情報は端末に伝送されるべきである。
【０００５】
超高周波帯域における電波の経路損失の緩和、及び電波の伝達距離の増加のために、５Ｇ通信システムではビームフォーミング（ｂｅａｍｆｏｒｍｉｎｇ）、巨大配列体重入出力（ｍａｓｓｉｖｅ  ＭＩＭＯ）、全次元多重入出力（ｆｕｌｌ  ｄｉｍｅｎｓｉｏｎ  ＭＩＭＯ、ＦＤ−ＭＩＭＯ）、アレイアンテナ（ａｒｒａｙ  ａｎｔｅｎｎａ）、アナログビームフォーミング（ａｎａｌｏｇ  ｂｅａｍ−ｆｏｒｍｉｎｇ）、アナログビームフォーミングとデジタルビームフォーミングを組み合わせるハイブリッドビームフォーミング、及び大規模アンテナ（ｌａｒｇｅ  ｓｃａｌｅ  ａｎｔｅｎｎａ）技術が論議されている。また、システムネットワークを改善するために、５Ｇ通信システムでは進化した小型セル、改善された小型セル（ａｄｖａｎｃｅｄ  ｓｍａｌｌ  ｃｅｌｌ）、クラウド無線アクセスネットワーク（ｃｌｏｕｄ  ｒａｄｉｏ  ａｃｃｅｓｓ  ｎｅｔｗｏｒｋ：ｃｌｏｕｄ  ＲＡＮ）、超高密度ネットワーク（ｕｌｔｒａ−ｄｅｎｓｅ  ｎｅｔｗｏｒｋ）、機器間通信（ｄｅｖｉｃｅ  ｔｏ  ｄｅｖｉｃｅ  ｃｏｍｍｕｎｉｃａｔｉｏｎ：Ｄ２Ｄ）、車両を利用する通信（ｖｅｈｉｃｌｅ  ｔｏ  ｅｖｅｒｙｔｈｉｎｇ  ｃｏｍｍｕｎｉｃａｔｉｏｎ：Ｖ２Ｘ）、無線バックホール（ｗｉｒｅｌｅｓｓ  ｂａｃｋｈａｕｌ）、非地上波ネットワーク通信（ｎｏｎ−ｔｅｒｒｅｓｔｒｉａｌ  ｎｅｔｗｏｒｋ  ｃｏｍｍｕｎｉｃａｔｉｏｎ、ＮＴＮ）、移動ネットワーク（ｍｏｖｉｎｇ  ｎｅｔｗｏｒｋ）、協力通信（ｃｏｏｐｅｒａｔｉｖｅ  ｃｏｍｍｕｎｉｃａｔｉｏｎ）、ＣｏＭＰ（ｃｏｏｒｄｉｎａｔｅｄ  ｍｕｌｔｉ−ｐｏｉｎｔｓ）、及び受信干渉除去（ｉｎｔｅｒｆｅｒｅｎｃｅ  ｃａｎｃｅｌｌａｔｉｏｎ）などに関する技術開発が行われている。その他、５Ｇシステムでは進歩したコーディング変調（ａｄｖａｎｃｅｄ  ｃｏｄｉｎｇ  ｍｏｄｕｌａｔｉｏｎ：ＡＣＭ）方式のＦＱＡＭ（ｈｙｂｒｉｄ  ＦＳＫ  ａｎｄ  ＱＡＭ  ｍｏｄｕｌａｔｉｏｎ）及びＳＷＳＣ（ｓｌｉｄｉｎｇ  ｗｉｎｄｏｗ  ｓｕｐｅｒｐｏｓｉｔｉｏｎ  ｃｏｄｉｎｇ）と、進歩したアクセス技術であるＦＢＭＣ（ｆｉｌｔｅｒ  ｂａｎｋ  ｍｕｌｔｉ−ｃａｒｒｉｅｒ）、ＮＯＭＡ（ｎｏｎ−ｏｒｔｈｏｇｏｎａｌ  ｍｕｌｔｉｐｌｅ  ａｃｃｅｓｓ）、及びＳＣＭＡ（ｓｐａｒｓｅ  ｃｏｄｅ  ｍｕｌｔｉｐｌｅ  ａｃｃｅｓｓ）などが開発されている。
【０００６】
一方、インターネットは人間が情報を生成し消費する人間中心の連結網において、物など分散された構成要素間に情報を交換し処理するＩｏＴ（Ｉｎｔｅｒｎｅｔ  ｏｆ  Ｔｈｉｎｇｓ、モノのインターネット）網に進化している。クラウドサーバなどとの連結を介したビックデータ（ｂｉｇ  ｄａｔａ）処理技術などがＩｏＴ技術に結合されたＩｏＥ（Ｉｎｔｅｒｎｅｔ  ｏｆ  Ｅｖｅｒｙｔｈｉｎｇ）技術も台頭している。ＩｏＴを具現するために、センシング技術、有無線通信及びネットワークインフラ、サービスインタフェース技術、及び保安技術などのような技術要素が要求されており、最近は物間の連結のためのセンサネットワーク、マシンツーマシン（ｍａｃｈｉｎｅ  ｔｏ  ｍａｃｈｉｎｅ、Ｍ２Ｍ）、ＭＴＣ（ｍａｃｈｉｎｅ  ｔｙｐｅ  ｃｏｍｍｕｎｉｃａｔｉｏｎ）などの技術が研究されている。ＩｏＴ環境では、連結された物から生成されたデータを収集、分析して、人間の生活に新たな価値を生み出す知能型ＩＴ（ｉｎｔｅｒｎｅｔ  ｔｅｃｈｎｏｌｏｇｙ）サービスが提供される。ＩｏＴは、従来のＩＴ技術と多様な産業間の融合及び複合を介し、スマートホーム、スマートビル、スマートシティ、スマートカーまたはコネクテッドカー、スマートグリッド、ヘルスケア、スマート家電、先端医療サービスなどの分野に応用される。
【０００７】
そこで、５Ｇ通信システムをＩｏＴ網に適用するための様々な試みが行われている。例えば、センサネットワーク、マシンツーマシン、ＭＴＣなどの技術が、５Ｇ通信技術であるビームフォーミング、ＭＩＭＯ、及びアレイアンテナなどの技法によって具現されている。上述したビックデータ処理技術として、クラウド無線アクセスネットワーク（ｃｌｏｕｄ  ＲＡＮ）の適用も５Ｇ技術とＩｏＴ技術の融合の一例といえる。一般に、移動通信システムは、ユーザの活動性を保障しながら音声サービスを提供するために開発された。
【０００８】
しかし、移動通信システムは次第に音声だけでなくデータサービスまでサービス領域を拡張しており、現在は高速のデータサービスを提供する程度にまで発展している。しかし、現在サービス提供中の移動通信システムでは、資源不足現象及びユーザの高速サービスの要求のため、より発展した移動通信システムが要求されている。
【０００９】
３ＧＰＰ  ＮＲシステムでは、小型セルの上りリンク下りリンクトラフィックによってスロットを構成するＯＦＤＭシンボルの方向を自由に変えられる動的（Ｄｙｎａｍｉｃ）ＴＤＤ（Ｔｉｍｅ  ｄｉｖｉｓｉｏｎ  ｄｕｐｌｅｘ）方式を使用する。基地局は、動的ＴＤＤを支援するためにスロット構成に関する情報を端末に伝達する。しかし、端末がスロット構成情報を受信できない問題が発生するか、端末の動作がスロット構成の変化のため行われられない問題が発生する恐れがあるため、それを改善する方法が求められている。
【００１０】
最近、スマート機器の拡散によりモバイルトラフィックが爆増するにつれ、従来の免許（ｌｉｃｅｎｓｅｄ）周波数スペクトル、またはＬｉｃｅｎｓｅｄ周波数帯域のみではセルラー通信サービスを提供するために増加するデータの使用量に耐えることが難しくなっている。
【００１１】
このような状況の中、セルラー通信サービスを提供するために非免許（ｕｎｌｉｃｅｎｓｅｄ）周波数スペクトル、または非免許周波数帯域（例えば、２．４ＧＨｚ帯域、５ＧＨｚ帯域など）を使用する方案がスペクトルの不足問題に対する解決策として論議されている。
【００１２】
通信事業者が競売などの手順を経て独占的な周波数使用権を確保する免許帯域とは異なって、非免許帯域では一定レベルの隣接帯域保護規定のみを遵守する条件で、多数の通信装置が制限なく同時に使用される。そのため、セルラー通信サービスに非免許帯域が使用されれば、免許帯域で提供されていたレベルの通信品質を保障することが難しく、従来に非免許帯域を利用していた無線通信装置（例えば、無線ＬＡＮ装置）との干渉問題が発生する恐れがある。
【００１３】
非免許帯域でもＬＴＥ及びＮＲ技術を使用するためには、従来の非免許帯域装置との共存方案、及び効率的に無線チャネルを他の無線チャネルと共有する方案に関する研究が先行的に行われるべきである。つまり、非免許帯域において、ＬＴＥ及びＮＲ技術を使用する装置が従来の非免許帯域装置に対して影響を及ぼさないよう、ロバストな共存メカニズム（Ｒｏｂｕｓｔ  Ｃｏｅｘｉｓｔｅｎｃｅ  Ｍｅｃｈａｎｉｓｍ、ＲＣＭ）が開発される必要がある。
【発明の概要】
【発明が解決しようとする課題】
【００１４】
本発明の一実施例の目的は、無線通信システムにおいて、効率的に物理チャネル及び信号を送受信する方法及びそのための装置を提供することである。また、本発明の一実施例の目的は、無線通信システムの物理チャネル及び信号を送受信する方法及びそれを利用する装置を提供することである。
【課題を解決するための手段】
【００１５】
本発明の実施例による無線通信システムの無線通信システムの基地局は、通信モジュールと、前記通信モードを制御するプロセッサと、を含む。前記プロセッサは、ＤＲＳ（Ｄｉｓｃｏｖｅｒｙ  ｒｅｆｅｒｅｎｃｅ  ｓｉｇｎａｌ）伝送ウィンドウ内のＳＳＢ（ｓｙｎｃｈｒｏｎｉｚａｔｉｏｎ  ｓｉｇｎａｌ  ａｎｄ  ＰＢＣＨ  ｂｌｏｃｋ）伝送候補位置でＳＳＢ伝送を試み、第１ＤＲＳ伝送ウィンドウ内の第１ＳＳＢ伝送候補位置でＳＳＢ伝送に失敗したら、前記第１ＤＲＳ伝送ウィンドウ内の第１ＳＳＢ伝送候補位置より遅い時点の第２ＳＳＢ伝送候補位置で前記ＳＳＢ伝送を試みる。前記ＤＲＳ伝送ウィンドウは、前記基地局がＳＳＢを伝送可能な時間区間である。前記ＳＳＢ伝送候補位置は、前記ＤＲＳ伝送ウィンドウ内で前記基地局がＳＳＢ伝送を開始可能な時点を示す。
【００１６】
前記基地局は、予め指定された前記ＤＲＳ伝送ウィンドウ内で複数のＳＳＢを含むＳＳＢセットを伝送する。前記ＤＲＳ伝送ウィンドウ内に含まれた複数のＳＳＢ伝送候補位置それぞれは、前記複数のＳＳＢのうち一つのＳＳＢにマッピングされる。この際、前記基地局が前記第１ＳＳＢ伝送候補位置の前にチャネルアクセスに成功したら、前記プロセッサは、前記第１ＳＳＢ伝送候補位置から前記ＤＲＳ伝送ウィンドウ内の少なくとも一つのＳＳＢ伝送候補位置それぞれから前記少なくとも一つのＳＳＢ伝送候補位置それぞれにマッピングされたＳＳＢを伝送する。前記基地局が前記第１ＤＲＳ伝送ウィンドウで最大に伝送可能なＳＳＢの個数は制限される。
【００１７】
第２ＤＲＳ伝送ウィンドウ内のＳＳＢ伝送候補位置と前記ＳＳＢとの間のマッピング関係は、前記第１ＤＲＳ伝送ウィンドウ内のＳＳＢ伝送候補位置と前記ＳＳＢとの間のマッピング関係とは異なり得る。この際、前記第２ＤＲＳ伝送ウィンドウは前記第１ＤＲＳ伝送ウィンドウのすぐ次の周期のＤＲＳ伝送ウィンドウである。
【００１８】
前記第２ＤＲＳ伝送ウィンドウ内の複数のＳＳＢ伝送候補位置それぞれにマッピングされたＳＳＢのインデックスは、前記第１ＤＲＳ伝送ウィンドウ内の複数のＳＳＢ伝送候補位置それぞれにマッピングされたＳＳＢのインデックスをサイクリックラップアラウンドしたものであり、前記複数のＳＳＢそれぞれに前記ＳＳＢセット内で固有なインデックスが割り当てられる。
【００１９】
前記第２ＤＲＳ伝送ウィンドウ内の複数のＳＳＢ伝送候補位置それぞれにマッピングされたＳＳＢのインデックスは、前記第１ＤＲＳ伝送ウィンドウ内の複数のＳＳＢ伝送候補位置それぞれにマッピングされたＳＳＢのインデックスを逆順に割り当てたものである。この際、前記複数のＳＳＢそれぞれに前記ＳＳＢセット内で固有なインデックスが割り当てられる。
前記ＤＲＳ伝送ウィンドウのデュレーションは固定された長さを有する。前記ＤＲＳ伝送ウィンドウは一定周期に繰り返されるように端末に設定される。
前記ＳＳＢを伝送するために使用されるサブキャリアスペーシングは、１５ｋＨｚ、３０ｋＨｚ、或いは６０ｋＨｚのうち一つである。この際、前記プロセッサは複数のＳＳＢを時間的に連続して伝送する。
前記ＳＳＢを伝送するために使用されるサブキャリアスペーシングの値は、１５ｋＨｚ、３０ｋＨｚ、或いは６０ｋＨｚのうち一つである。この際、前記プロセッサは、前記ＳＳＢ伝送が行われるスロットと前記ＳＳＢ伝送が行われるスロットの次のスロットとの間の境界から少なくとも一つ以上のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルの前に前記ＳＳＢ伝送を終了する。
前記プロセッサは、ｎ個の候補位置端末でチャネルアクセスを行う。この際、ｎは正の整数である。前記ｎは１である。
【００２０】
本発明の実施例による無線通信システムの端末は、通信モジュールと、前記通信モードを制御するプロセッサと、を含む。前記プロセッサは、ＤＲＳ伝送ウィンドウ内のＳＳＢ伝送候補位置でＳＳＢ受信を試み、第１ＤＲＳ伝送ウィンドウ内の第１ＳＳＢ伝送候補位置でＳＳＢ受信に失敗したら、前記第１ＤＲＳ伝送ウィンドウ内で第１ＳＳＢ伝送候補位置より遅い時点の第２ＳＳＢ伝送候補位置でＳＳＢ受信を試みる。前記ＤＲＳ伝送ウィンドウは、基地局がＳＳＢを伝送可能な時間区間である。前記ＳＳＢ伝送候補位置は、前記ＤＲＳ伝送ウィンドウ内で前記端末がＳＳＢ受信を開始可能な時点を示す。
前記プロセッサは、前記第１ＳＳＢ伝送候補位置からＳＳＢ伝送に対する受信を開始し、前記ＳＳＢ伝送の受信を完了した後、前記第１ＤＲＳ伝送ウィンドウ内で同じＳＳＢの受信を試みない。
前記端末は、前記ＤＲＳ伝送ウィンドウ内で複数のＳＳＢを含むＳＳＢセットを受信する。前記ＤＲＳ伝送ウィンドウ内に含まれた複数のＳＳＢ伝送候補位置それぞれは、前記複数のＳＳＢのうち一つのＳＳＢにマッピングされる。この際、前記プロセッサは、前記第１ＳＳＢ伝送候補位置から前記第１ＤＲＳ伝送ウィンドウ内に位置する少なくとも一つのＳＳＢ伝送候補位置それぞれで前記少なくとも一つのＳＳＢ伝送候補位置それぞれにマッピングされたＳＳＢを受信する。
【００２１】
第２ＤＲＳ伝送ウィンドウ内のＳＳＢ伝送候補位置と前記ＳＳＢとの間のマッピング関係は、前記第１ＤＲＳ伝送ウィンドウ内のＳＳＢ伝送候補位置と前記ＳＳＢとの間のマッピング関係とは異なり得る。この際、前記第２ＤＲＳ伝送ウィンドウは前記第１ＤＲＳ伝送ウィンドウのすぐ次の周期のＤＲＳ伝送ウィンドウである。
前記第２ＤＲＳ伝送ウィンドウ内の複数のＳＳＢ伝送候補位置それぞれにマッピングされたＳＳＢのインデックスは、前記第１ＤＲＳ伝送ウィンドウ内の複数のＳＳＢ伝送候補位置それぞれにマッピングされたＳＳＢのインデックスをサイクリックラップアラウンドしたものである。この際、前記複数のＳＳＢそれぞれに前記ＳＳＢセット内で固有なインデックスが割り当てられる。
前記第２ＤＲＳ伝送ウィンドウ内の複数のＳＳＢ伝送候補位置それぞれにマッピングされたＳＳＢのインデックスは、前記第１ＤＲＳ伝送ウィンドウ内の複数のＳＳＢ伝送候補位置それぞれにマッピングされたＳＳＢのインデックスを逆順に割り当てたものである。前記複数のＳＳＢそれぞれに前記ＳＳＢセット内で固有なインデックスが割り当てられる。
前記ＤＲＳ伝送ウィンドウのデュレーションは固定された長さを有する。また、前記ＤＲＳ伝送ウィンドウは一定周期に繰り返されるように前記端末に設定される。
前記ＳＳＢを伝送するために使用されるサブキャリアスペーシングの値は、１５ｋＨｚ、３０ｋＨｚ、或いは６０ｋＨｚのうち一つである。この際、前記プロセッサは複数のＳＳＢを時間的に連続して受信する。
前記ＳＳＢを伝送するために使用されるサブキャリアスペーシングは、１５ｋＨｚ、３０ｋＨｚ、或いは６０ｋＨｚのうち一つである。この際、前記プロセッサは、前記ＳＳＢ受信が行われるスロットと前記ＳＳＢ受信が行われるスロットの次のスロットとの間の境界から少なくとも一つ以上のＯＦＤＭシンボルの前に前記ＳＳＢ受信を終了する。
【発明の効果】
【００２２】
本発明の一実施例は、無線通信システムにおいて、効率的に物理チャンネル及び信号を送受信する方法及びそれを利用する装置を提供する。
本発明から得られる効果は以上で言及した効果に限らず、言及していない他の効果は、以下の記載から本発明が属する技術分野で通常の知識を有する者に明確に理解されるはずである。
【図面の簡単な説明】
【００２３】
【図１】無線通信システムで使用される無線フレーム構造の一例を示す図である。
【図２】無線通信システムにおける下りリンク（ｄｏｗｎｌｉｎｋ、ＤＬ）／上りリンク（ｕｐｌｉｎｋ、ＵＬ）スロット構造の一例を示す図である。
【図３】３ＧＰＰシステムに利用される物理チャネルと該当物理チャンネルを利用した一般的な信号伝送方法を説明する図である。
【図４】３ＧＰＰ  ＮＲシステムにおける初期セルアクセスのためのＳＳ／ＰＢＣＨブロックを示す図である。
【図５】３ＧＰＰ  ＮＲシステムにおける制御情報及び制御チャネル伝送のための手順を示す図である。
【図６】３ＧＰＰ  ＮＲシステムにおけるＰＤＣＣＨ（ｐｈｙｓｉｃａｌ  ｄｏｗｎｌｉｎｋ  ｃｏｎｔｒｏｌ  ｃｈａｎｎｅｌ）が伝送されるＣＯＲＥＳＥＴ（ｃｏｎｔｒｏｌ  ｒｅｓｏｕｒｃｅ  ｓｅｔ）を示す図である。
【図７】３ＧＰＰ  ＮＲシステムにおけるＰＤＣＣＨ探索空間を設定する方法を示す図である。
【図８】キャリア集成（ｃａｒｒｉｅｒ  ａｇｇｒｅｇａｔｉｏｎ）を説明する概念図である。
【図９】単一キャリア通信と多重キャリア通信を説明するための図である。
【図１０】クロスキャリアスケジューリング技法が適用される例を示す図である。
【図１１】本発明の実施例によるコードブロックグループ（ｃｏｄｅ  ｂｌｏｃｋ  ｇｒｏｕｐ、ＣＢＧ）の構成及びそれの時間周波数資源マッピングを示す図である。
【図１２】本発明の実施例によって基地局がＴＢ−基盤伝送またはＣＢＧ−基盤伝送を行い、端末がそれに対する応答としてＨＡＲＱ−ＡＣＫの伝送を行う過程を示す図である。
【図１３】ＮＲ−Ｕ（ＮＲ−Ｕｎｌｉｃｅｎｓｅｄ）サービス環境を示す図である。
【図１４】ＮＲ−Ｕサービス環境における端末と基地局の配置シナリオの一実施例を示す図である。
【図１５】従来の非免許帯域で動作する通信方式（例えば、無線ＬＡＮ）を示す図である。
【図１６】本発明の一実施例によるカテゴリ４ＬＢＴに基づくチャネルアクセス過程を示す図である。
【図１７】ＨＡＲＱ−ＡＣＫフィードバックに基づいて競争ウィンドウのサイズＣＷＳを調整する方法の一実施例を示す図である。
【図１８】本発明の一実施例による端末と基地局の構成をそれぞれ示すブロック図である。
【図１９】本発明の一実施例によるＮＲシステムの免許帯域の複数スロット内でＳＳＢが占める（ｏｃｃｕｐｙ）ＯＦＤＭシンボルの位置を示す図である。
【図２０】本発明の一実施例によるＮＲシステムの免許帯域のハーフ（ｈａｌｆ）無線フレーム、つまり、５ｍｓ内でＳＳＢが占めるスロットの位置を示す図である。
【図２１】本発明の一実施例によって６０ＫＨｚサブキャリアスペーシングが使用され、ＳＳＢの最大個数が３である場合、１ｍｓ時間区間内でＳＳＢが伝送されるＯＦＤＭシンボルの位置を示す図である。
【図２２】本発明の一実施例によって６０ＫＨｚサブキャリアスペーシングが使用され、ＳＳＢの最大個数が４である場合、１ｍｓ時間区間内でＳＳＢが伝送されるＯＦＤＭシンボルの位置を示す図である。
【図２３】本発明の一実施例によって６０ＫＨｚサブキャリアスペーシングが使用され、ＳＳＢの最大個数が６である場合、１ｍｓ時間区間内でＳＳＢが伝送されるＯＦＤＭシンボルの位置を示す図である。
【図２４】本発明の一実施例によってＳＳＢを伝送するために６０ＫＨｚサブキャリアスペーシングが使用され、ＳＳＢの最大個数が８である場合、１ｍｓ時間区間内でＳＳＢが伝送されるＯＦＤＭシンボルの位置を示す図である。
【図２５】本発明の他の実施例によってＳＳＢを伝送するために６０ＫＨｚサブキャリアスペーシングが使用される場合、ＳＳＢ伝送ウィンドウでＳＳＢが伝送されるスロットの位置を示す図である。
【図２６】非免許帯域でＳＳＢを伝送するために１５ＫＨｚサブキャリアスペーシングが使用される際、本発明の実施例によって基地局がＳＳＢ伝送ウィンドウ内で伝送可能なＳＳＢの最大個数によって、ＳＳＢの伝送を開始可能なスロットの位置が複数である場合を示す図である。
【図２７】非免許帯域でＳＳＢを伝送するために３０ＫＨｚサブキャリアスペーシングが使用される際、本発明の実施例によって基地局がＳＳＢ伝送ウィンドウ内で伝送可能なＳＳＢの最大個数によって、ＳＳＢの伝送を開始可能なスロットの位置が複数であることを示す図である。
【図２８】非免許帯域でＳＳＢを伝送するために６０ＫＨｚサブキャリアスペーシングが使用される際、本発明の実施例によって基地局がＳＳＢ伝送ウィンドウ内で伝送可能なＳＳＢの最大個数によって、ＳＳＢの伝送を開始可能なスロットの位置が複数であることを示す図である。
【図２９】非免許帯域でＳＳＢを伝送するために１５ｋＨｚサブキャリアスペーシングが使用される際、本発明の実施例によって基地局がＳＳＢ伝送ウィンドウ内でスロットごとにＳＳＢ伝送開始機会を有することを示す図である。
【図３０】非免許帯域でＳＳＢを伝送するために３０ＫＨｚサブキャリアスペーシングが使用される際、本発明の実施例によって基地局がＳＳＢ伝送ウィンドウ内でスロットごとにＳＳＢ伝送開始機会を有することを示す図である。
【図３１】非免許帯域でＳＳＢを伝送するために６０ＫＨｚサブキャリアスペーシングが使用される際、本発明の実施例によって基地局がＳＳＢ伝送ウィンドウ内でスロットごとにＳＳＢ伝送開始機会を有することを示す図である。
【図３２】本発明の実施例によってＤＲＳ伝送ウィンドウ内のＳＳＢインデックスと候補位置インデックスとの間のマッピングが固定されている場合を示す図である。
【図３３】本発明の実施例によってＤＲＳ伝送ウィンドウ内のＳＳＢインデックスと候補位置インデックスとの間のマッピングが固定されていない場合を示す図である。
【図３４】本発明の実施例によってＤＲＳ伝送ウィンドウ内のＳＳＢインデックスと候補位置インデックスとの間のマッピングが固定されていない場合を示す図である。
【図３５】本発明の他の実施例によってＤＲＳ伝送ウィンドウ内のＳＳＢインデックスと候補位置インデックスとの間のマッピングが固定されていない場合を示す図である。
【図３６】本発明の他の実施例によってＤＲＳ伝送ウィンドウ内のＳＳＢインデックスと候補位置インデックスとの間のマッピングが固定されていない場合を示す図である。
【図３７】本発明の他の実施例によってＤＲＳ伝送ウィンドウ内のＳＳＢインデックスと候補位置インデックスとの間のマッピングが固定されていない場合を示す図である。
【図３８】本発明のまた他の実施例によってＤＲＳ伝送ウィンドウ内のＳＳＢインデックスと候補位置インデックスとの間のマッピングが固定されていない場合を示す図である。
【図３９】本発明のまた他の実施例によってＤＲＳ伝送ウィンドウ内のＳＳＢインデックスと候補位置インデックスとの間のマッピングが固定されていない場合を示す図である。
【図４０】本発明のまた他の実施例によってＤＲＳ伝送ウィンドウ内のＳＳＢインデックスと候補位置インデックスとの間のマッピングが固定されていない場合を示す図である。
【図４１】本発明のまた他の実施例によってＤＲＳ伝送ウィンドウ内のＳＳＢインデックスと候補位置インデックスとの間のマッピングが固定されていない場合を示す図である。
【図４２】本発明のまた他の実施例によってＤＲＳ伝送ウィンドウ内のＳＳＢインデックスと候補位置インデックスとの間のマッピングが固定されていない場合を示す図である。
【図４３】ＬＴＥ−ＬＡＡで使用されるＰＵＳＣＨのデザインを示す図である。
【図４４】本発明の実施例による複数の端末が一つのインターレース内でＯＣＣを使用してショート（ｓｈｏｒｔ）ＰＵＣＣＨを伝送することを示す図である。
【図４５】本発明の実施例による複数の端末が一つのインターレース内でＯＣＣを使用してＰＵＣＣＨフォーマット１に当たるロング（ｌｏｎｇ）ＰＵＣＣＨを伝送することを示す図である。
【発明を実施するための形態】
【００２４】
本明細書で使用される用語は本発明における機能を考慮してできるだけ現在広く使用されている一般的な用語を選択しているが、これは当分野に携わる技術者の意図、慣例、または新たな技術の出現などによって異なり得る。また、特定の場合は出願人が任意に選択したものもあるが、この場合、該当する発明の説明部分でその意味を記載する。よって、本明細書で使用される用語は、単なる用語の名称ではなく、その用語の有する実質的意味と本明細書全般にわたる内容に基づいて解析すべきであることを明らかにする。
【００２５】
明細書全体において、ある構成が他の構成を「連結」されているという際、これは「直接連結」されている場合だけでなく、その中間の他の構成要素を介在して「電気的に連結」されていることも含む。また、ある構成が特定構成要素を「含む」という際、これは特に反対する記載がない限り、他の構成要素を除くのではなく、他の構成要素を更に含むことを意味する。加えて、特定臨海を基準にする「以上」または「以下」という限定事項は、実施例によってそれぞれ「超過」または「未満」に適切に代替されてもよい。
【００２６】
以下の技術はＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）などのような多様な無線接続システムに使用される。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現される。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術で具現される。ＯＦＤＭＡは、ＩＥＥＥ８０２．１１（Ｗｉ−Ｆｉ）、ＩＥＥＥ８０２．１６（ＷｉＭＡＸ）、ＩＥＥＥ８０２−２０、Ｅ−ＵＴＲＡ（Ｅｖｏｌｖｅｄ  ＵＴＲＡ）などのような無線技術で具現される。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）の一部である。３ＧＰＰ  ＬＴＥ（Ｌｏｎｇ  ｔｅｒｍ  ｅｖｏｌｕｔｉｏｎ）はＥ−ＵＴＲＡを使用するＥ−ＵＭＴＳ（Ｅｖｏｌｖｅｄ  ＵＭＴＳ）の一部であり、ＬＴＥ−Ａ（Ａｄｖａｎｃｅｄ）は３ＧＰＰ  ＬＴＥの進化したバージョンである。３ＧＰＰ  ＮＲはＬＴＥ／ＬＴＥ−Ａとは別途に設計されたシステムであって、ＩＭＴ−２０２０の要求条件であるｅＭＢＢ（ｅｎｈａｎｃｅｄ  Ｍｏｂｉｌｅ  ＢｒｏａｄＢａｎｄ）、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）、及びｍＭＴＣ（ｍａｓｓｉｖｅ  Ｍａｃｈｉｎｅ  Ｔｙｐｅ  Ｃｏｍｍｕｎｉｃａｔｉｏｎ）サービスを支援するためのシステムである。説明を明確にするために３ＧＰＰ  ＮＲを中心に説明するが、本発明の技術的思想はこれに限らない。
【００２７】
本明細書で特別な説明がない限り、基地局は、3GPP NRで定義するgNB（next generation node B）を含むことができる。また、特別な説明がない限り、端末は、UE（user equipment）を含むことができる。
【００２８】
図１は、無線通信システムで使用される無線フレーム構造の一例を示す図である。
図１を参照すると、３ＧＰＰ  ＮＲシステムで使用される無線フレーム（またはラジオフレーム）は、１０ｍｓ（ΔｆｍａｘＮｆ／１００）＊Ｔｃ）の長さを有する。また、無線フレームは１０個の均等な大きさのサブフレーム（ｓｕｂｆａｍｅ、ＳＦ）からなる。ここで、Δｆｍａｘ＝４８０＊１０３Ｈｚ、Ｎｆ＝４０９６、Ｔｃ＝１／（Δｆｒｅｆ＊Ｎｆ，ｒｅｆ）、Δｆｒｅｆ＝１５＊１０３Ｈｚ、Ｎｆ，ｒｅｆ＝２０４８である。一つのフレーム内の１０個のサブフレームにそれぞれ０から９までの番号が与えられる。それぞれのサブフレームは１ｍｓの長さを有し、サブキャリア間隔（ｓｕｂｃａｒｒｉｅｒ  ｓｐａｃｉｎｇ）によって一つまたは複数のスロットからなる。より詳しくは、３ＧＰＰ  ＮＲシステムで使用し得るサブキャリア間隔は１５＊２μｋＨｚである。μはサブキャリア間隔構成因子（ｓｕｂｃａｒｒｉｅｒ  ｓｐａｃｉｎｇ  ｃｏｎｆｉｇｕｒａｔｉｏｎ）であって、μ＝０〜４の値を有する。つまり、１５ｋＨｚ、３０ｋＨｚ、６０ｋＨｚ、１２０ｋＨｚ、または２４０ｋＨｚがサブキャリア間隔として使用される。１ｍｓ長さのサブフレームは２μ個のスロットからなる。この際、各スロットの長さは２−μｍｓである。一つのサブフレーム内の２μ個のスロットは、それぞれ０から２μ−１までの番号が与えられる。また、一つの無線フレーム内のスロットは、それぞれ０から１０＊２μ−１までの番号が与えられる。時間資源は、無線フレーム番号（または無線フレームインデックスともいう）、サブフレーム番号（またはサブフレームインデックスともいう）、スロット番号（またはスロットインデックス）のうち少なくともいずれか一つによって区分される。
【００２９】
図２は、無線通信システムにおける下りリンク（ＤＬ）／上りリンク（ＵＬ）スロット構造の一例を示す図である。特に、図２は３ＧＰＰ  ＮＲシステムの資源格子（ｒｅｓｏｕｒｃｅ  ｇｒｉｄ）構造を示す。
アンテナポート当たり一つの資源格子がある。図２を参照すると、スロットは時間ドメインで複数のＯＦＤＭシンボルを含み、周波数ドメインで複数の資源ブロック（ｒｅｓｏｕｒｃｅ  ｂｌｏｃｋ、ＲＢ）を含む。ＯＦＤＭシンボルは、一つのシンボル区間も意味する。特別な説明がない限り、ＯＦＤＭシンボルは簡単にシンボルと称される。以下、本明細書において、シンボルはＯＦＤＭシンボル、ＳＣ−ＦＤＭＡシンボル、ＤＦＴｓ−ＯＦＤＭシンボルなどを含む。
【００３０】
図２を参照すると、各スロットから伝送される信号はＮｓｉｚｅ、μｇｒｉｄ、ｘ＊ＮＲＢＳＣ個のサブキャリア（ｓｕｂｃａｒｒｉｅｒ）とＮｓｌｏｔｓｙｍｂ個のＯＦＤＭシンボルからなる資源格子で表現される。ここで、下りリンク資源格子であればｘ＝ＤＬであり、上りリンク資源格子であればｘ＝ＵＬである。Ｎｓｉｚｅ、μｇｒｉｄ、ｘはサブキャリア間隔構成因子μによる資源ブロック（ＲＢ）の個数を示し（ｘはＤＬまたはＵＬ）、Ｎｓｌｏｔｓｙｍｂはスロット内のＯＦＤＭシンボルの個数を示す。ＮＲＢＳＣは一つのＲＢを構成するサブキャリアの個数であって、ＮＲＢＳＣ＝１２である。ＯＦＤＭシンボルは、多重アクセス方式によってＣＰ−ＯＦＤＭ（ｃｙｃｌｉｃ  ｐｒｅｆｉｘ  ＯＦＤＭ）シンボル、またはＤＦＴ−Ｓ−ＯＦＤＭ（ｄｉｓｃｒｅｔｅ  Ｆｏｕｒｉｅｒ  ｔｒａｎｓｆｏｒｍ  ｓｐｒｅａｄ  ＯＦＤＭ）シンボルと称される。
【００３１】
一つのスロットに含まれるＯＦＤＭシンボルの数は、ＣＰ（ｃｙｃｌｉｃ  ｐｒｅｆｉｘ）の長さに応じて異なり得る。例えば、正規（ｎｏｒｍａｌ）ＣＰであれば一つのスロットが１４個のＯＦＤＭシンボルを含むが、拡張（ｅｘｔｅｎｄｅｄ）ＣＰであれば一つのスロットが１２個のＯＦＤＭシンボルを含む。具体的な実施例において、拡張ＣＰは６０ｋＨｚのサブキャリア間隔でのみ使用される。図２では説明の便宜上、一つのスロットが１４ＯＦＤＭシンボルからなる場合を例示したが、本発明の実施例は他の個数のＯＦＤＭシンボルを有するスロットでも同じ方式で適用される。図２を参照すると、各ＯＦＤＭシンボルは、周波数ドメインで、Ｎｓｉｚｅ、μｇｒｉｄ、ｘ＊ＮＲＢＳＣ個のサブキャリアを含む。サブキャリアの類型は、データを伝送するためのデータサブキャリア、参照信号（ｒｅｆｅｒｅｎｃｅ  ｓｉｇｎａｌ）を伝送するための参照信号サブキャリア、ガードバンド（ｇｕａｒｄ  ｂａｎｄ）に分けられる。キャリア周波数は中心周波数（ｃｅｎｔｅｒ  ｆｒｅｑｕｅｎｃｙ、ｆｃ）ともいう。
【００３２】
一つのＲＢは、周波数ドメインでＮＲＢＳＣ個（例えば、１２個）の連続するサブキャリアによって定義される。ちなみに、一つのＯＦＤＭシンボルと一つのサブキャリアからなる資源を資源要素（ｒｅｓｏｕｒｃｅ  ｅｌｅｍｅｎｔ、ＲＥ）またはトーン（ｔｏｎｅ）と称する。よって、一つのＲＢはＮｓｌｏｔｓｙｍｂ＊ＮＲＢＳＣ個の資源要素からなる。資源格子内の各資源要素は、一つのスロット内のインデックス対（ｋ、ｌ）によって固有に定義される。ｋは周波数ドメインで０からＮｓｉｚｅ、μｇｒｉｄ、ｘ＊ＮＲＢＳＣ−１まで与えられるインデックスであり、ｌは時間ドメインで０からＮｓｌｏｔｓｙｍｂ−１まで与えられるインデックスである。
【００３３】
端末が基地局から信号を受信するか基地局信号を伝送するためには、端末の時間／周波数同期を基地局の時間／周波数同期と合わせるべきである。基地局と端末が同期化しなければ、端末がＤＬ信号の復調及びＵＬ信号の伝送を正確な時点に行うのに必要な時間及び周波数パラメータを決定できないためである。
【００３４】
ＴＤＤ（ｔｉｍｅ  ｄｉｖｉｓｉｏｎ  ｄｕｐｌｅｘ）またはアンペアドスペクトル（ｕｎｐａｉｒｅｄ  ｓｐｅｃｔｒｕｍ）で動作する無線フレームの各シンボルは、下りリンクシンボル（ＤＬ  ｓｙｍｂｏｌ）、上りリンクシンボル（ＵＬ  ｓｙｍｂｏｌ）、またはフレキシブルシンボル（ｆｌｅｘｉｂｌｅ  ｓｙｍｂｏｌ）のうち少なくともいずれか一つからなる。ＦＤＤ（ｆｒｅｑｕｅｎｃｙ  ｄｉｖｉｓｉｏｎ  ｄｕｐｌｅｘ）またはペアドスペクトル（ｐａｉｒｅｄ  ｓｐｅｃｔｒｕｍ）で下りリンクキャリアで動作する無線フレームは、下りリンクシンボルまたはフレキシブルシンボルからなり、上りリンクキャリアで動作する無線フレームは、上りリンクシンボルまたはフレキシブルシンボルからなる。下りリンクシンボルでは下りリンク伝送はできるが上りリンク伝送はできず、上りリンクシンボルでは上りリンク伝送はできるが下りリンク伝送はできない。フレキシブルシンボルは、信号に応じて下りリンクで使用されるか上りリンクで使用されるかが決定される。
【００３５】
各シンボルのタイプ（ｔｙｐｅ）に関する情報、つまり、下りリンクシンボル、上りリンクシンボル、及びフレキシブルシンボルのうちいずれか一つを示す情報は、セル特定（ｃｅｌｌ−ｓｐｅｃｉｆｉｃまたはｃｏｍｍｏｎ）ＲＲＣ信号からなる。また、各シンボルのタイプに関する情報は、追加に特定端末（ＵＥ−ｓｐｅｃｉｆｉｃまたはｄｅｄｉｃａｔｅｄ）ＲＲＣ信号からなる。基地局は、セル特定ＲＲＣ信号を使用し、i）セル特定スロット構成の周期、ii）セル特定スロット構成の周期の最初から下りリンクシンボルのみを有するスロットの数、iii）下りリンクシンボルのみを有するスロットの直後のスロットの最初のシンボルから下りリンクシンボルの数、iv）セル特定スロット構成の周期の最後から上りリンクシンボルのみを有するスロットの数、v）上りリンクシンボルのみを有するスロットの直前のスロットの最後のシンボルから上りリンクシンボルの数を知らせる。ここで、上りリンクシンボルと下りリンクシンボルのいずれにも構成されていないシンボルはフレキシブルシンボルである。
【００３６】
シンボルタイプに関する情報が端末特定ＲＲＣ信号からなれば、基地局はフレキシブルシンボルが下りリンクシンボルなのかまたは上りリンクシンボルなのかを、セル特定ＲＲＣ信号でシグナリングする。この際、端末特定ＲＲＣ信号は、セル特定ＲＲＣ信号からなる下りリンクシンボルまたは上りリンクシンボルを他のシンボルタイプに変更することができない。特定端末ＲＲＣ信号は、各スロットごとに該当スロットのＮｓｌｏｔｓｙｍｂシンボルのうち下りリンクシンボルの数、該当スロットのＮｓｌｏｔｓｙｍｂシンボルのうち上りリンクシンボルの数をシグナリングする。この際、スロットの下りリンクシンボルはスロットの最初のシンボルからｉ番目のシンボルまで連続的に構成される。また、スロットの上りリンクシンボルはスロットのｊ番目のシンボルから最後のシンボルまで連続的に構成される（ここで、ｉ＜ｊ）。スロットにおいて、上りリンクシンボルと下りリンクシンボルのいずれにも構成されていないシンボルはフレキシブルシンボルである。
【００３７】
前記のようなＲＲＣ信号からなるシンボルのタイプをセミ−スタティック（ｓｅｍｉ−ｓｔａｔｉｃ）ＤＬ／ＵＬ構成と称する。上述したＲＲＣ信号からなるセミ−スタティックＤＬ／ＵＬ構成において、フレキシブルシンボルは物理下りリンク制御チャネル（ＰＤＣＣＨ）で伝送されるダイナミックＳＦＩ（ｓｌｏｔ  ｆｏｒｍａｔ  ｉｎｆｏｒｍａｔｉｏｎ）を介して下りリンクシンボル、上りリンクシンボル、またはフレキシブルシンボルに指示される。この際、ＲＲＣ信号からなる下りリンクシンボルまたは上りリンクシンボルは、他のシンボルタイプに変更されない。表１は、基地局が端末に指示するダイナミックＳＦＩを例示する。
【００３８】
【表１】
2021534643.tif 000003
【００３９】
表１において、Ｄは下りリンクシンボルを、Ｕは上りリンクシンボルを、Ｘはフレキシブルシンボルを示す。表１に示したように、一つのスロットで最大２回のＤＬ／ＵＬスイッチング（ｓｗｉｔｃｈｉｎｇ）が許容される。
【００４０】
図３は、３ＧＰＰシステム（例えば、ＮＲ）に利用される物理チャネルと、該当物理チャンネルを利用した一般的な信号伝送方法を説明する図である。
端末の電源がつくか端末が新しくセルに進入すれば、端末は初期セル探索作業を行うＳ１０１。詳しくは、端末は初期セル探索で基地局と同期を合わせる。このために、端末は基地局から主同期信号（ｐｒｉｍａｒｙ  ｓｙｎｃｈｒｏｎｉｚａｔｉｏｎ  ｓｉｇｎａｌ、ＰＳＳ）及び副同期信号（ｓｅｃｏｎｄａｒｙ  ｓｙｎｃｈｒｏｎｉｚａｔｉｏｎ  ｓｉｇｎａｌ、ＳＳＳ）を受信して基地局と同期を合わせ、セルＩＤなどの情報を獲得する。次に、端末は基地局から物理放送チャネルを受信し、セル内の放送情報を獲得する。
【００４１】
初期セル探索を終えた端末は、物理下りリンク制御チャネル（ＰＤＣＣＨ）及び前記ＰＤＣＣＨに乗せられている情報によって物理下りリンク共有チャネル（ｐｈｙｓｉｃａｌ  ｄｏｗｎｌｉｎｋ  ｓｈａｒｅｄ  ｃｈａｎｎｅｌ、ＰＤＳＣＨ）を受信することで、初期セル探索を介して獲得したシステム情報より詳しいシステム情報を獲得するＳ１０２。
【００４２】
端末が基地局に最初にアクセスするか信号伝送のための無線資源がなければ 、端末は基地局に対して任意のアクセス過程を行うＳ１０３乃至Ｓ１０６。まず、端末は物理任意アクセスチャネル（ｐｈｙｓｉｃａｌ  ｒａｎｄｏｍ  ａｃｃｅｓｓ  ｃｈａｎｎｅｌ、ＰＲＡＣＨ）を介してプリアンブルを伝送しＳ１０３、基地局からＰＤＣＣＨ及び対応するＰＤＳＣＨを介してプリアンブルに対する応答メッセージを受信するＳ１０４。端末に有効なランダムアクセス応答メッセージが受信されれば、端末は基地局からＰＤＣＣＨを介して伝達された上りリンクグラントから指示した物理上りリンク共有チャネル（ｐｈｙｓｉｃａｌ  ｕｐｌｉｎｋ  ｓｈａｒｅｄ ｃｈａｎｎｅｌ、ＰＵＳＣＨ）を介して自らの識別子などを含むデータを基地局に伝送するＳ１０５。次に、端末は衝突を解決するために基地局の指示としてＰＤＣＣＨの受信を待つ。端末が自らの識別子を介してＰＤＣＣＨの受信に成功すればＳ１０６、ランダムアクセス過程は終了される。
【００４３】
上述した手順後、端末は一般的な上り／下りリンク信号伝送手順としてＰＤＣＣＨ／ＰＤＳＣＨ受信Ｓ１０７、及び物理上りリンク共有チャネル（ＰＵＳＣＨ）／物理上りリンク制御チャネル（ｐｈｙｓｉｃａｌ  ｕｐｌｉｎｋ  ｃｏｎｔｒｏｌ  ｃｈａｎｎｅｌ、ＰＵＣＣＨ）を伝送Ｓ１０８する。特に、端末は、ＰＤＣＣＨを介して下りリンク制御情報（ｄｏｗｎｌｉｎｋ  ｃｏｎｔｒｏｌ  ｉｎｆｏｒｍａｔｉｏｎ、ＤＣＩ）を受信する。ＤＣＩは、端末に対する資源割当情報のような制御情報を含む。また、ＤＣＩは使用目的に応じてフォーマットが異なり得る。端末が上りリンクを介して基地局に伝送する上りリンク制御情報（ｕｐｌｉｎｋ  ｃｏｎｔｒｏｌ  ｉｎｆｏｒｍａｔｉｏｎ、ＵＣＩ）は、下りリンク／上りリンクＡＣＫ／ＮＡＣＫ信号、ＣＱＩ（ｃｈａｎｎｅｌ  ｑｕａｌｉｔｙ  ｉｎｄｉｃａｔｏｒ）、ＰＭＩ（ｐｒｅｃｏｄｉｎｇ  ｍａｔｒｉｘ  ｉｎｄｅｘ）、ＲＩ（ｒａｎｋ  ｉｎｄｉｃａｔｏｒ）などを含む。ここで、ＣＱＩ、ＰＭＩ、及びＲＩは、ＣＳＩ（ｃｈａｎｎｅｌ  ｓｔａｔｅ  ｉｎｆｏｒｍａｔｉｏｎ）に含まれる。３ＧＰＰ  ＮＲシステムの場合、端末はＰＵＳＣＨ及び／またはＰＵＣＣＨを介して上述したＨＡＲＱ−ＡＣＫとＣＳＩなどの制御情報を伝送する。
【００４４】
図４は、３ＧＰＰ  ＮＲシステムにおける初期セルアクセスのためのＳＳ／ＰＢＣＨブロックを示す図である。
端末は、電源が入るか新しくセルにアクセスしようとする際、セルとの時間及び周波数同期を獲得し、初期セル探索過程を行う。端末は、セル探索過程でセルの物理セル識別子（ｐｈｙｓｉｃａｌ  ｃｅｌｌ  ｉｄｅｎｔｉｔｙ）ＮｃｅｌｌＩＤを検出する。このために、端末は基地局から同期信号、例えば、主同期信号（ＰＳＳ）及び副同期信号（ＳＳＳ）を受信して基地局と同期を合わせる。この際、端末はセル識別子（ｉｄｅｎｔｉｔｙ、ＩＤ）などの情報を獲得する。
【００４５】
図４（ａ）を参照して、同期信号（ｓｙｎｃｈｒｏｎｉｚａｔｉｏｎ  ｓｉｇｎａｌ、ＳＳ）をより詳しく説明する。同期信号はＰＳＳとＳＳＳに分けられる。ＰＳＳは、ＯＦＤＭシンボル同期、スロット同期のような時間ドメイン同期及び／または周波数ドメイン同期を得るために使用される。ＳＳＳは、フレーム同期、セルグループＩＤを得るために使用される。図４（ａ）と表２を参照すると、ＳＳ／ＰＢＣＨブロックは周波数軸に連続した２０ＲＢｓ（＝２４０サブキャリア）からなり、時間軸に連続した４ＯＦＤＭシンボルからなる。この際、ＳＳ／ＰＢＣＨブロックにおいて、ＰＳＳは最初のＯＦＤＭシンボル、ＳＳＳは３番目のＯＦＤＭシンボルで５６〜１８２番目のサブキャリアを介して伝送される。ここで、ＳＳ／ＰＢＣＨブロックの最も低いサブキャリアインデックスを０から付ける。ＰＳＳが伝送される最初のＯＦＤＭシンボルにおいて、残りのサブキャリア、つまり、０〜５５、１８３〜２３９番目のサブキャリアを介しては基地局が信号を伝送しない。また、ＳＳＳが伝送される３番目のＯＦＤＭシンボルにおいて、４８〜５５、１８３〜１９１番目のサブキャリアを介しては基地局が信号を伝送しない。基地局は、ＳＳ／ＰＢＣＨブロックにおいて、前記信号を除いた残りのＲＥを介してＰＢＣＨ（ｐｈｙｓｉｃａｌ  ｂｒｏａｄｃａｓｔ  ｃｈａｎｎｅｌ）を伝送する。
【００４６】
【表２】
2021534643.tif 000004
【００４７】
ＳＳは３つのＰＳＳとＳＳＳの組み合わせを介して計１００８個の固有の物理階層セル識別子（ｐｈｙｓｉｃａｌ  ｌａｙｅｒ  ｃｅｌｌ  ＩＤ）を、詳しくは、それぞれの物理階層セルＩＤはたった一つの物理−階層セル−識別子グループの部分になるように、各グループが３つの固有の識別子を含む３３６個の物理−階層セル−識別子グループにグルーピングされる。よって、物理階層セルＩＤ  ＮｃｅｌｌＩＤ＝３Ｎ（１）ＩＤ＋Ｎ（２）ＩＤは、物理−階層セル−識別子グループを示す０から３３５までの範囲内のインデックスＮ（１）ＩＤと、前記物理−階層セル−識別子グループ内の物理−階層識別子を示す０から２までのインデックスＮ（２）ＩＤによって固有に定義される。端末はＰＳＳを検出し、３つの固有の物理−階層識別子のうち一つを識別する。また、端末はＳＳＳを検出し、前記物理−階層識別子に連関する３３６個の物理階層セルＩＤのうち一つを識別する。この際、ＰＳＳのシーケンスｄＰＳＳ（ｎ）は以下の数式１のようである。
【００４８】
【数１】
2021534643.tif 000005
ここで、0≦n<127であり、x（m）は、数学式2および3の通りである。
【００４９】
【数２】
2021534643.tif 000006
【００５０】
【数３】
2021534643.tif 000007
また、SSSのシーケンスdsss（n）は、式（4）と同じである。
【００５１】
【数４】
2021534643.tif 000008
ここで、0≦n<127であり、x0（m）、x1（m）は、式5および6と同じである。
【００５２】
【数５】
2021534643.tif 000009
【００５３】
【数６】
2021534643.tif 000010
【００５４】
１０ｍｓ長さの無線フレームは、５ｍｓ長さの２つの半フレームに分けられる。図４（ｂ）を参照して、各半フレーム内でＳＳ／ＰＢＣＨブロックが伝送されるスロットについて説明する。ＳＳ／ＰＢＣＨブロックが伝送されるスロットは、ケースＡ、Ｂ、Ｃ、Ｄ、Ｅのうちいずれか一つである。ケースＡにおいて、サブキャリア間隔は１５ｋＨｚであり、ＳＳ／ＰＢＣＨブロックの開始時点は｛２、８｝＋１４＊ｎ番目のシンボルである。この際、３ＧＨｚ以下のキャリア周波数において、ｎ＝０、１である。また、３ＧＨｚ超過６ＧＨｚ以下のキャリア周波数において、ｎ＝０、１、２、３である。ケースＢにおいて、サブキャリア間隔は３０ｋＨｚであり、ＳＳ／ＰＢＣＨブロックの開始時点は｛４、８、１６、２０｝＋２８＊ｎ番目のシンボルである。この際、３ＧＨｚ以下のキャリア周波数において、ｎ＝０である。また、３ＧＨｚ超過６ＧＨｚ以下のキャリア周波数において、ｎ＝０、１である。ケースＣにおいて、サブキャリア間隔は３０ｋＨｚであり、ＳＳ／ＰＢＣＨブロックの開始時点は｛２、８｝＋１４＊ｎ番目のシンボルである。この際、３ＧＨｚ以下のキャリア周波数において、ｎ＝０、１である。また、３ＧＨｚ超過６ＧＨｚ以下のキャリア周波数において、ｎ＝０、１、２、３である。ケースＤにおいて、サブキャリア間隔は１２０ｋＨｚであり、ＳＳ／ＰＢＣＨブロックの開始時点は｛４、８、１６、２０｝＋２８＊ｎ番目のシンボルである。この際、６ＧＨｚ以上のキャリア周波数において、ｎ＝０、１、２、３、５、６、７、８、１０、１１、１２、１３、１５、１６、１７、１８である。ケースＥにおいて、サブキャリア間隔は２４０ｋＨｚであり、ＳＳ／ＰＢＣＨブロックの開始時点は｛８、１２、１６、２０、３２、３６、４０、４４｝＋５６＊ｎ番目のシンボルである。この際、６ＧＨｚ以上のキャリア周波数において、ｎ＝０、１、２、３、５、６、７、８である。
【００５５】
図５は、３ＧＰＰ  ＮＲシステムにおける制御情報及び制御チャネル伝送のための手順を示す図である。図５（ａ）を参照すると、基地局は制御情報（例えば、ＤＣＩ）にＲＮＴＩ（ｒａｄｉｏ  ｎｅｔｗｏｒｋ  ｔｅｍｐｏｒａｒｙ  ｉｄｅｎｔｉｆｉｅｒ）でマスク（例えば、ＸＯＲ演算）されたＣＲＣ（ｃｙｃｌｉｃ  ｒｅｄｕｎｄａｎｃｙ  ｃｈｅｃｋ）を付加するＳ２０２。基地局は、各制御情報の目的／対象に応じて決定されるＲＮＴＩ値でＣＲＣをスクランブルする。一つ以上の端末が使用する共通ＲＮＴＩは、ＳＩ−ＲＮＴＩ（ｓｙｓｔｅｍ  ｉｎｆｏｒｍａｔｉｏｎ  ＲＮＴＩ）、Ｐ−ＲＮＴＩ（ｐａｇｉｎｇ  ＲＮＴＩ）、ＲＡ−ＲＮＴＩ（ｒａｎｄｏｍ  ａｃｃｅｓｓ  ＲＮＴＩ）、及びＴＰＣ−ＲＮＴＩ（ｔｒａｎｓｍｉｔ  ｐｏｗｅｒ  ｃｏｎｔｒｏｌ  ＲＮＴＩ）のうち少なくともいずれか一つを含む。また、端末−特定ＲＮＴＩはＣ−ＲＮＴＩ（ｃｅｌｌ  ｔｅｍｐｏｒａｒｙ  ＲＮＴＩ）、ＣＳ−ＲＮＴＩ、またはＭＣＳ−Ｃ−ＲＮＴＩのうち少なくともいずれか一つを含む 次に、基地局はチャネルエンコーディング（例えば、ｐｏｌａｒ  ｃｏｄｉｎｇ）を行ったＳ２０４後、ＰＤＣＣＨ伝送のために使用された資源（ら）の量に合わせてレート−マッチング（ｒａｔｅ−ｍａｔｃｈｉｎｇ）をするＳ２０６。次に、基地局はＣＣＥ（ｃｏｎｔｒｏｌ  ｃｈａｎｎｅｌ  ｅｌｅｍｅｎｔ）基盤のＰＤＣＣＨ構造に基づいて、ＤＣＩ（ら）を多重化するＳ２０８。また、基地局は、多重化されたＤＣＩ（ら）に対してスクランブリング、モジュレーション（例えば、ＱＰＳＫ）、インターリービングなどの追加過程Ｓ２１０を適用した後、伝送しようとする資源にマッピングする。ＣＣＥはＰＤＣＣＨのための基本資源単位であり、一つのＣＣＥは複数（例えば、６つ）のＲＥＧ（ｒｅｓｏｕｒｃｅ  ｅｌｅｍｅｎｔ  ｇｒｏｕｐ）からなる。一つのＲＥＧは複数（例えば、１２個）のＲＥからなる。一つのＰＤＣＣＨのために使用されたＣＣＥの個数を集成レベル（ａｇｇｒｅｇａｔｉｏｎ  ｌｅｖｅｌ）と定義する。３ＧＰＰ  ＮＲシステムでは、１、２、４、８、または１６の集成レベルを使用する。図５（ｂ）はＣＣＥ集成レベルとＰＤＣＣＨの多重化に関する図であり、一つのＰＤＣＣＨのために使用されたＣＣＥ集成レベルの種類とそれによる制御領域で伝送されるＣＣＥ（ら）を示す。
【００５６】
図６は、３ＧＰＰ  ＮＲシステムにおけるＰＤＣＣＨが伝送されるＣＯＲＥＳＥＴを示す図である。
ＣＯＲＥＳＥＴは、端末のための制御信号であるＰＤＣＣＨが伝送される時間−周波数資源である。また、後述する探索空間（ｓｅａｒｃｈ  ｓｐａｃｅ）は一つのＣＯＲＥＳＥＴにマッピングされる。よって、端末はＰＤＣＣＨを受信するために全ての周波数帯域をモニタリングするのではなく、ＣＯＲＥＳＥＴと指定された時間−周波数領域をモニタリングして、ＣＯＲＥＳＥＴにマッピングされたＰＤＣＣＨをデコーディングする。基地局は、端末にセル別に一つまたは複数のＣＯＲＥＳＥＴを構成する。ＣＯＲＥＳＥＴは、時間軸に最大３つまでの連続したシンボルからなる。また、ＣＯＲＥＳＥＴは周波数軸に連続した６つのＰＲＢの単位からなる。図５の実施例において、ＣＯＲＥＳＥＴ＃１は連続的なＰＲＢからなり、ＣＯＲＥＳＥＴ＃２とＣＯＲＥＳＥＴ＃３は不連続的なＰＲＢからなる。ＣＯＲＥＳＥＴは、スロット内のいかなるシンボルにも位置し得る。例えば、図５の実施例において、ＣＯＲＥＳＥＴ＃１はスロットの最初のシンボルから始まり、ＣＯＲＥＳＥＴ＃２はスロットの５番目のシンボルから始まり、ＣＯＲＥＳＥＴ＃９はスロットの９番目のシンボルから始まる。
【００５７】
図７は、３ＧＰＰ  ＮＲシステムにおけるＰＤＣＣＨ探索空間を設定する方法を示す図である。
端末にＰＤＣＣＨを伝送するために、各ＣＯＲＥＳＥＴには少なくとも一つ以上の探索空間が存在する。本発明の実施例において、探索空間は端末のＰＤＣＣＨが伝送される全ての時間−周波数資源（以下、ＰＤＣＣＨ候補）の集合である。探索空間は、３ＧＰＰ  ＮＲの端末が共通に探索すべき共通探索空間（ｃｏｍｍｏｎ  ｓｅａｒｃｈ  ｓｐａｃｅ）と、特定端末が探索すべき端末−特定探索空間（ｔｅｒｍｉｎａｌ−ｓｐｅｃｉｆｉｃ  ｏｒ  ＵＥ−ｓｐｅｃｉｆｉｃ  ｓｅａｒｃｈ  ｓｐａｃｅ）を含む。共通探索空間では、同一基地局に属するセルにおける全ての端末が共通に探すように設定されているＰＤＣＣＨをモニタリングする。また、端末−特定探索空間は、端末に応じて互いに異なる探索空間の位置で、各端末に割り当てられたＰＤＣＣＨをモニタリングするように端末別に設定される。端末−特定探索空間の場合、ＰＤＣＣＨが割り当てられる制限された制御領域のため、端末間の探索空間が部分的に重なって割り当てられている可能性がある。ＰＤＣＣＨをモニタリングすることは、探索空間内のＰＤＣＣＨ候補をブラインドデコーディングすることを含む。ブラインドデコーディングに成功した場合をＰＤＣＣＨが（成功的に）検出／受信されたと表現し、ブラインドデコーディングに失敗した場合をＰＤＣＣＨが未検出／未受信されたと表現か、成功的に検出／受信されていないと表現する。
【００５８】
説明の便宜上、一つ以上の端末に下りリンク制御情報を伝送するために、一つ以上の端末が既に知っているグループ共通（ｇｒｏｕｐ  ｃｏｍｍｏｎ、ＧＣ）ＲＮＴＩでスクランブルされたＰＤＣＣＨをグループ共通（ＧＣ）ＰＤＣＣＨ、または共通ＰＤＣＣＨと称する。また、一つの特定端末に上りリンクスケジューリング情報または下りリンクスケジューリング情報を伝送するために、特定端末が既に知っている端末−特定ＲＮＴＩでスクランブルされたＰＤＣＣＨを端末−特定ＰＤＣＣＨと称する。前記共通ＰＤＣＣＨは共通探索空間に含まれ、端末−特定ＰＤＣＣＨは共通探索空間または端末−特定ＰＤＣＣＨに含まれる。
【００５９】
基地局は、ＰＤＣＣＨを介して伝送チャネルであるＰＣＨ（ｐａｇｉｎｇ  ｃｈａｎｎｅｌ）及びＤＬ−ＳＣＨ（ｄｏｗｎｌｉｎｋ−ｓｈａｒｅｄ  ｃｈａｎｎｅｌ）の資源割当に関する情報（つまり、ＤＬ  Ｇｒａｎｔ）、またはＵＬ−ＳＣＨ の資源割当とＨＡＲＱ（ｈｙｂｒｉｄ  ａｕｔｏｍａｔｉｃ  ｒｅｐｅａｔ  ｒｅｑｕｅｓｔ）に関する情報（つまり、ＵＬ  Ｇｒａｎｔ）を各端末または端末グループに知らせる。基地局は、ＰＣＨ伝送ブロック、及びＤＬ−ＳＣＨ伝送ブロックをＰＤＳＣＨを介して伝送する。基地局は、特定制御情報または特定サービスデータを除いたデータをＰＤＳＣＨを介して伝送する。また、端末は、特定制御情報または特定サービスデータを除いたデータをＰＤＳＣＨを介して受信する。
【００６０】
基地局は、ＰＤＳＣＨのデータがいかなる端末（一つまたは複数の端末）に伝送されるのか、該当端末がいかにＰＤＳＣＨデータを受信しデコーディングすべきなのかに関する情報をＰＤＣＣＨに含ませて伝送する。例えば、特定ＰＤＣＣＨを介して伝送されるＤＣＩが「Ａ」というＲＮＴＩでＣＲＣマスキングされており、そのＤＣＩが「Ｂ」という無線資源（例えば、周波数位置）にＰＤＳＣＨが割り当てられていることを指示し、「Ｃ」という伝送形式情報（例えば、伝送ブロックのサイズ、変調方式、コーディング情報など）を指示すると仮定する。端末は、自らが有するＲＮＴＩ情報を利用してＰＤＣＣＨをモニタリングする。この場合、「Ａ」ＲＮＴＩを使用してＰＤＣＣＨをブラインドデコーディングする端末があれば、該当端末はＰＤＣＣＨを受信し、受信したＰＤＣＣＨの情報を介して「Ｂ」と「Ｃ」によって指示されるＰＤＳＣＨを受信する。
【００６１】
表３は、無線通信システムで使用されるＰＵＣＣＨの一実施例を示す。
【００６２】
【表３】
2021534643.tif 000011
ＰＵＣＣＨは、以下の上りリンク制御情報（ＵＣＩ）を伝送するのに使用される。
−ＳＲ（Ｓｃｈｅｄｕｌｉｎｇ  Ｒｅｑｕｅｓｔ）：上りリンクＵＬ−ＳＣＨ資源を要請するのに使用される情報である。
【００６３】
−ＨＡＲＱ−ＡＣＫ：（ＤＬ  ＳＰＳ  ｒｅｌｅａｓｅを指示する）ＰＤＣＣＨに対する応答及び／またはＰＤＳＣＨ上の上りリンク伝送ブロック（ｔｒａｎｓｐｏｒｔ  ｂｌｏｃｋ、ＴＢ）に対する応答である。ＨＡＲＱ−ＡＣＫは、ＰＤＣＣＨまたはＰＤＳＣＨを介して伝送された情報の受信可否を示す。ＨＡＲＱ−ＡＣＫ応答は、ポジティブＡＣＫ（簡単に、ＡＣＫ）、ネガティブＡＣＫ（以下、ＮＡＣＫ）、ＤＴＸ（Ｄｉｓｃｏｎｔｉｎｕｏｕｓ  Ｔｒａｎｓｍｉｓｓｉｏｎ）、またはＮＡＣＫ／ＤＴＸを含む。ここで、ＨＡＲＱ−ＡＣＫという用語は、ＨＡＲＱ−ＡＣＫ／ＮＡＣＫ、ＡＣＫ／ＮＡＣＫと混用される。一般に、ＡＣＫはビット値１で表され、ＮＡＣＫはビット値０で表される。
【００６４】
−ＣＳＩ：下りリンクチャネルに対するフィードバック情報である。基地局が伝送するＣＳＩ−ＲＳ（Ｒｅｆｅｒｅｎｃｅ  Ｓｉｇｎａｌ）に基づいて端末が生成する。ＭＩＭＯ（ｍｕｌｔｉｐｌｅ  ｉｎｐｕｔ  ｍｕｌｔｉｐｌｅ  ｏｕｔｐｕｔ）−関連フィードバック情報は、ＲＩ及びＰＭＩを含む。ＣＳＩは、ＣＳＩが示す情報に応じてＣＳＩパート１とＣＳＩパート２に分けられる。
【００６５】
３ＧＰＰ  ＮＲシステムでは、多様なサービスシナリオと多様なチャネル環境、及びフレーム構造を支援するために、５つのＰＵＣＣＨフォーマットが使用される。
【００６６】
ＰＵＣＣＨフォーマット０は、１ビットまたは２ビットＨＡＲＱ−ＡＣＫ情報またはＳＲを伝達するフォーマットである。ＰＵＣＣＨフォーマット０は、時間軸に１つまたは２つのＯＦＤＭシンボルと、周波数軸に１つのＲＢを介して伝送される。ＰＵＣＣＨフォーマット０が２つのＯＦＤＭシンボルで伝送されれば、２つのシンボルに同じシーケンスが互いに異なるＲＢで伝送される。これを介し、端末は周波数ダイバーシティゲイン（ｄｉｖｅｒｓｉｔｙ  ｇａｉｎ）を得る。より詳しくは、端末はＭｂｉｔビットＵＣＩ（Ｍｂｉｔ＝１ｏｒ２）に応じてサイクリックシフト（ｃｙｃｌｉｃ  ｓｈｉｆｔ）の値ｍｃｓを決定し、長さ１２のベースシーケンス（ｂａｓｅ  ｓｅｑｕｅｎｃｅ）を決められた値ｍｃｓでサイクリックシフトしたシーケンスを、１つのＯＦＤＭシンボル及び１つのＰＲＢの１２個のＲＥｓにマッピングして伝送する。端末が使用可能なサイクリックシフトの個数が１２個で、Ｍｂｉｔ＝１であれば、１ｂｉｔ  ＵＣＩ０と１は、サイクリックシフト値の差が６である２つのサイクリックシフトに当たるシーケンスで示される。また、Ｍｂｉｔ＝２であれば、２ｂｉｔ  ＵＣＩ００、０１、１１、１０は、サイクリックシフト値の差が３である４つのサイクリックシフトに当たるシーケンスで示される。
【００６７】
ＰＵＣＣＨフォーマット１は、１ビットまたは２ビットＨＡＲＱ−ＡＣＫ情報またはＳＲを伝達する。ＰＵＣＣＨフォーマット１は、時間軸に連続的なＯＦＤＭシンボルと、周波数軸に１つのＰＲＢを介して伝送される。ここで、ＰＵＣＣＨフォーマット１が占めるＯＦＤＭシンボルの数は４〜１４のうち一つである。より詳しくは、Ｍｂｉｔ＝１であるＵＣＩはＢＰＳＫでモジュレーションされる。端末は、Ｍｂｉｔ＝２であるＵＣＩをＱＰＳＫ（ｑｕａｄｒａｔｕｒｅ  ｐｈａｓｅ  ｓｈｉｆｔ  ｋｅｙｉｎｇ）でモジュレーションされる。モジュレーションされた複素数シンボル（ｃｏｍｐｌｅｘ  ｖａｌｕｅｄ  ｓｙｍｂｏｌ）ｄ（０）に長さ１２のシーケンスをかけて信号を得る。端末は、得られた信号をＰＵＣＣＨフォーマット１が割り当てられた偶数番目のＯＦＤＭシンボルに、時間軸ＯＣＣ（ｏｒｔｈｏｇｏｎａｌ  ｃｏｖｅｒ  ｃｏｄｅ）でスプレッディング（ｓｐｒｅａｄｉｎｇ）して伝送する。ＰＵＣＣＨフォーマット１は、使用するＯＣＣの長さに応じて同じＲＢで多重化される互いに異なる端末の最大個数が決めあれる。ＰＵＣＣＨフォーマット１の奇数番目ＯＦＤＭシンボルには、ＤＭＲＳ（ｄｅｍｏｄｕｌａｔｉｏｎ  ｒｅｆｅｒｅｎｃｅ  ｓｉｇｎａｌ）がＯＣＣでスプレッディングされてマッピングされる。
【００６８】
ＰＵＣＣＨフォーマット２は、２ビットを超過するＵＣＩを伝達する。ＰＵＣＣＨフォーマット２は、時間軸に１つまたは２つのＯＦＤＭシンボルと、周波数軸に１つまたは複数個のＲＢを介して伝送される。ＰＵＣＣＨフォーマット２が２つのＯＦＤＭシンボルで伝送されれば、２つのＯＦＤＭシンボルを介して同じシーケンスが互いに異なるＲＢで伝送される。これを介し、端末は周波数ダイバーシティゲインを得る。より詳しくは、ＭｂｉｔビットＵＣＩ（Ｍｂｉｔ＞２）はビット−レベルスクランブリングされ、ＱＰＳＫモジュレーションされて１つまたは２つのＯＦＤＭシンボル（ら）のＲＢ（ら）にマッピングされる。ここで、ＲＢの数は１〜１６のうち一つである。
【００６９】
ＰＵＣＣＨフォーマット３またはＰＵＣＣＨフォーマット４は、２ビットを超過するＵＣＩを伝達する。ＰＵＣＣＨフォーマット３またはＰＵＣＣＨフォーマット４は、時間軸に連続的なＯＦＤＭシンボルと、周波数軸に１つのＰＲＢを介して伝送される。ＰＵＣＣＨフォーマット３またはＰＵＣＣＨフォーマット４が占めるＯＦＤＭシンボルの数は４〜１４のうち一つである。詳しくは、端末は、ＭｂｉｔビットＵＣＩ（Ｍｂｉｔ＞２）をπ／２−ＢＰＳＫ（Ｂｉｎａｒｙ  Ｐｈａｓｅ  Ｓｈｉｆｔ  Ｋｅｙｉｎｇ）またはＱＰＳＫでモジュレーションし、複素数シンボルｄ（０）〜ｄ（Ｍｓｙｍｂ−１）を生成する。ここで、π／２−ＢＰＳＫを使用するとＭｓｙｍｂ＝Ｍｂｉｔであり、ＱＰＳＫを使用するとＭｓｙｍｂ＝Ｍｂｉｔ／２である。端末は、ＰＵＣＣＨフォーマット３にブロック−単位スプレディングを適用しない。但し、端末は、ＰＵＣＣＨフォーマット４が２つまたは４つの多重化容量（ｍｕｌｔｉｐｌｅｘｉｎｇ  ｃａｐａｃｉｔｙ）を有するように、長さ−１２のＰｒｅＤＦＴ−ＯＣＣを使用して１つのＲＢ（つまり、１２ｓｕｂｃａｒｒｉｅｒｓ）にブロック−単位スプレディングを適用してもよい。端末は、スプレディングされた信号を伝送プリコーディング（ｔｒａｎｓｍｉｔ  ｐｒｅｃｏｄｉｎｇ）（またはＤＦＴ−ｐｒｅｃｏｄｉｎｇ）し、各ＲＥにマッピングして、スプレディングされた信号を伝送する。
【００７０】
この際、ＰＵＣＣＨフォーマット２、ＰＵＣＣＨフォーマット３、またはＰＵＣＣＨフォーマット４が占めるＲＢの数は、端末が伝送するＵＣＩの長さと最大コードレート（ｃｏｄｅ  ｒａｔｅ）に応じて決定される。端末がＰＵＣＣＨフォーマット２を使用すれば、端末はＰＵＣＣＨを介してＨＡＲＱ−ＡＣＫ情報及びＣＳＩ情報を共に伝送する。もし、端末が伝送し得るＲＢの数がＰＵＣＣＨフォーマット２、ＰＵＣＣＨフォーマット３、またはＰＵＣＣＨフォーマット４が使用し得る最大ＲＢの数より大きければ、端末はＵＣＩ情報の優先順位に応じて一部のＵＣＩ情報は伝送せず、残りのＵＣＩ情報のみ伝送する。
【００７１】
ＰＵＣＣＨフォーマット１、ＰＵＣＣＨフォーマット３、またはＰＵＣＣＨフォーマット４がスロット内で周波数ホッピング（ｆｒｅｑｕｅｎｃｙ  ｈｏｐｐｉｎｇ）を指示するように、ＲＲＣ信号を介して構成される。周波数ホッピングが構成される際、周波数ホッピングするＲＢのインデックスはＲＲＣ信号からなる。ＰＵＣＣＨフォーマット１、ＰＵＣＣＨフォーマット３、またはＰＵＣＣＨフォーマット４が時間軸でＮ個のＯＦＤＭシンボルにわたって伝送されれば、最初のホップ（ｈｏｐ）はｆｌｏｏｒ（Ｎ／２）個のＯＦＤＭシンボルを有し、２番目のホップはｃｅｉｌ（Ｎ／２）個のＯＦＤＭシンボルを有する。
【００７２】
ＰＵＣＣＨフォーマット１、ＰＵＣＣＨフォーマット３、またはＰＵＣＣＨフォーマット４は、複数のスロットに繰り返し伝送さ得るように構成される。この際、ＰＵＣＣＨが繰り返し伝送されるスロットの個数ＫはＲＲＣ信号によって構成される。繰り返し伝送されるＰＵＣＣＨは、各スロット内で同じ位置のＯＦＤＭシンボルから始まり、同じ長さを有するべきである。端末がＰＵＣＣＨを伝送すべきスロットのＯＦＤＭシンボルのうちいずれか一つのＯＦＤＭシンボルでもＲＲＣ信号によってＤＬシンボルと指示されれば、端末はＰＵＣＣＨを該当スロットから伝送せず、次のスロットに延期して伝送する。
【００７３】
一方、３ＧＰＰ  ＮＲシステムにおいて、端末はキャリア（またはセル）の帯域幅より小さいか同じ帯域幅を利用して送受信を行う。そのために、端末はキャリア帯域幅のうち一部の連続的な帯域幅からなるＢＷＰ（ｂａｎｄｗｉｄｔｈ  ｐａｒｔ）を構成される。ＴＤＤに応じて動作するかまたはアンペアドスペクトルで動作する端末は、一つのキャリア（またはセル）に最大４つのＤＬ／ＵＬ  ＢＷＰペア（ｐａｉｒｓ）を構成される。また、端末は一つのＤＬ／ＵＬ  ＢＷＰペアを活性化する。ＦＤＤに応じて動作するかまたはペアドスペクトルで動作する端末は、下りリンクキャリア（またはセル）に最大４つのＤＬ  ＢＷＰを構成され、上りリンクキャリア（またはセル）に最大４つのＵＬ  ＢＷＰを構成される。端末は、各キャリア（またはセル）ごとに一つのＤＬ  ＢＷＰとＵＬ  ＢＷＰを活性化する。端末は、活性化されたＢＷＰ以外の時間−周波数資源から受信するか送信しなくてもよい。活性化されたＢＷＰをアクティブＢＷＰと称する。
【００７４】
基地局は、端末が構成されたＢＷＰのうち活性化されたＢＷＰをＤＣＩと称する。ＤＣＩで指示したＢＷＰは活性化され、他の構成されたＢＷＰ（ら）は非活性化される。ＴＤＤで動作するキャリア（またはセル）において、基地局は端末のＤＬ／ＵＬ  ＢＷＰペアを変えるために、ＰＤＳＣＨまたはＰＵＳＣＨをスケジューリングするＤＣＩに活性化されるＢＷＰを指示するＢＰＩ（ｂａｎｄｗｉｄｔｈ  ｐａｒｔ  ｉｎｄｉｃａｔｏｒ）を含ませる。 端末は、ＰＤＳＣＨまたはＰＵＳＣＨをスケジューリングするＤＣＩを受信し、ＢＰＩに基づいて活性化されるＤＬ／ＵＬ  ＢＷＰペアを識別する。ＦＤＤで動作する下りリンクキャリア（またはセル）の場合、基地局は端末のＤＬ  ＢＷＰを変えるために、ＰＤＳＣＨをスケジューリングするＤＣＩに活性化されるＢＷＰを知らせるＢＰＩを含ませる。ＦＤＤで動作する上りリンクキャリア（またはセル）の場合、基地局は端末のＵＬ  ＢＷＰを変えるために、ＰＵＳＣＨをスケジューリングするＤＣＩに活性化されるＢＷＰを指示するＢＰＩを含ませる。
【００７５】
図８は、キャリア集成を説明する概念図である。キャリア集成とは、無線通信システムがより広い周波数帯域を使用するために、端末が上りリンク資源（またはコンポーネントキャリア）及び／または下りリンク資源（またはコンポーネントキャリア）からなる周波数ブロック、または（論理的意味の）セルを複数個使用して一つの大きい論理周波数帯域で使用する方法を意味する。以下では説明の便宜上、コンポーネントキャリアという用語に統一する。
【００７６】
図８を参照すると、３ＧＰＰ  ＮＲシステムの一例示として、全体システム帯域は最大１６個のコンポーネントキャリアを含み、それぞれのコンポーネントキャリアは最大４００ＭＨｚの帯域幅を有する。コンポーネントキャリアは、一つ以上の物理的に連続するサブキャリアを含む。図８ではそれぞれのコンポーネントキャリアがいずれも同じ帯域幅を有するように示したが、これは例示に過ぎず、それぞれのコンポーネントキャリアは互いに異なる帯域幅を有してもよい。また、それぞれのコンポーネントキャリアは周波数軸で互いに隣接しているように示したが、前記図面は論理的な概念で示したものであって、それぞれのコンポーネントキャリアは物理的に互いに隣接してもよく、離れていてもよい。
【００７７】
それぞれのコンポーネントキャリアにおいて、互いに異なる中心周波数が使用される。また、物理的に隣接したコンポーネントキャリアにおいて、共通した一つの中心周波数が使用される。図８の実施例において、全てのコンポーネントキャリアが物理的に隣接していると仮定すれば、全てのコンポーネントキャリアで中心周波数Ａが使用される。また、それぞれのコンポーネントキャリアが物理的に隣接していないと仮定すれば、コンポーネントキャリアそれぞれにおいて中心周波数Ａ、中心周波数Ｂが使用される。
【００７８】
キャリア集成で全体のシステム帯域が拡張されれば、各端末との通信に使用される周波数帯域はコンポーネントキャリア単位に定義される。端末Ａは全体のシステム帯域である１００ＭＨｚを使用し、５つのコンポーネントキャリアをいずれも使用して通信を行う。端末Ｂ１〜Ｂ５は２０ＭＨｚの帯域幅のみを使用し、一つのコンポーネントキャリアを使用して通信を行う。端末Ｃ１及びＣ２は４０ＭＨｚの帯域幅のみを使用し、それぞれ２つのコンポーネントキャリアを利用して通信を行う。２つのコンポーネントキャリアは、論理／物理的に隣接するか隣接しない。図８の実施例では、端末Ｃ１が隣接していない２つのコンポーネントキャリアを使用し、端末Ｃ２が隣接した２つのコンポーネントキャリアを使用する場合を示す。
【００７９】
図９は、端末キャリア通信と多重キャリア通信を説明するための図である。特に、図９（ａ）は単一キャリアのサブフレーム構造を示し、図９（ｂ）は多重キャリアのサブフレーム構造を示す。
【００８０】
図９（ａ）を参照すると、一般的な無線通信システムはＦＤＤモードの場合一つのＤＬ帯域とそれに対応する一つのＵＬ帯域を介してデータ伝送または受信を行う。他の具体的な実施例において、無線通信システムはＴＤＤモードの場合、無線フレームを時間ドメインで上りリンク時間ユニットと下りリンク時間ユニットに区分し、上り／下りリンク時間ユニットを介してデータ伝送または受信を行う。図９（ｂ）を参照すると、ＵＬ及びＤＬにそれぞれ３つの２０ＭＨｚコンポーネントキャリア（ｃｏｍｐｏｎｅｎｔ  ｃａｒｒｉｅｒ、ＣＣ）が集まって、６０ＭＨｚの帯域幅が支援される。それぞれのＣＣは、周波数ドメインで互いに隣接するか非−隣接する。図９（ｂ）は、便宜上ＵＬ  ＣＣの帯域幅とＤＬ  ＣＣの帯域幅がいずれも同じで対称な場合を示したが、各ＣＣの帯域幅は独立的に決められてもよい。また、ＵＬ  ＣＣの個数とＤＬ  ＣＣの個数が異なる非対称のキャリア集成も可能である。ＲＲＣを介して特定端末に割当／構成されたＤＬ／ＵＬ  ＣＣを特定端末のサービング（ｓｅｒｖｉｎｇ）ＤＬ／ＵＬ  ＣＣと称する。
【００８１】
基地局は、端末のサービングＣＣのうち一部または全部と活性化（ａｃｔｉｖａｔｅ）するか一部のＣＣを非活性化（ｄｅａｃｔｉｖａｔｅ）して、端末と通信を行う。基地局は、活性化／非活性化されるＣＣを変更してもよく、活性化／非活性化されるＣＣの個数を変更してもよい。基地局が端末に利用可能なＣＣをセル−特定または端末−特定に割り当てると、端末に対するＣＣ割当が全面的に再構成されるか端末がハンドオーバー（ｈａｎｄｏｖｅｒ）しない限り、一旦割り当てられたＣＣのうち少なくとも一つは非活性化されなくてもよい。端末に非活性化されない一つのＣを主ＣＣ（ｐｒｉｍａｒｙ  ＣＣ、ＰＣＣ）またはＰＣｅｌｌ（ｐｒｉｍａｒｙ  ｃｅｌｌ）と称し、基地局が自由に活性化／非活性化されるＣＣを副ＣＣ（ｓｅｃｏｎｄａｒｙ  ＣＣ、ＳＣＣ）またはＳＣｅｌｌ（ｓｅｃｏｎｄａｒｙ  ｃｅｌｌ）と称する。
【００８２】
一方、３ＧＰＰ  ＮＲは無線資源を管理するためにセル（ｃｅｌｌ）の概念を使用する。セルは、下りリンク資源と上りリンク資源の組み合わせ、つまり、ＤＬ  ＣＣとＵＬ  ＣＣの組み合わせと定義される。セルは、ＤＬ資源単独、またはＤＬ資源とＵＬ資源の組み合わせからなる。キャリア集成が支援されれば、ＤＬ資源（または、ＤＬ  ＣＣ）のキャリア周波数とＵＬ資源（または、ＵＬ  ＣＣ）のキャリア周波数との間のリンケージ（ｌｉｎｋａｇｅ）はシステム情報によって指示される。キャリア周波数とは、各セルまたはＣＣの中心周波数を意味する。ＰＣＣに対応するセルをＰＣｅｌｌと称し、ＳＣＣに対応するセルをＳＣｅｌｌと称する。下りリンクにおいてＰＣｅｌｌに対応するキャリアはＤＬ  ＰＣＣであり、上りリンクにおいてＰＣｅｌｌに対応するキャリアはＵＬ  ＰＣＣである。類似して、下りリンクにおいてＳＣｅｌｌに対応するキャリアはＤＬ  ＳＣＣであり、上りリンクにおいてＳＣｅｌｌに対応するキャリアはＵＬ  ＳＣＣである。端末性能（ｃａｐａｃｉｔｙ）に応じて、サービングセル（ら）は一つのＰＣｅｌｌと０以上のＳＣｅｌｌからなる。ＲＲＣ＿ＣＯＮＮＥＣＴＥＤ状態にあるがキャリア集成が設定されていないか、キャリア集成を支援しないＵＥの場合、ＰＣｅｌｌのみからなるサービングセルがたった一つ存在する。
【００８３】
上述したように、キャリア集成で使用されるセルという用語は、一つの基地局または一つのアンテナグループによって通信サービスが提供される一定の地理的領域を称するセルという用語とは区分される。但し、一定の地理的領域を称するセルとキャリア集成のセルを区分するために、本発明ではキャリア集成のセルをＣＣと称し、地理的領域のセルをセルと称する。
【００８４】
図１０は、クロスキャリアスケジューリング技法が適用される例を示す図である。クロスキャリアスケジューリングが設定されれば、第１ＣＣを介して伝送される制御チャネルはキャリア指示子フィールド（ｃａｒｒｉｅｒ  ｉｎｄｉｃａｔｏｒ  ｆｉｅｌｄ、ＣＩＦ）を利用して、第１ＣＣまたは第２ＣＣを介して伝送されるデータチャネルをスケジューリングする。ＣＩＦはＤＣＩ内に含まれる。言い換えると、スケジューリングセル（ｓｃｈｅｄｕｌｉｎｇ  ｃｅｌｌ）が設定され、スケジューリングセルのＰＤＣＣＨ領域から伝送されるＤＬグラント／ＵＬグラントは、被スケジューリングセル（ｓｃｈｅｄｕｌｅｄ  ｃｅｌｌ）のＰＤＳＣＨ／ＰＵＳＣＨをスケジューリングする。つまり、複数のコンポーネントキャリアに対する検索領域がスケジューリングセルのＰＤＣＣＨ領域が存在する。ＰＣｅｌｌは基本的にスケジューリングセルであり、特定ＳＣｅｌｌが上位階層によってスケジューリングセルと指定される。
【００８５】
図１０の実施例では、３つのＤＬ  ＣＣが併合されていると仮定する。ここで、ＤＬコンポーネントキャリア＃０はＤＬ  ＰＣＣ（または、ＰＣｅｌｌ）と仮定し、ＤＬコンポーネントキャリア＃１及びＤＬコンポーネントキャリア＃２はＤＬ  ＳＣＣ（または、ＳＣｅｌｌ）と仮定する。また、ＤＬ  ＰＣＣがＰＤＣＣＨモニタリングＣＣと設定されていると仮定する。端末−特定（または端末−グループ−特定、またはセル−特定）上位階層シグナリングによってクロスキャリアスケジューリングを構成しなければＣＩＦがディスエーブル（ｄｉｓａｂｌｅ）となり、それぞれのＤＬ  ＣＣはＮＲ  ＰＤＣＣＨ規則に従ってＣＩＦなしに自らのＰＤＳＣＨをスケジューリングするＰＤＣＣＨのみを伝送する（ノン−クロス−キャリアスケジューリング、セルフ−キャリアスケジューリング）。それに対し、端末−特定（または端末−グループ−特定、またはセル−特定）上位階層シグナリングによってクロスキャリアスケジューリングを構成すればＣＩＦがイネーブル（ｅｎｓａｂｌｅ）となり、特定のＣＣ（例えば、ＤＬ  ＰＣＣ）はＣＩＦを利用してＤＬ  ＣＣ  ＡのＰＤＳＣＨをスケジューリングするＰＤＣＣＨのみならず、他のＣＣのＰＤＳＣＨをスケジューリングするＰＤＣＣＨも伝送する（クロス−キャリアスケジューリング）。それに対し、他のＤＬ  ＣＣではＰＤＣＣＨが伝送されない。よって、端末は端末にクロスキャリアスケジューリングが構成されているのか否かに応じて、ＣＩＦを含まないＰＤＣＣＨをモニタリングしてセルフキャリアスケジューリングされたＰＤＳＣＨを受信するか、ＣＩＦを含むＰＤＣＣＨをモニタリングしてクロスキャリアスケジューリングされたＰＤＳＣＨを受信する。
【００８６】
一方、図９及び図１０は、３ＧＰＰ  ＬＴＥ−Ａシステムのサブフレーム構造を例示しているが、これと同じまたは類似した構成が３ＧＰＰ  ＮＲシステムにも適用可能である。但し、３ＧＰＰ  ＮＲシステムにおいて、図９及び図１０のサブフレームはスロットに切り替えられる。
【００８７】
本発明において、一つのスロットに含まれたシンボルの数はｎｏｒｍａｌ  ＣＰ（ｃｙｃｌｉｃ  ｐｒｅｆｉｘ）からなるセルであれば１４であり、ｅｘｔｅｎｄｅｄ  ＣＰからなるセルであれば１２であるが、説明の便宜上、７つのシンボルと仮定して説明する。
【００８８】
図１１は、本発明の実施例によるコードブロックグループ（ＣＢＧ）の構成及びそれの時間周波数資源マッピングを示す図である。より詳しくは、図１１（ａ）は一つの伝送ブロック（ＴＢ）に含まれたＣＢＧ構成の一実施例を示し、図１１（ｂ）は該当ＣＢＧ構成の時間周波数資源マッピングを示す。
【００８９】
チャネル符号は、最大支援可能な長さが定義されている。例えば、３ＧＰＰ  ＬＴＥ（−Ａ）で使用されるターボコードの最大支援長さは６１４４ビットである。しかし、ＰＤＳＣＨで伝送される伝送ブロック（ＴＢ）の長さは６１４４ビットより長くてもよい。もしＴＢの長さが最大支援長さより長ければ、ＴＢは最大６１４４ビット長さのコードブロック（ＣＢ）に分けられる。各ＣＢはチャネル符号化が行われる単位である。更に、効率的な再伝送のために、いくつかのＣＢを束ねて一つのＣＢＧを構成してもよい。端末と基地局は、ＣＢＧがいかに構成されているのかに関する情報を必要とする。
【００９０】
ＴＢ内において、ＣＢＧ及びＣＢは多様な実施例によって構成される。一実施例によると、使用可能なＣＢＧの個数が固定された値に決められるか、基地局と端末との間にＲＲＣ構成情報として構成される。この際、ＴＢの長さに応じてＣＢの個数が決定され、ＣＢＧは前記決められた個数情報に応じて設定される。他の実施例によると、一つのＣＢＧに含まれるＣＢの個数が固定された値に決められるか、基地局と端末との間にＲＲＣ構成情報として構成されてもよい。この際、ＴＢの長さに応じてＣＢの個数が決定されれば、ＣＢＧの個数は一つのＣＢＧ当たりＣＢの個数情報に応じて設定される。
【００９１】
図１１（ａ）にの実施例を参照すると、一つのＴＢは８つのＣＢに分けられる。８つのＣＢは、更に４つのＣＢＧに束ねられる。このようなＣＢとＣＢＧのマッピング関係（または、ＣＢＧ構成）は、基地局と端末との間に静的（ｓｔａｔｉｃ）に設定されるか、ＲＲＣ構成情報として半静的（ｓｅｍｉ−ｓｔａｔｉｃ）に設定される。他の実施例によると、前記マッピング関係は、ダイナミックシグナリングを介して設定される。基地局が伝送したＰＤＣＣＨを端末が受信すれば、端末はＣＢとＣＢＧのマッピング関係（または、ＣＢＧ構成）を明示的情報及び／または黙示的情報を介して直間接的に識別する。一つのＣＢＧは一つのＣＢのみを含んでもよく、一つのＴＢを構成する全てのＣＢを含んでもよい。ちなみに、本発明の実施例で提案する技法は、ＣＢとＣＢＧの構成に関係なく適用される。
【００９２】
図１１（ｂ）を参照すると、一つのＴＢを構成するＣＢＧは、ＰＤＳＣＨがスケジューリングされた時間−周波数資源にマッピングされる。一実施例によると、各ＣＢＧは周波数軸に先に割り当てられてから、時間軸に拡張される。４つのＣＢＧを含む１つのＴＢからなるＰＤＳＣＨが７つのＯＤＦＭシンボルに割り当てられれば、ＣＢＧ０は最初及び２番目のＯＦＤＭシンボルにわたって伝送され、ＣＢＧ１は２番目、３番目、及び４番目のＯＦＤＭシンボルにわたって伝送され、ＣＢＧ２は４番目、５番目、及び６番目のＯＦＤＭシンボルにわたって伝送され、ＣＢＧ３は６番目及び７番目のＯＦＤＭシンボルにわたって伝送される。このようなＣＢＧとＰＤＳＣＨで割り当てられた時間−周波数マッピング関係は端末の間に決められている。但し、図１１（ｂ）に示したマッピング関係は本発明を説明するための一実施例であり、本発明の実施例で提案する技法は、ＣＢＧの時間−周波数マッピング関係とは関係なく適用されてもよい。
【００９３】
図１２は、基地局がＴＢ−基盤伝送またはＣＢＧ−基盤伝送を行い、端末がそれに対する応答としてＨＡＲＱ−ＡＣＫの伝送を行う過程を示す図である。図１２を参照すると、基地局はＴＢ−基盤伝送とＣＢＧ−基盤伝送のうち、端末に適合した伝送方式を構成する。端末は、基地局が構成した伝送方式によるＨＡＲＱ−ＡＣＫ情報ビット（ら）をＰＵＣＣＨまたはＰＵＳＣＨで伝送する。基地局は、端末に伝送されるＰＤＳＣＨをスケジューリングするためにＰＤＣＣＨを構成する。ＰＤＣＣＨは、ＴＢ−基盤伝送及び／またはＣＢＧ−基盤伝送をスケジューリングする。例えば、ＰＤＣＣＨでは１つのＴＢまたは２つのＴＢがスケジューリングされる。１つのＴＢがスケジューリングされれば、端末は１−ｂｉｔ  ＨＡＲＱ−ＡＣＫをフィードバックすべきである。もし２つのＴＢがスケジューリングされれば、２つのＴＢそれぞれのための２−ｂｉｔ  ＨＡＲＱ−ＡＣＫをフィードバックすべきである。基地局と端末との間の曖昧さ（ａｍｂｉｇｕｉｔｙ）をなくすために、２−ｂｉｔ  ＨＡＲＱ−ＡＣＫの各情報ビットと２つのＴＢとの間には決められた順番が存在する。ちなみに、ＭＩＭＯ伝送ランクまたはレイヤが低ければ一つのＰＤＳＣＨで１つのＴＢが伝送され、ＭＩＭＯ伝送ランクまたはレイヤが高ければ一つのＰＤＳＣＨで２つのＴＢが伝送される。
【００９４】
端末は、一つのＴＢ当たり１−ｂｉｔ  ＴＢ−基盤ＨＡＲＱ−ＡＣＫを伝送し、各ＴＢの受信成功可否を基地局に知らせる。一つのＴＢに対するＨＡＲＱ−ＡＣＫを生成するために、端末はＴＢ−ＣＲＣを介して該当ＴＢの受信エラー可否を確認する。ＴＢに対するＴＢ−ＣＲＣのチェックに成功したら、端末は該当ＴＢのＨＡＲＱ−ＡＣＫのためにＡＣＫを生成する。しかし、ＴＢに対するＴＢ−ＣＲＣエラーが発生すれば、端末は該当ＴＢのＨＡＲＱ−ＡＣＫのためにＮＡＣＫを生成する。端末は、このように生成されたＴＢ−基盤ＨＡＲＱ−ＡＣＫ（ら）を基地局に伝送する。基地局は端末から受信したＴＢ−基盤ＨＡＲＱ−ＡＣＫ（ら）のうち、ＮＡＣＫが応答されたＴＢを再伝送する。
【００９５】
また、端末は、一つのＣＢＧ当たり１−ｂｉｔ  ＣＢＧ−基盤ＨＡＲＱ−ＡＣＫを伝送し、各ＣＢＧの受信成功可否を基地局に知らせる。一つのＣＢＧに対するＨＡＲＱ−ＡＣＫを生成するために、端末はＣＢＧに含まれた全てのＣＢをデコーディングし、ＣＢ−ＣＲＣを介して該当ＣＢの受信エラー可否を確認する。端末が一つのＣＢＧを構成する全てのＣＢの受信に成功したら（つまり、全てのＣＢ−ＣＲＣのチェックに成功したら）、端末は該当ＣＢＧのＨＡＲＱ−ＡＣＫのためにＡＣＫを生成する。しかし、端末が一つのＣＢＧを構成するＣＢのうち少なくとも一つの受信に成功しなかったら（つまり、少なくとも一つのＣＢ−ＣＲＣエラーが発生すれば）、端末は該当ＣＢＧのＨＡＲＱ−ＡＣＫのためにＮＡＣＫを生成する。端末は、このように生成されたＣＢＧ−基盤ＨＡＲＱ−ＡＣＫ（ら）を基地局に伝送する。基地局は端末から受信したＣＢＧ−基盤ＨＡＲＱ−ＡＣＫ（ら）のうち、ＮＡＣＫが応答されたＣＢＧを再伝送する。一実施例によると、再伝送されるＣＢＧのＣＢ構成は従来に伝送されたＣＢＧのＣＢ構成と同じである。端末が基地局に伝送するＣＢＧ−基盤ＨＡＲＱ−ＡＣＫ情報ビット（ら）の長さは、ＰＤＳＣＨを介して伝送されるＣＢＧの個数、またはＲＲＣ信号からなるＣＢＧの最大個数に基づいて決定される。
【００９６】
一方、端末がＴＢに含まれた全てのＣＢＧの受信に成功した場合にも、該当ＴＢに対するＴＢ−ＣＲＣエラーが発生する可能性がある。この際、端末は該当ＴＢに対する再伝送を要請するためにＣＢＧ−基板ＨＡＲＱ−ＡＣＫのフリッピング（ｆｌｉｐｐｉｎｇ）を行う。つまり、ＴＢに含まれた全てのＣＢＧの受信に成功したにもかかわらず、端末はＣＢＧ−基板ＨＡＲＱ−ＡＣＫ情報ビットをいずれもＮＡＣＫに生成する可能性がある。ＨＡＲＱ−ＡＣＫ情報ビットがいずれもＮＡＣＫであるＣＢＧ−基板ＨＡＲＱ−ＡＣＫフィードバックを受信した基地局は、該当ＴＢの全てもＣＢＧを再伝送する。
【００９７】
本発明の実施例によると、ＴＢの伝送に成功するために、ＣＢＧ−基盤ＨＡＲＱ−ＡＣＫフィードバックが使用される。基地局は端末にＣＢＧ−基盤ＨＡＲＱ−ＡＣＫ伝送を指示する。この際、ＣＢＧ−基盤ＨＡＲＱ−ＡＣＫによる再伝送技法が使用される。ＣＢＧ−基盤ＨＡＲＱ−ＡＣＫは、ＰＵＣＣＨを介して伝送される。また、ＰＵＳＣＨを介してＵＣＩが伝送されるように設定されれば、ＣＧＢ−基盤ＨＡＲＱ−ＡＣＫは該当ＰＵＳＣＨを介して伝送されてもよい。ＰＵＣＣＨにおいて、ＨＡＲＱ−ＡＣＫ資源の設定はＲＲＣ信号を介して構成される。また、ＣＢＧ−基盤で伝送されるＰＤＳＣＨをスケジューリングするＰＤＣＣＨを介して、実際に伝送されるＨＡＲＱ−ＡＣＫ資源が指示される。端末は、ＲＲＣからなるＰＵＣＣＨ資源のうちＰＤＣＣＨを介して指示された一つ以上のＰＵＣＣＨ資源を介し、伝送されたＣＢＧの受信成功可否に対するＨＡＲＱ−ＡＣＫ（ら）を伝送する。
【００９８】
基地局は、端末に伝送されたＣＢＧ（ら）に対する端末の受信成功可否を該当端末のＣＢＧ−基盤ＨＡＲＱ−ＡＣＫフィードバックを介して識別する。つまり、端末から受信された各ＣＢＧに対するＨＡＲＱ−ＡＣＫを介し、基地局は端末が受信に成功したＣＢＧ（ら）と端末が受信に失敗したＣＢＧ（ら）を認知する。基地局は、受信されたＣＢＧ−基盤ＨＡＲＱ−ＡＣＫに基づいてＣＢＧ再伝送を行う。より詳しくは、基地局は、一つのＴＢにおいて受信に失敗したＨＡＲＱ−ＡＣＫが応答されたＣＢＧ（ら）のみを束ねて再伝送する。この際、受信に成功したＨＡＲＱ−ＡＣＫが応答されたＣＢＧ（ら）を再伝送から除外する。基地局は、再伝送されるＣＢＧ（ら）を一つのＰＤＳＣＨにスケジューリングして端末に伝送する。
【００９９】
＜非免許帯域における通信方法＞
図１３は、ＮＲ−Ｕサービス環境を例示する。
図１３を参照すると、免許帯域におけるＮＲ技術１１及び非免許帯域におけるＮＲ技術１２であるＮＲ−Ｕがつなぎ合わせたサービス環境がユーザに提供される。例えば、ＮＲ−Ｕ環境において、免許帯域におけるＮＲ技術１１と非免許帯域におけるＮＲ技術１２はキャリアアグリゲーションなどの技術を利用して統合されるが、これはネットワーク容量の拡張に寄与する。また、上りリンクデータより下りリンクデータの方がより多い非対称のトラフィック構造では、ＮＲ−Ｕは多様な要求や環境に合わせて最適化したＮＲサービスを提供する。便宜上、免許帯域におけるＮＲ技術をＮＲ−Ｌ（ＮＲ−Ｌｉｃｅｎｓｅｄ）と称し、非免許帯域におけるＮＲ技術をＮＲ−Ｕと称する。
【０１００】
図１４は、ＮＲ−Ｕサービス環境における端末と基地局の配置シナリオの一実施例を示す図である。ＮＲ−Ｕサービス環境とターゲットとする周波数帯域は、高周波特性のため無線通信到達距離が長くない。これを考慮すると、従来のＮＲ−ＬサービスとＮＲ−Ｕサービスが共存する環境において、端末と基地局の配置シナリオはオーバーレイモデル（ｏｖｅｒｌａｙ  ｍｏｄｅｌ）またはコ−ロケーテッドモデル（ｃｏ−ｌｏｃａｔｅｄ  ｍｏｄｅｌ）である。
【０１０１】
オーバレイモデルにおいて、マクロ基地局は免許帯域キャリアを利用してマクロ領域３２内のＸ端末及びＸ’端末と無線通信を行い、多数のＲＲＨ（Ｒａｄｉｏ  Ｒｅｍｏｔｅ  Ｈｅａｄ）とＸ２インタフェースを介して連結される。各ＲＲＨは、非免許帯域キャリアを利用して一定領域３１内のＸ端末またはＸ’端末と無線通信を行う。マクロ基地局とＲＲＨ周波数帯域は互いに異なって相互干渉しないが、キャリアアグリゲーションを介してＮＲ−ＵサービスをＮＲ−Ｌサービスの補助的な下りリンクチャネルと使用するために、マクロ基地局とＲＲＨとの間にはＸ２インタフェースを介して速いデータ交換が行われるべきである。
【０１０２】
コ−ロケーテッドモデルにおいて、ピコ／フェムト基地局は、免許帯域キャリアと非免許帯域キャリアを同時に利用してＹ端末と無線通信を行う。但し、ピコ／フェムト基地局がＮＲ−ＬサービスとＮＲ−Ｕサービスを共に使用することは下りリンク伝送の際と制限される。ＮＲ−Ｌサービスのカバレッジ３３とＮＲ−Ｕサービスのカバレッジ３４は、周波数帯域、伝送パワーなどによって異なり得る。
【０１０３】
非免許帯域において、ＮＲ通信を行う場合、該当非免許帯域で通信する従来の装備（例えば、無線ＬＡＮ（Ｗｉ−Ｆｉ装備）などはＮＲ−Ｕメッセージまたはデータを復調することができない。よって、従来の装備はＮＲ−Ｕメッセージまたはデータを一種のエネルギーと判断し、エネルギーディテクション（或いは検出）技法によって干渉回避動作を行う。つまり、ＮＲ−Ｕメッセージまたはデータに対応するエネルギーが−６２ｄＢｍ或いは特定ＥＤ（Ｅｎｅｒｇｙ  Ｄｅｔｅｃｔｉｏｎ）の臨界値より小さければ、無線ＬＡＮ装備は該当メッセージまたはデータを無視して通信する。それによって、非免許帯域でＮＲ通信を行う端末の立場では、無線ＬＡＮ装備によって頻繁に干渉を受ける可能性がある。
【０１０４】
よって、ＮＲ−Ｕ技術／サービスを効果的に具現するために、特定時間の間に特定周波数帯域を割り当てるか、または予約しておく必要がある。しかし、非免許帯域を介して通信する周辺装備がエネルギーディテクション技法に基づいてアクセスを試みるため、効率的なＮＲ−Ｕサービスが難しいという問題点がある。よって、ＮＲ−Ｕ技術が根付くために従来の非免許帯域装置との共存方案、及び効率的に無線チャネルを共有する方案に関する研究が先行すべきである。つまり、ＮＲ−Ｕ装置が従来の非免許帯域装置に影響を及ぼさない強力なメカニズムが開発されるべきである。
【０１０５】
図１５は、従来の非免許帯域で動作する通信方式（例えば、無線ＬＡＮ）を示す図である。非免許帯域で動作する装置は殆どＬＢＴ（Ｌｉｓｔｅｎ−Ｂｅｆｏｒｅ−Ｔａｌｋ）基盤で動作するするため、データを伝送する前にチャネルをセンシングするクリアチャネル評価（Ｃｌｅａｒ  Ｃｈａｎｎｅｌ  Ａｓｓｅｓｓｍｅｎｔ、ＣＣＡ）を行う。
【０１０６】
図１５を参照すると、無線ＬＡＮ装置（例えば、ＡＰ、ＳＴＡ）は、データを伝送する前にキャリアセンシングを行ってチャネルが使用中（ｂｕｓｙ）であるのかをチェックする。データを伝送しようとするチャネルで一定強度以上の無線信号が感知されれば該当チャネルは使用中であると判断され、無線ＬＡＮ装置は該当チャネルに対するアクセスを遅延する。このような過程をクリアチャネル評価といい、信号感知有無を決定するレベルをＣＣＡ臨界値（ＣＣＡ  ｔｈｒｅｓｈｏｌｄ）という。一方、該当チャネルで無線信号が感知されないかＣＣＡ臨界値より小さい強度の無線信号が感知されれば、前記チャネルは遊休（ｉｄｌｅ）状態であると判別される。
【０１０７】
チャネルが遊休状態と判別されれば、伝送するデータがある端末はディファー期間（ｄｅｆｅｒ  ｄｕｒａｔｉｏｎ）（例えば、ＡＩＦＳ（Ａｒｂｉｔｒａｔｉｏｎ  ＩｎｔｅｒＦｒａｍｅ  Ｓｐａｃｅ）、ＰＩＦＳ（ＰＣＦ  ＩＦＳ）の後にバックオフ手順を行う。ディファー期間は、チャネルが遊休状態になった後、端末が待つべき最小時間を意味する。バックオフ手順は、端末をディファー期限の後任意の時間の間更に待たせるようにする。例えば、端末は競争ウィンドウ（Ｃｏｎｔｅｎｔｉｏｎ  Ｗｉｎｄｏｗ、ＣＷ）内で該当端末に割り当てられた乱数（ｒａｎｄｏｍ  ｎｕｍｂｅｒ）分のスロットタイムを前記チャネルが遊休状態の間に減少させながら待機し、スロットタイムをいずれも消尽した端末は該当チャネルに対するアクセスを試みる。
【０１０８】
チャネルのアクセスに成功したら、端末は前記チャネルを介してデータを伝送する。データの伝送に成功したら、競争ウィンドウサイズ（ＣＷＳ）は初期値（ＣＷｍｉｎ）にリセットされる。逆に、データの伝送に失敗したらＣＷＳは２倍に増加する。それによって、端末は以前の乱数範囲の２倍の範囲内で新たな乱数を割り当てられて、次のＣＷでバックオフ手順を行う。無線ＬＡＮでは、データの伝送に対する受信応答情報としてＡＣＫのみ定義されている。よって、データの伝送に対してＡＣＫが受信されればＣＷＳは初期値にリセットされ、データの伝送に対してフィードバック情報がが受信されなければＣＷＳは２倍になる。
【０１０９】
上述したように、従来の非免許帯域における通信は殆どＬＢＴ基盤で動作するため、ＮＲ−Ｕシステムにおけるチャネルアクセスも従来装置と共存するためにＬＢＴを行う。詳しくは、ＮＲにおける非免許帯域上のチャネルアクセス方法は、ＬＢＴの有無／適用方式によって以下の４つのカテゴリに区分される。
●カテゴリ１：ＬＢＴなし
−Ｔｘエンティティ（ｅｎｔｉｔｙ）は伝送のためのＬＢＴ手順を行わない。
●カテゴリ２：ランダムバックオフがないＬＢＴ
【０１１０】
−Ｔｘエンティティは伝送を行うために、ランダムバックオフなしに第１インターバルの間チャネルが遊休状態であるのかをセンシングする。つまり、Ｔｘエンティティは第１インターバルの間チャネルが遊休状態にセンシングされた直後、該当チャネルを介して伝送を行う。前記第１インターバルは、Ｔｘエンティティが伝送を行う直前の予め設定された長さのインターバルである。一実施例によると、第１インターバルは２５ｕｓの長さのインターバルであってもよいが、本発明はこれに限らない。
●カテゴリ３：固定サイズのＣＷを利用してランダムバックオフを行うＬＢＴ
【０１１１】
−Ｔｘエンティティは固定サイズのＣＷ内で乱数を獲得してバックオフカウンター（または、バックオフタイマー）Ｎの初期値に設定し、設定されたバックオフカウンターＮを利用してバックオフを行う。つまり、バックオフ手順において、Ｔｘエンティティはチャネルが予め設定されたスロット期間の間に遊休状態とセンシングされるたびにバックオフカウンターを１ずつ減少させる。ここで、前記予め設定されたスロット期間は９ｕｓであってもよいが、本発明はこれに限らない。バックオフカウンターＮは初期値から１ずつ減少され、バックオフカウンターＮの値が０に到達したら、Ｔｘエンティティは伝送を行う。一方、バックオフを行うために、Ｔｘエンティティは第２インターバル（つまり、ディファー期間Ｔｄ）の間チャネルが遊休状態であるのかを先にセンシングする。本発明の実施例によると、Ｔｘエンティティは第２インターバル内の少なくとも一部の期間（例えば、１つのスロット期間）の間チャネルが遊休状態であるのか否かに応じて、前記第２インターバルの間チャネルが遊休状態であるのか否かをセンシング（または決定）する。第２インターバルはＴｘエンティティのチャネルアクセス優先順位クラスに基づいて設定され、１６ｕｓの期間と連続したｍ個のスロット期間で構成される。ここで、ｍはチャネルアクセス優先順位クラスによって設定された値である。Ｔｘエンティティは、第２インターバルの間チャネルが遊休状態とセンシングされれば、バックオフカウンターを減少させるためのチャネルセンシングを行う。一方、バックオフ手順の途中にチャネルが占有状態とセンシングされれば、バックオフ手順は中断される。バックオフ手順を中断した後、Ｔｘエンティティは追加の第２インターバルの間チャネルが遊休状態とセンシングされれば、バックオフを再開する。このように、Ｔｘエンティティは、第２インターバルに加えてバックオフカウンターＮのスロット期間の間チャネルが遊休状態であれば伝送を行う。この際、バックオフカウンターＮの初期値は固定サイズのＣＷ内で獲得される。
●カテゴリ４：可変サイズのＣＷを利用してランダムバックオフを行うＬＢＴ
【０１１２】
−Ｔｘエンティティは可変サイズのＣＷ内で乱数を獲得してバックオフカウンター（または、バックオフタイマー）Ｎの初期値に設定し、設定されたバックオフカウンターＮを利用してバックオフを行う。より詳しくは、Ｔｘエンティティは以前の伝送に対するＨＡＲＱ−ＡＣＫ情報に基づいてＣＷのサイズを調整するが、バックオフカウンターＮの初期値は調整されたサイズのＣＷ内で獲得される。Ｔｘエンティティがバックオフを行う詳しい過程は、カテゴリ３で説明した通りである。Ｔｘエンティティは、第２インターバルに加えてバックオフカウンターＮのスロット期間の間チャネルが遊休状態であれば伝送を行う。この際、バックオフカウンターＮの初期値は可変サイズのＣＷ内で獲得される。
【０１１３】
前記カテゴリ１乃至４において、Ｔｘエンティティは基地局または端末である。本発明の実施例によって、第１タイプのチャネルアクセスはカテゴリ４のチャネルアクセスを、第２タイプのチャネルアクセスはカテゴリ２のチャネルアクセスをそれぞれ称する。
【０１１４】
図１６は、本発明の実施例によるカテゴリ４ＬＢＴに基づくチャネルアクセス過程を示す図である。
チャネルアクセスを行うために、まず、Ｔｘエンティティは、ディファー期間Ｔｄに対するチャネルセンシングを行うＳ３０２。本発明の実施例によると、Ｓ３０２におけるディファー期間Ｔｄに対するチャネルセンシングは、前記ディファー期間Ｔｄ内の少なくとも一部期間の間のチャネルセンシングを介して行われる。例えば、ディファー期間Ｔｄに対するチャネルセンシングは、前記ディファー期間Ｔｄ内の１つのスロット期間の間のチャネルセンシングを介して行われる。Ｔｘエンティティは、ディファー期間Ｔｄに対するチャネルセンシングを介してチャネルが遊休状態であるのかを確認するＳ３０４。チャネルがディファー期間Ｔｄに対して遊休状態とセンシングされれば、ＴｘエンティティはＳ３０６に進む。チャネルがディファー期間Ｔｄに対して遊休状態とセンシングされなければ（つまり、占有状態とセンシングされれば）、ＴｘエンティティはＳ３０２に戻る。Ｔｘエンティティは、チャネルがディファー期間Ｔｄに対して遊休状態とセンシングされるまで前記Ｓ３０２乃至Ｓ３０４の過程を繰り返す。ディファー期間ＴｄはＴｘエンティティのチャネルアクセス優先順位クラスに基づいて設定され、１６ｕｓの期間と連続したｍ個のスロット期間で構成される。ここで、ｍはチャネルアクセス優先順位クラスによって設定された値である。
【０１１５】
次に、Ｔｘエンティティは予め決定されたＣＷないから乱数を獲得し、バックオフカウンター（またはバックオフタイマー）Ｎの初期値に設定してＳ３０６、Ｓ３０８に進む。バックオフカウンターＮの初期値は、０乃至ＣＷの間の値のうちからランダムに選択される。Ｔｘエンティティは、設定されたバックオフカウンターＮを利用してバックオフ手順を行う。つまり、Ｔｘエンティティは、バックオフカウンターＮの値が０に到達するまでＳ３０８乃至Ｓ３１６の過程を繰り返してバックオフ手順を行う。一方、図１６ではチャネルがディファー期間Ｔｄに対して遊休状態とセンシングされた後でＳ３０６が行われると示されているが、本発明はこれに限らない。つまり、Ｓ３０６はＳ３０２乃至Ｓ３０４と独立して行われてもよく、Ｓ３０２乃至Ｓ３０４より先に行われてもよい。Ｓ３０６がＳ３０２乃至Ｓ３０４より先に行われる場合、Ｓ３０２乃至Ｓ３０４によってチャネルがディファー期間Ｔｄに対して遊休状態とセンシングされれば、ＴｘエンティティはＳ３０８に進む。
【０１１６】
Ｓ３０８において、ＴｘエンティティはバックオフカウンターＮの値が０であるのか確認する。バックオフカウンターＮの値が０であれば、ＴｘエンティティはＳ３２０に進んで伝送を行う。バックオフカウンターＮの値が０ではなければ、ＴｘエンティティはＳ３１０に進む。Ｓ３１０において、ＴｘエンティティはバックオフカウンターＮの値を１だけ減少させる。一実施例によると、Ｔｘエンティティは各スロットに対するチャネルセンシング過程において、選択的にバックオフカウンターの値を１だけ減少させる。この際、Ｔｘエンティティの選択によってＳ１０は少なくとも１回スキップされてもよい。次に、Ｔｘエンティティは追加のスロット期間に対するチャネルセンシングを行うＳ３１２。Ｔｘエンティティは、追加のスロット期間に対するチャネルセンシングを介してチャネルが遊休状態であるのかを確認するＳ３１４。チャネルが追加のスロット期間に対して遊休状態とセンシングされれば、ＴｘエンティティはＳ３０８に戻る。このように、Ｔｘエンティティはチャネルが予め設定されたスロット期間の間に遊休状態とセンシングされるたびにバックオフカウンターを１ずつ減少させる。ここで、前記予め設定されたスロット期間は９ｕｓであってもよいが、本発明はこれに限らない。
【０１１７】
前記Ｓ３１４において、チャネルが追加のスロット期間に対して遊休状態とセンシングされなければ（つまり、占有状態とセンシングされれば）、ＴｘエンティティはＳ３１６に進む。Ｓ３１６において、Ｔｘエンティティはチャネルが追加のディファー期間Ｔｄの間遊休状態であるのか確認する。本発明の実施例によると、Ｓ３１６のチャネルセンシングはスロット単位で行われる。つまり、Ｔｘエンティティは追加のディファー期間Ｔｄの全てのスロット期間の間チャネルが遊休状態とセンシングされるのか否かを確認する。追加のディファー期間Ｔｄ内で占有状態のスロットが検出されれば、Ｔｘエンティティは直ちにＳ３１６を再開始する。追加のディファー期間Ｔｄの全てのスロット期間の間チャネルが遊休状態とセンシングされれば、ＴｘエンティティはＳ３０８に戻る。
【０１１８】
一方、Ｓ３０８において、バックオフカウンターＮの値が０と確認されれば、Ｔｘエンティティは伝送を行うＳ３２０。Ｔｘエンティティは、前記伝送に対応するＨＡＲＱ−ＡＣＫフィードバックを受信するＳ３２２。Ｔｘエンティティは、受信されたＨＡＲＱ−ＡＣＫフィードバックを介して以前の伝送の成功可否を確認する。次に、Ｔｘエンティティは、受信されたＨＡＲＱ−ＡＣＫフィードバックに基づいて次の伝送のためのＣＷサイズを調整するＳ３２４。
【０１１９】
このように、Ｔｘエンティティはディファー期間Ｔｄに対してチャネルを遊休状態とセンシングした後、Ｎ個の追加のスロット期間の間チャネルが遊休であれば伝送を行う。上述したように、Ｔｘエンティティは基地局或いは端末であってもよく、図１６のチャネルアクセス過程は基地局の下りリンク伝送及び／または端末の上りリンク伝送に使用される。
【０１２０】
以下、非免許帯域におけるチャネルアクセスの際にＣＷＳを適応的に調整する方法について提案する。ＣＷＳはＵＥ（Ｕｓｅｒ  Ｅｑｕｉｐｍｅｎｔ）フィードバックに基づいて調整されるが、ＣＷＳ調整に使用されるＵＥフィードバックはＨＡＲＱ−ＡＣＫフィードバック、ＣＱＩ／ＰＭＩ／ＲＩを含む。本発明では、ＨＡＲＱ−ＡＣＫフィードバックに基づいてＣＷＳを適応的に調節する方法について提案する。ＨＡＲＱ−ＡＣＫフィードバックは、ＡＣＫ、ＮＡＣＫ、ＤＴＸ、及びＮＡＣＫ／ＤＴＸのうち少なくとも一つを含む。
【０１２１】
上述したように、無線ＬＡＮシステムにおいてもＣＷＳはＡＣＫに基づいて調整される。ＡＣＫフィードバックが受信されれば、ＣＷＳは最小値（ＣＷｍｉｎ）にリセットされ、ＡＣＫフィードバックが受信されなければＣＷＳは増加する。しかし、セルラーシステムでは多重アクセスを考慮したＣＷＳの調整方法が必要である。
まず、本発明を説明するために、以下のように用語を定義する。
【０１２２】
−ＨＡＲＱ−ＡＣＫフィードバック値のセット（つまり、ＨＡＲＱ−ＡＣＫフィードバックセット）：ＣＷＳのアップデート／調整に使用されるＨＡＲＱ−ＡＣＫフィードバック値（ら）を意味する。ＨＡＲＱ−ＡＣＫフィードバックセットは、ＣＷＳが決定される時間にデコーディングされており、利用可能なＨＡＲＱ−ＡＣＫフィードバック値に対応する。ＨＡＲＱ−ＡＣＫフィードバックセットは、非免許帯域キャリア（例えば、Ｓｃｅｌｌ、ＮＲ−Ｕセル）上の一つ以上のＤＬ（チャネル）伝送（例えば、ＰＤＳＣＨ）に対するＨＡＲＱ−ＡＣＫフィードバック値（ら）を含む。ＨＡＲＱ−ＡＣＫフィードバックセットは、ＤＬ（チャネル）伝送（例えば、ＰＤＳＣＨ）に対するＨＡＲＱ−ＡＣＫフィードバック値（ら）、例えば、複数の端末からフィードバックされる複数のＨＡＲＱ−ＡＣＫフィードバック値を含む。ＨＡＲＱ−ＡＣＫフィードバック値は、コードブロックグループ（ＣＢＧ）または伝送ブロック（ＴＢ）に対する受信応答情報を示し、ＡＣＫ、ＮＡＣＫ、ＤＴＸ、またはＮＡＣＫ／ＤＴＸのうちいずれか一つを示す。文脈によって、ＨＡＲＱ−ＡＣＫフィードバック値はＨＡＲＱ−ＡＣＫ値、ＨＡＲＱ−ＡＣＫ情報ビット、及びＨＡＲＱ−ＡＣＫ応答などの用語と混用される。
【０１２３】
−基準ウィンドウ：非免許帯域キャリア（例えば、Ｓｃｅｌｌ、ＮＲ−Ｕセル）において、ＨＡＲＱ−ＡＣＫフィードバックセットに対応するＤＬ伝送（例えば、ＰＤＳＣＨ）が行われる時間区間を意味する。基準ウィンドウは、実施例によってスロットまたはサブフレーム単位で定義される。基準ウィンドウは、一つ以上の特定スロット（またはサブフレーム）を指す。本発明の実施例によると、特定スロット（または基準スロット）は、少なくとも一部のＨＡＲＱ−ＡＣＫフィードバックを利用し得ると期待される最も最近のＤＬ伝送バーストの開始スロットを含む。
【０１２４】
図１７は、ＨＡＲＱ−ＡＣＫフィードバックに基づいて競争ウィンドウのサイズ（ＣＷＳ）を調整する方法の一実施例を示す図である。図１７の実施例において、Ｔｘエンティティは基地局でＲｘエンティティは端末であってもよいが、本発明はこれに限らない。また、図１７の実施例は基地局のＤＬ伝送のためのチャネルアクセス過程を仮定するが、少なくとも一部の構成は端末のＵＬ伝送のためのチャネルアクセス過程に適用されてもよい。
【０１２５】
図１７を参照すると、Ｔｘエンティティがｎ番目のＤＬ伝送バーストを非免許帯域キャリア（例えば、Ｓｃｅｌｌ、ＮＲ−Ｕセル）で伝送した後Ｓ４０２、追加のＤＬ伝送が必要であれば、ＬＢＴチャネルアクセスに基づいて（ｎ＋１）番目のＤＬ伝送バーストを伝送するＳ４１２。ここで、伝送バーストは、一つ以上の隣接スロット（またはサブフレーム）を介した伝送を指す。図１７は、上述した第１タイプのチャネルアクセス（つまり、カテゴリ４のチャネルアクセス）に基づいたチャネルアクセス手順及びＣＷＳ調整方法を例示している。
【０１２６】
まず、Ｔｘエンティティは非免許帯域キャリア（例えば、Ｓｃｅｌｌ、ＮＲ−Ｕセル）上のＰＤＳＣＨ伝送（ら）に対応するＨＡＲＱ−ＡＣＫフィードバックを受信するＳ４０４。ＣＷＳ調整に使用されるＨＡＲＱ−ＡＣＫフィードバックは、非免許帯域キャリア上の最も最近のＤＬ伝送バースト（つまり、ｎ番目のＤＬ伝送バースト）に対応するＨＡＲＱ−ＡＣＫフィードバックを含む。より詳しくは、ＣＷＳ調整に使用されるＨＡＲＱ−ＡＣＫフィードバックは、最も最近のＤＬ伝送バースト内で基準ウィンドウ上のＰＤＳＣＨ伝送に対応するＨＡＲＱ−ＡＣＫフィードバックを含む。基準ウィンドウは、一つ以上の特定スロット（またはサブフレーム）を指す。本発明の実施例によると、特定スロット（または基準スロット）は、少なくとも一部のＨＡＲＱ−ＡＣＫフィードバックを利用し得ると期待される最も最近のＤＬ伝送バーストの開始スロットを含む。
【０１２７】
ＨＡＲＱ−ＡＣＫフィードバックが受信されれば、伝送ブロックＴＢ別にＨＡＲＱ−ＡＣＫ値が獲得される。ＨＡＲＱ−ＡＣＫフィードバックは、ＴＢ−基盤のＨＡＲＱ−ＡＣＫビットシーケンスとＣＢＧ−基板ＨＡＲＱ−ＡＣＫのうち少なくとも一つを含む。ＨＡＲＱ−ＡＣＫフィードバックがＴＢ−基盤のＨＡＲＱ−ＡＣＫビットシーケンスであれば、一つのＴＢ当たり一つのＨＡＲＱ−ＡＣＫ情報ビットが獲得される。一方、ＨＡＲＱ−ＡＣＫフィードバックがＣＢＧ−基盤のＨＡＲＱ−ＡＣＫビットシーケンスであれば、一つのＴＢ当たりＮ個のＨＡＲＱ−ＡＣＫ情報ビット（ら）が獲得される。ここで、ＮはＰＤＳＣＨ伝送のＲｘエンティティに構成された一つのＴＢ当たりＣＢＧの最大個数である。本発明の実施例によると、ＣＷＳを決定するためにＨＡＲＱ−ＡＣＫフィードバックの各ＴＢ別ＨＡＲＱ−ＡＣＫ情報ビット（ら）によって、各ＴＢ別のＨＡＲＱ−ＡＣＫ値（ら）が決定される。より詳しくは、ＨＡＲＱ−ＡＣＫフィードバックがＴＢ−基盤のＨＡＲＱ−ＡＣＫビットシーケンスであれば、該当ＴＢの一つのＨＡＲＱ−ＡＣＫ情報ビットがＨＡＲＱ−ＡＣＫ値に決定される。しかし、ＨＡＲＱ−ＡＣＫフィードバックがＣＢＧ−基盤のＨＡＲＱ−ＡＣＫビットシーケンスであれば、該当ＴＢに含まれたＣＢＧに対応するＮ個のＨＡＲＱ−ＡＣＫ情報ビット（ら）に基づいて一つのＨＡＲＱ−ＡＣＫ値が決定される。
【０１２８】
次に、Ｔｘエンティティは、Ｓ４０４で決定されたＨＡＲＱ−ＡＣＫ値に基づいてＣＷＳを調整するＳ４０６。つまり、ＴｘエンティティはＨＡＲＱ−ＡＣＫフィードバックの各ＴＢ別ＨＡＲＱ−ＡＣＫ情報ビット（ら）によって決定されたＨＡＲＱ−ＡＣＫ値（ら）に基づいてＣＷＳを決定する。より詳しくは、ＨＡＲＱ−ＡＣＫ値（ら）のうちＮＡＣＫの割合に基づいてＣＷＳが調整される。まず、以下のように変数が定義される。
−ｐ：優先順位クラス値
−ＣＷ＿ｍｉｎ＿ｐ：優先順位クラスｐの予め設定されたＣＷＳ最小値
−ＣＷ＿ｍａｘ＿ｐ：優先順位クラスｐの予め設定されたＣＷＳ最大値
−ＣＷ＿ｐ：優先順位クラスｐを伝送するためのＣＷＳ。ＣＷ＿ｐは優先順位クラスｐの許容されたＣＷＳセットに含まれたＣＷ＿ｍｉｎ＿ｐとＣＷ＿ｍａｘ＿ｐとの間の複数のＣＷＳ値のうちいずれか一つの値に設定される。
【０１２９】
本発明の実施例によると、ＣＷＳは以下のステップによって決定される。
ステップＡ−１）まず、優先順位クラスｐに対し、ＣＷ＿ｐはＣＷ＿ｍｉｎ＿ｐに設定される。この際、優先順位クラスｐは｛１、２、３、４｝を含む。
ステップＡ−２）基準ウィンドウｋのＰＤＳＣＨ伝送（ら）に対するＨＡＲＱ−ＡＣＫ値のうちＮＡＣＫの割合がＺ％以上であれば、全ての優先順位クラスｐに対してＣＷ＿ｐは次に高い許容値に増加される（また、ステップＡ−２に留まる）。そうでなければ、ステップＡ−１に進む。ここで、Ｚは０≦Ｚ≦１００の範囲の予め設定された整数であり、一実施例によると、｛３０、５０、７０、８０、１００｝のうち一つの値に設定される。
ここで、基準ウィンドウｋはＴｘエンティティによる最も最近の伝送開始スロット（またはサブフレーム）を含む。また、基準ウィンドウｋは、少なくとも一部のＨＡＲＱ−ＡＣＫフィードバックが可能であると予想されるスロット（またはサブフレーム）である。もしＣＷ＿ｐ＝ＣＷ＿ｍａｘ＿ｐでれば、ＣＷ＿ｐを調整するための次に高い許容値はＣＷ＿ｍａｘ＿ｐである。
【０１３０】
次に、ＴｘエンティティはＳ４０６で決定されたＣＷＳ内から乱数を選択し、バックオフカウンターＮの初期値に設定するＳ４０８。Ｔｘエンティティは、設定されたバックオフカウンターＮを利用してバックオフを行うＳ４１０。つまり、Ｔｘエンティティは、チャネルが遊休状態とセンシングされるスロット期間ごとにバックオフカウンターを１ずつ減少させる。バックオフカウンターの値が０に到達したら、Ｔｘエンティティは該当チャネルで（ｎ＋１）番目のＤＬ伝送バーストを伝送するＳ４１２。
【０１３１】
一方、上述したＣＷＳ調整過程において、ＨＡＲＱ−ＡＣＫフィードバックのうちＡＣＫ及びＮＡＣＫだけでなくＤＴＸまたはＮＡＣＫ／ＤＴＸが共に考慮されるのか否かが決定されるべきである。本発明の実施例によると、非免許帯域における伝送がセルフ−キャリアスケジューリングに基づくものであるのか、或いはクロス−キャリアスケジューリングに基づくものであるのかによって、ＣＷＳの調整過程でＤＴＸまたはＮＡＣＫ／ＤＴＸが共に考慮されるのか否かが決定される。
【０１３２】
セルフ−キャリアスケジューリングの際、非免許帯域キャリア上のＤＬ伝送（例えば、ＰＤＳＣＨ）は同一非免許帯域キャリア上で伝送される制御チャネル（例えば、（Ｅ）ＰＤＣＣＨ）を介してスケジューリングされる。ここで、ＤＴＸは非免許帯域キャリアで隠れノードなどによってＤＬ伝送に失敗した場合であるため、ＮＡＣＫと共にＣＷＳ調整に使用される。また、ＤＴＸは基地局が端末にスケジューリング情報を含む制御チャネル（例えば、（Ｅ）ＰＤＣＣＨ）を伝送したにもかかわらず、端末が該当制御チャネルをデコーディングできなかった場合を端末が基地局に知らせる方法のうち一つである。ＤＴＸはＨＡＲＱ−ＡＣＫフィードバック値によってのみ判別されるか、ＨＡＲＱ−ＡＣＫフィードバック値と実際のスケジューリング状況を考慮して判別される。本発明の実施例によると、セルフ−キャリアスケジューリング状況において、ＣＷＳを調整するためにＤＴＸ及びＮＡＣＫ／ＤＴＸはＮＡＣＫでカウントされる。つまり、基準ウィンドウｋのＰＤＳＣＨ伝送（ら）に対するＨＡＲＱ−ＡＣＫ値のうちＮＡＣＫ、ＤＴＸ、及びＮＡＣＫ／ＤＴＸを合算した割合がＺ％以上であれば、ＣＷＳは次に高い許容値に増加される。そうでなければ、ＣＷＳは最小値にリセットされる。
【０１３３】
クロス−キャリアスケジューリングの際、非免許帯域キャリア上のＤＬ伝送（例えば、ＰＤＳＣＨ）は免許帯域キャリア上で伝送される制御チャネル（例えば、（Ｅ）ＰＤＣＣＨ）を介してスケジューリングされる。この場合、ＤＴＸフィードバックは免許帯域キャリア上で伝送された制御チャネルに対する端末のデコーディング状況を判断するのに使用されるため、非免許帯域でチャネルアクセスのためにＣＷＳを適応的に調節することには役に立たない。よって、本発明の実施例によると、免許帯域からのクロス−キャリアスケジューリング状況において、ＣＷＳを決定するためにＤＴＸは無視されてもよい。つまり、ＣＷＳを調整するためにＨＡＲＱ−ＡＣＫ値（ら）のうちＡＣＫ及びＮＡＣＫのみを考慮してＮＡＣＫの割合を算定するか、ＡＣＫ、ＮＡＣＫ、及びＮＡＣＫ／ＤＴＸのみを考慮してＮＡＣＫの割合を算定してもよい。よって、前記ＮＡＣＫの割合を算定する際、ＤＴＸは除外される。
【０１３４】
図１８は、本発明の一実施例による端末と基地局の構成をそれぞれ示すブロック図である。本発明の一実施例において、端末は携帯性と移動性が保障される多様な種類の無線通信装置、またはコンピューティング装置で具現される。端末はＵＥ、ＳＴＡ（Ｓｔａｔｉｏｎ）、ＭＳ（Ｍｏｂｉｌｅ  Ｓｕｂｓｃｒｉｂｅｒ）などと称される。また、本発明の実施例において、基地局はサービス地域に当たるセル（例えば、マクロセル、フェムトセル、ピコセルなど）を制御及び管掌し、信号の送り出し、チャネルの指定、チャネルの監視、自己診断、中継などの機能を行う。基地局は、ｇＮＢ（ｎｅｘｔ  Ｇｅｎｅｒａｔｉｏｎ  ＮｏｄｅＢ）またはＡＰ（Ａｃｃｅｓｓ  Ｐｏｉｎｔ）などと称される。
【０１３５】
図示したように、本発明の一実施例による端末１００は、プロセッサ１１０、通信モジュール１２０、メモリ１３０、ユーザインタフェース部１４０、及びディスプレイユニット１５０を含む。
【０１３６】
まず、プロセッサ１１０は多様な命令またはプログラムを実行し、端末１００内部のデータをプロセッシングする。また、プロセッサ１００は端末１００の各ユニットを含む全体動作を制御し、ユニット間のデータの送受信の制御する。ここで、プロセッサ１１０は、本発明で説明した実施例による動作を行うように構成される。例えば、プロセッサ１１０はスロット構成情報を受信し、それに基づいてスロットの構成を判断して、判断したスロット構成に応じて通信を行ってもよい。
【０１３７】
次に、通信モジュール１２０は、無線通信網を利用した無線通信、及び無線ＬＡＮを利用した無線ＬＡＮアクセスを行う統合モジュールである。そのために、通信モジュール１２０は、セルラー通信インターフェースカード１２１、１２２、及び非免許帯域通信インターフェースカード１２３のような複数のネットワークインターフェースカード（ｎｅｔｗｏｒｋ  ｉｎｔｅｒｆａｃｅ  ｃａｒｄ、ＮＩＣ）を内蔵または外装の形に備える。図面において、通信モジュール１２０は一体型統合モジュールと示されているが、それぞれのネットワークインターフェースカードは図面とは異なって、回路構成または用途に応じて独立して配置されてもよい。
【０１３８】
セルラー通信インターフェースカード１２１は、移動通信網を介して基地局２００、外部ディバイス、サーバのうち少なくとも一つと無線信号を送受信し、プロセッサ１１０の命令に基づいて第１周波数帯域によるセルラー通信サービスを提供する。一実施例によると、セルラー通信インターフェースカード１２１は、６ＧＨｚ未満の周波数帯域を利用する少なくとも一つのＮＩＣモジュールを含む。セルラー通信インターフェースカード１２１の少なくとも一つのＮＩＣモジュールは、該当ＮＩＣモジュールが支援する６ＧＨｚ未満の周波数帯域のセルラー通信規格またはプロトコールに応じて、独立して基地局２００、外部ディバイス、サーバのうち少なくとも一つとセルラー通信を行う。
【０１３９】
セルラー通信インターフェースカード１２２は、移動通信網を利用して基地局２００、外部ディバイス、サーバのうち少なくとも一つと無線信号を送受信し、プロセッサ１１０の命令に基づいて第２周波数帯域によるセルラー通信サービスを提供する。一実施例によると、セルラー通信インターフェースカード１２２は、６ＧＨｚ以上の周波数帯域を利用する少なくとも一つのＮＩＣモジュールを含む。セルラー通信インターフェースカード１２２の少なくとも一つのＮＩＣモジュールは、該当ＮＩＣモジュールが支援する６ＧＨｚ以上の周波数帯域のセルラー通信規格またはプロトコールに応じて、独立して基地局２００、外部ディバイス、サーバのうち少なくとも一つとセルラー通信を行う。
【０１４０】
非免許帯域通信インターフェースカード１２３は、非免許帯域である第３周波数帯域を介して基地局２００、外部ディバイス、サーバのうち少なくとも一つと無線信号を送受信し、プロセッサ１１０の命令に基づいて非免許帯域の通信サービスを提供する。非免許帯域通信インターフェースカード１２３は、非免許帯域を利用する少なくとも一つのＮＩＣモジュールを含む。例えば、非免許帯域は２．４ＧＨｚ、５ＧＨｚ、６ＧＨｚ、７ＧＨｚ、または５２．６ＧＨｚ以上の帯域であってもよい。非免許帯域通信インターフェースカード１２３の少なくとも一つのＮＩＣモジュールは、該当ＮＩＣモジュールが支援する周波数帯域の非免許帯域通信規格またはプロトコールに応じて、独立してまたは従属して基地局２００、外部ディバイス、サーバのうち少なくとも一つとセルラー通信を行う。
【０１４１】
次に、メモリ１３０は、端末１００で使用される制御プログラム及びそれによる各種データを貯蔵する。このような制御プログラムには、端末１００が基地局２００、外部ディバイス、サーバのうち少なくとも一つと無線通信を行うのに必要な所定のプログラムが含まれる。
【０１４２】
次に、ユーザインタフェース１４０は、端末１００に備えられた多様な形態の入／出力手段を含む。つまり、ユーザインタフェース部１４０は多様な入力手段を利用してユーザの入力を受信し、プロセッサ１１０は受信されたユーザ入力に基づいて端末１００を制御する。また、ユーザインタフェース１４０は、多様な出力手段を利用してプロセッサ１１０の命令に基づく出力を行う。
【０１４３】
次に、ディスプレイユニット１５０は、ディスプレイ画面に多様なイメージを出力する。前記ディスプレイユニット１５０は、プロセッサ１１０によって行われるコンテンツ、またはプロセッサ１１０の制御命令に基づいたユーザインタフェースなどの多様なディスプレイオブジェクトを出力する。
また、本発明の実施例による基地局２００は、プロセッサ２１０、通信モジュール２２０、及びメモリ２３０を含む。
【０１４４】
まず、プロセッサ２１０は多様な命令またはプログラムを実行し、基地局２００内部のデータをプロセッシングする。また、プロセッサ２１０は基地局２００の各ユニットを含む全体動作を制御し、ユニット間のデータの送受信を制御する。ここで、プロセッサ２１０は、本発明で説明した実施例による動作を行うように構成される。例えば、プロセッサ２１０はスロット構成情報をシグナリングし、シグナリングしたスロット構成に応じて通信を行ってもよい。
【０１４５】
次に、通信モジュール２２０は、無線通信網を利用した無線通信、及び無線ＬＡＮを利用した無線ＬＡＮアクセスを行う統合モジュールである。そのために、通信モジュール２２０は、セルラー通信インターフェースカード２２１、２２２、及び非免許帯域通信インターフェースカード２２３のような複数のネットワークインターフェースカードを内蔵または外装の形に備える。図面において、通信モジュール２２０は一体型統合モジュールと示されているが、それぞれのネットワークインターフェースカードは図面とはことなって、回路構成または用途に応じて独立して配置されてもよい。
【０１４６】
セルラー通信インターフェースカード２２１は、移動通信網を利用して上述した端末１００、外部ディバイス、サーバのうち少なくとも一つと無線信号を送受信し、プロセッサ２１０の命令に基づいて第１周波数帯域によるセルラー通信サービスを提供する。一実施例によると、セルラー通信インターフェースカード２２１は、６ＧＨｚ未満の周波数帯域を利用する少なくとも一つのＮＩＣモジュールを含む。セルラー通信インターフェースカード２２１の少なくとも一つのＮＩＣモジュールは、該当ＮＩＣモジュールが支援する６ＧＨｚ未満の周波数帯域のセルラー通信規格またはプロトコールに応じて、独立して端末１００、外部ディバイス、サーバのうち少なくとも一つとセルラー通信を行う。
【０１４７】
セルラー通信インターフェースカード２２２は、移動通信網を利用して端末１００、外部ディバイス、サーバのうち少なくとも一つと無線信号を送受信し、プロセッサ２１０の命令に基づいて第２周波数帯域によるセルラー通信サービスを提供する。一実施例によると、セルラー通信インターフェースカード２２２は、６ＧＨｚ以上の周波数帯域を利用する少なくとも一つのＮＩＣモジュールを含む。セルラー通信インターフェースカード２２２の少なくとも一つのＮＩＣモジュールは、該当ＮＩＣモジュールが支援する６ＧＨｚ以上の周波数帯域のセルラー通信規格またはプロトコールに応じて、独立して端末１００、外部ディバイス、サーバのうち少なくとも一つとセルラー通信を行う。
【０１４８】
非免許帯域通信インターフェースカード２２３は、非免許帯域である第３周波数帯域を利用して端末１００、外部ディバイス、サーバのうち少なくとも一つと無線信号を送受信し、プロセッサ２１０の命令に基づいて非免許帯域の通信サービスを提供する。非免許帯域通信インターフェースカード２２３は、非免許帯域を利用する少なくとも一つのＮＩＣモジュールを含む。例えば、非免許帯域は２．４ＧＨｚ、５ＧＨｚ、６ＧＨｚ、７ＧＨｚ、または５２．６ＧＨｚ以上の帯域であってもよい。非免許帯域通信インターフェースカード２２３の少なくとも一つのＮＩＣモジュールは、該当ＮＩＣモジュールが支援する周波数帯域の非免許帯域通信規格またはプロトコールに応じて、独立してまたは従属して端末１００、外部ディバイス、サーバのうち少なくとも一つとセルラー通信を行う。
【０１４９】
図１８に示した端末１００及び基地局２００は本発明の一実施例によるブロック図であって、分離して示したブロックはディバイスのエレメントを論理的に区別して示したものである。よって、上述したディバイスのエレメントは、ディバイスの設計に応じて一つのチップまたは複数のチップに取り付けられる。また、端末１００の一部の構成、例えば、ユーザインタフェース部１５０及びディスプレイユニット１５０などは端末１００に選択的に備えられてもよい。また、ユーザインタフェース１４０及びディスプレイユニット１５０などは、必要によって基地局２００に追加に備えられてもよい。
【０１５０】
ＮＲシステムでは同期信号（ｓｙｎｃｈｒｏｎｉｚａｔｉｏｎ  ｓｉｇｎａｌ、ＳＳ）とＰＢＣＨ（ｐｈｙｓｉｃａｌ  ｂｒｏａｄｃａｓｔ  ｃｈａｎｎｅｌ）を受信し、同期信号とＰＢＣＨに基づいて初期セルアクセス、ＲＲＭの測定（ｍｅａｓｕｒｅｍｅｎｔ）、及び移動性管理（ｍｏｂｉｌｉｔｙ  ｍａｎａｇｅｍｅｎｔ）のうち少なくともいずれか一つを行う。同期信号は上述したようにＰＳＳとＳＳＳを含む。また、同期信号とＰＢＣＨは、ＳＳ／ＰＢＣＨブロックまたはＳＳＢと称される。図１９乃至図４２を介して、ＳＳＢの伝送及び受信に関する実施例について説明する。
図１９は、本発明の一実施例によるＮＲシステムの免許帯域の複数スロット内でＳＳＢが占めるＯＦＤＭシンボルの位置を示す図である。
【０１５１】
ＳＳＢは４つのＯＦＤＭシンボルと２０ＲＢを含む。詳しくは、ＰＳＳは１つのＯＦＤＭシンボルを占め、ＳＳＳは１つのＯＦＤＭシンボルを占め、ＰＢＣＨは２つのＯＦＤＭシンボルと、ＳＳＳとＦＤＭでマルチプレキシングされた１つのＯＦＤＭシンボルを占める。サブキャリアスペーシング（ＳＣＳ、ｓｕｂｃａｒｒｉｅｒ  ｖｓｐａｃｉｎｇ）によって、ＳＳＢが占めるスロット内のＯＦＤＭシンボルの位置が異なり得る。図１９（ａ）は、ＳＳＢを伝送するためのサブキャリアスペーシングの値がそれぞれ１５ｋＨｚ、３０ｋＨｚである際のＳＳＢパターンを示す。また、図１９（ｂ）は、ＳＳＢを伝送するためのサブキャリアスペーシングの値がそれぞれ１２０ｋＨｚ、２４０ｋＨｚである際のＳＳＢパターンを示す。サブキャリアスペーシングが３０ｋＨｚである際、ｅＭＢＢを伝送するためのＳＳＢパータンとＵＲＬＬＣを考慮したＳＳＢパータンのうちいずれか一つが使用される。図１９において、ハッチングが表示されたＯＦＤＭシンボルは、ＳＳＢが占めるスロット内のＯＦＤＭシンボルの位置を示す。また、ハッチングのパターンが異なるものは、互いに異なるＳＳＢインデックスに当たることを示す。ＳＳＢインデックスについては再度後述する。
【０１５２】
図２０は、本発明の一実施例によるＮＲシステムの免許帯域のハーフ無線フレーム、つまり、５ｍｓ内でＳＳＢが占めるスロットの位置を示す図である。図２０において、ハッチングで表示されたスロットはハーフ無線フレーム内でＳＳＢを含んでいるスロットの位置を示す。一つのスロットは２つのＳＳＢを含む。一つのスロット内の２つのＳＳＢは、互いに異なるＳＳＢインデックスを有する。また、互いに異なるスロットに位置するＳＳＢも互いに異なるＳＳＢインデックスを有する。ＳＳＢインデックスでは再度後述する。また、図２０のＬは、ハーフ無線フレームにおいて基地局が最大に伝送可能なＳＳＢの個数を示す。
【０１５３】
ＮＲシステムは各周波数帯域別に一つのサブキャリアスペーシングが定義されるように規定し、端末が初期セルアクセスのためにＳＳＢを探索するための複雑度を減らす。特に、６ＧＨｚ以下（ｂｅｌｏｗ）の周波数帯域が使用されれば、ＮＲシステムはＳＳＢのために１５ｋＨｚまたは３０ｋＨｚのうちいずれか一つのサブキャリアスペーシングが使用されるように規定する。また、６ＧＨｚ超過（ａｂｏｖｅ）の周波数帯域が使用されれば、ＮＲシステムはＳＳＢのために１２０ｋＨｚまたは２４０ｋＨｚのうちいずれか一つのサブキャリアスペーシングが使用されるように規定する。
【０１５４】
非免許帯域において、無線通信装置がチャネルアクセスを行う場合、ＬＢＴ手順が使用される。よって、チャネルが遊休でなければ、無線通信装置はチャネルアクセスに失敗する可能性がある。基地局がＳＳＢを伝送するためにチャネルアクセスを行う場合もチャネルアクセスに失敗する可能性があるため、基地局によって設定された位置でＳＳＢの伝送が行われない恐れがある。結局、端末がＳＳＢが伝送される位置を仮定し得るよう、基地局が端末にＳＳＢが伝送される位置を設定（ｃｏｎｆｉｇｕｒｅ）した場合も、端末はＳＳＢを受信できない可能性がある。ＳＳＢは周期的に伝送されるため、端末がいずれか一つの時点でＳＳＢを受信できなかったとしても該当時点から１周期後にＳＳＢを受信することができる。但し、このように端末がＳＳＢを受信すれば、ＲＲＭの測定及び隣接した（ｎｅｉｇｈｂｏｒ）セルに対する測定の遅延が発生する。結局、システム全体にレイテンシが増加するようになる。
【０１５５】
また、ＳＳＢはビームリンクの設定及びビームの運営に使用される。詳しくは、基地局は互いに異なるＳＳＢインデックスに当たる複数のＳＳＢを互いに異なる時間領域で伝送する。端末は、複数のＳＳＢを利用して複数のビームリンクを設定する。基地局はビームスイーピング（ｓｗｅｅｐｉｎｇ）を行う。端末は、互いに異なる時間領域で互いに異なるビームで伝送されたＳＳＢを端末が受信したのかに応じてビームリンクを設定する。基地局がチャネルアクセスに失敗してＳＳＢを伝送できなかった場合、ビームリンクを設定できない問題が発生する。結局、チャネルアクセスの失敗のためビームリングのためのレイテンシが増加するようになる。よって、ＳＳＢの伝送失敗を減らし、ＳＳＢの伝送機会を増やす方法が必要である。
【０１５６】
非免許帯域においてＮＲシステムが使用されれば、チャネルアクセス機会（ｏｐｐｏｒｔｕｎｉｔｙ）を増やすために、ＳＳＢを伝送するために６０ｋＨｚサブキャリアスペーシングが使用される。６ＧＨｚ以下の免許帯域では、ＳＳＢを伝送するために１５ｋＨｚまたは３０ｋＨｚのサブキャリアスペーシングが使用される。また、６ＧＨｚ以下の免許帯域では、データを伝送するために１５ｋＨｚ、３０ｋＨｚ、または６０ｋＨｚのサブキャリアスペーシングが使用される。また、６ＧＨｚ超過の免許帯域では、ＳＳＢを伝送するために１２０ｋＨｚまたは２４０ｋＨｚのサブキャリアスペーシングが使用される。また、６ＧＨｚ超過の免許帯域では、データを伝送するために６０ｋＨｚまたは１２０ｋＨｚのサブキャリアスペーシングが使用される。ＮＲシステムが使用される７ＧＨｚ（例えば、７．１２５ＧＨｚ未満）以下の非免許帯域で使用されれば、６ＧＨｚ以下の免許帯域で使用していたサブキャリアスペーシングのように１５ｋＨｚまたは３０ｋＨｚのサブキャリアスペーシングを考慮してもよい。但し、非免許帯域でＳＳＢを伝送するために６０ｋＨｚのサブキャリアスペーシングが使用されれば、ＯＦＤＭシンボル間の間隔が１５ｋＨｚサブキャリアスペーシングが使用される際より１／４に減る。よって、非免許帯域でＮＲシステムに６０ＫＨｚのサブキャリアスペーシングが使用されれば、ＳＳＢ及びデータチャネルに対してチャネルアクセス以降のシンボル単位での伝送機会を増やすことができる。１５ｋＨｚ及び３０ｋＨｚのサブキャリアスペーシングが使用されれば、基地局が一つのＯＦＤＭシンボル内でチャネルアクセスに成功する場合、リザベーション（ｒｅｓｅｒｖａｔｉｏｎ）信号を伝送するための時間に備えて６０ＫＨｚサブキャリアスペーシングを使用する際、リザベーション信号を伝送するための時間が減る。以下では、非免許帯域で使用可能なＳＳＢの伝送方法、特に６０ＫＨｚのサブキャリアスペーシングが使用される場合のＳＳＢの伝送方法について説明する。
【０１５７】
非免許帯域でＳＳＢが伝送され、１５ｋＨｚまたは３０ｋＨｚのサブキャリアスペーシング（ＳＣＳ）が使用されれば、図１９乃至図２０を介して説明したＳＳＢパターンがそのまま使用れるか、一部修正されて使用される。非免許帯域において、ＳＳＢを伝送するためのサブキャリアスペーシングの値が６０ｋＨｚである場合のＳＳＢパターンについて図２１乃至図２３を介して説明する。
【０１５８】
一つのスロット内で時間的に連続伝送可能なＳＳＢパターンが使用される。これを介し、基地局は伝送効率を上げることができる。このような実施例において、基地局がチャネルアクセスに成功した後連続して同じビームを伝送するか、互いに異なるビームを伝送すれば、基地局は該当チャネルを連続して占有する。これを介し、基地局は該当チャネルを使用しようとする他の無線通信装置が該当チャネルを占有することを防止する。結局、基地局は一度チャネルアクセスに成功することで複数のＳＳＢを伝送し、ＳＳＢ伝送以降の他の伝送を行い得る確率を上げることができる。基地局は一つのスロット内でＳＳＢを連続して（ｃｏｎｓｅｃｕｔｉｖｅ）伝送する。また、基地局は一つのスロット内で複数のＳＳＢを時間的に連続して伝送する。詳しくは、基地局はＤＬバースト伝送としてＳＳＢを伝送する。連続伝送が可能なＳＳＢパターンが使用されれば、基地局は特定チャネルを連続して使用して、他の無線通信装置が該当チャネルにアクセルすることを防止する。このような実施例において、非免許帯域でＳＳＢを伝送するためのサブキャリアスペーシングの値は６０ｋＨｚである。
【０１５９】
また、ＳＳＢが伝送されるスロットとＳＳＢが伝送されるスロットの次のスロットの境界の以前に伝送が終了されるＳＳＢパターンが使用される。つまり、ＳＳＢ伝送の後、次のスロットを開始する前にＬＢＴ手順のためのギャップ（ｇａｐ）が設定される。詳しくは、基地局は、ＳＳＢが伝送されるスロットとＳＳＢが伝送されるスロットの次のスロットの間の境界から予め指定された時間だけ以前の時点の以前にＳＳＢの伝送を終了する。詳しくは、基地局は、ＳＳＢが伝送されるスロットとＳＳＢが伝送されるスロットの次のスロットの間の境界から少なくとも一つのＯＦＤＭシンボルの以前にＳＳＢの伝送を終了する。このようなＳＳＢパターンが使用されれば、基地局はＳＳＢを伝送した後でＬＢＴ手順を開始し、ＳＳＢが伝送されるスロットの次のスロットの開始時点からＰＤＣＣＨまたはＰＤＳＣＨを伝送する可能性を上げる。このような実施例において、非免許帯域でＳＳＢを伝送するためのサブキャリアスペーシングの値は６０ｋＨｚである。
【０１６０】
図２１は、本発明の一実施例によって６０ＫＨｚサブキャリアスペーシングが使用され、ＳＳＢの最大個数が３である場合、１ｍｓ時間区間内でＳＳＢが伝送されるＯＦＤＭシンボルの位置を示す図である。図２２は、本発明の一実施例によって６０ＫＨｚサブキャリアスペーシングが使用され、ＳＳＢの最大個数が４である場合、１ｍｓ時間区間内でＳＳＢが伝送されるＯＦＤＭシンボルの位置を示す図である。図２３は、本発明の一実施例によって６０ＫＨｚサブキャリアスペーシングが使用され、ＳＳＢの最大個数が６である場合、１ｍｓ時間区間内でＳＳＢが伝送されるＯＦＤＭシンボルの位置を示す図である。図２１乃至図２３において、ハッチングで表示されたＯＦＤＭシンボルはＳＳＢが占めるＯＦＤＭシンボルを示す。また、ハッチングのパターンが異なるものは、互いに異なるＳＳＢインデックスに当たることを示す。図２１乃至図２３において、基地局は一つのスロット内でＳＳＢを連続して伝送する。これを介し、基地局は、一つのスロット内でＳＳＢを伝送するためのチャネルアクセスに成功した後、次の無線通信装置が該当スロット内にチャネルにアクセスすることを防止する。また、図２１乃至図２３において、基地局は、ＳＳＢが伝送されるスロットとＳＳＢが伝送されるスロットの次のスロットの間の境界の以前に終了される。これを介し、基地局はＳＳＢを伝送した後、ＳＳＢが伝送されるスロットの次のスロットの開始時点からＰＤＣＣＨまたはＰＤＳＣＨを伝送する可能性を上げる。結局、基地局は図２１乃至図２３を介して説明した実施例を介して、ＬＢＴの失敗による初期セルアクセスの遅延、ＲＲＭ（ｒａｄｉｏ  ｒｅｓｏｕｒｃｅ  ｍａｎａｇｅｍｅｎｔ）の測定、及びＲＬＭ（ｒａｄｉｏ  ｌｉｎｋ  ｍｏｎｉｔｏｒｉｎｇ）の測定が遅延されることを防止する。
【０１６１】
基地局は、予め指定されたＳＳＢを伝送するための時間区間内でＳＳＢ伝送を介して複数のＳＳＢを伝送する。この際、予め指定されたＳＳＢを伝送するための時間区間のデュレーションは５ｍｓである。ＳＳＢ伝送を介して伝送される複数のＳＳＢはＳＳＢセットと称される。ＳＳＢセットに含まれた複数のＳＳＢそれぞれには、ＳＳＢセット内で固有の（ｕｎｉｑｕｅ）ＳＳＢインデックスが割り当てられる。ＳＳＢインデックスは０から始まって１ずつ増加する。図２１乃至図２３において、ハッチングが異なるＳＳＢは互いに異なるＳＳＢインデックスに当たる。図２１（ａ）、図２２（ａ）、及び図２３は、ＳＳＢインデックス別にＳＳＢが伝送されるスロット内におけるＯＦＤＭシンボルの位置が固定されている場合を示す。図２０（ｂ）及び図２１（ｂ）は、ＳＳＢインデックス別にＳＳＢが伝送されるスロット内におけるＯＦＤＭシンボルの位置が固定されていない場合を示す。詳しくは、基地局は、ＳＳＢを伝送するたびにＳＳＢ伝送位置に当たるＳＳＢインデックスを循環させる。このような実施例によって、ＳＳＢインデックス別のＳＳＢ伝送の成功確率を均一に設定することができる。それについては、図３２乃至図４２を介して詳しく説明する。
【０１６２】
図２４は、本発明の一実施例によってＳＳＢを伝送するために６０ＫＨｚサブキャリアスペーシングが使用され、ＳＳＢの最大個数が８である場合、１ｍｓ時間区間内でＳＳＢが伝送されるＯＦＤＭシンボルの位置を示す図である。図２４において、ハッチングで表示されたＯＦＤＭシンボルはＳＳＢが占めるＯＦＤＭシンボルを示す。また、ハッチングのパターンが異なるものは、互いに異なるＳＳＢインデックスに当たることを示す。図２４は、６０ＫＨｚのサブキャリアスペーシングが使用される場合に適用可能な２つのＳＳＢパターンの実施例を示す。第２ＳＳＢパターン（ｐａｔｔｅｒｎ  ＃２）は、第１ＳＳＢパターン（ｐａｔｔｅｒｎ  ＃１）より先のＯＦＤＭシンボルでＳＳＢ伝送を開始する。基地局は、第２ＳＳＢパターン（ｐａｔｔｅｒｎ  ＃２）を使用して第１ＳＳＢパターン（ｐａｔｔｅｒｎ  ＃１）が使用される際よりＳＳＢ伝送以降のＰＤＳＣＨ伝送またはＰＤＣＣＨ伝送のためのＬＢＴ手順の成功確率を上げる。第１ＳＳＢパターン（ｐａｔｔｅｒｎ  ＃１）と第２ＳＳＢパターン（ｐａｔｔｅｒｎ  ＃２）が利用されれば、ＳＳＢが伝送されるスロット以降のスロット境界でＰＤＣＣＨ或いはＰＤＳＣＨ伝送のためにスロット境界の前のＬＢＴのためのギャップが確保される。データチャネル伝送が行われれば、Ｃａｔ−４  ＬＢＴ、つまり、ランダムバックオフが行われるチャネルアクセス手順が必要である。よって、図２４のＳＳＢパターンは、ＳＳＢ伝送の後にデータチャネル伝送が行われれば、データチャネル伝送の可能性を上げることができる。このような観点から、基地局が第１ＳＳＢパターン（ｐａｔｔｅｒｎ  ＃１）を使用すれば、第２ＳＳＢパターン（ｐａｔｔｅｒｎ  ＃２）を使用する際より伝送効率を上げることができる。
【０１６３】
非免許帯域において、基地局は、ＳＳＢが伝送される時間区間の時間領域で最も先のスロットからＳＳＢの伝送を試みる。これを介し、基地局は、ＬＢＴ手順の失敗によってＳＳＢの伝送機会を失うか、ＳＳＢ伝送が遅れることを防止する。それについては、図２５乃至図２９を介して説明する。説明の便宜上、ＳＳＢが伝送される時間区間をＳＳＢ伝送ウィンドウと称する。
【０１６４】
図２５は、本発明の他の実施例によってＳＳＢを伝送するために６０ＫＨｚサブキャリアスペーシングが使用される場合、ＳＳＢ伝送ウィンドウでＳＳＢが伝送されるスロットの位置を示す図である。詳しくは、図２５（ａ）は、ＳＳＢ伝送ウィンドウ内で伝送可能なＳＳＢの最大個数が４である場合、ＳＳＢ伝送ウィンドウでＳＳＢが伝送されるスロットの位置を示す。また、図２５（ｂ）は、ＳＳＢ伝送ウィンドウ内で伝送可能なＳＳＢの最大個数が８である場合、ＳＳＢ伝送ウィンドウでＳＳＢが伝送されるスロットの位置を示す。一実施例として、ＳＳＢ伝送ウィンドウは５ｍｓのデュレーションを有する。
【０１６５】
具体的な実施例において、基地局は、一度の伝送機会ごとにＳＳＢ伝送ウィンドウ内で伝送可能なＳＳＢの最大個数だけＳＳＢを伝送する。例えば、基地局がＬＢＴ手順を介して伝送機会を獲得したら、基地局はＳＳＢ伝送ウィンドウ内で伝送可能なＳＳＢの最大個数だけＳＳＢを伝送する。このような実施例において、ＳＳＢセットが伝送される時間区間は、ＳＳＢ伝送ウィンドウ内で伝送可能なＳＳＢの最大個数に基づいて設定される。詳しくは、ＳＳＢセットが伝送される時間区間は、ＳＳＢ伝送ウィンドウ内で伝送可能なＳＳＢの最大個数だけスロットで設定される。
【０１６６】
図２６乃至図２８は、非免許帯域において、ＳＳＢ伝送のために基地局がＳＳＢ伝送ウィンドウ内で予め設定されたＳＳＢの最大個数に応じてＳＳＢの伝送を開始可能なスロットの位置が複数である場合を示す。基地局は、ＳＳＢの最大個数に応じてＳＳＢ伝送ウィンドウ内でＳＳＢ伝送を開始可能なスロットの位置を設定してＳＳＢ伝送を行い、端末は、ＳＳＢ伝送ウィンドウ内で基地局が設定したＳＳＢ伝送が可能なスロットの位置からＳＳＢの受信を行う。基地局は、ＳＳＢ伝送を開始可能なスロットでＬＢＴに失敗したら、次のＳＳＢ伝送を開始可能なスロットに伝送を開始するためのＬＢＴを行って、該当スロットでＳＳＢ伝送を行う。
【０１６７】
図２６は、非免許帯域でＳＳＢを伝送するために１５ＫＨｚサブキャリアスペーシングが使用される際、本発明の実施例によって基地局がＳＳＢ伝送ウィンドウ内で伝送可能なＳＳＢの最大個数によって、ＳＳＢの伝送を開始可能なスロットの位置が複数である場合を示す図である。図２６（ａ）において、ＳＳＢ伝送ウィンドウのデュレーションは５ｍｓ、ＳＳＢ伝送ウィンドウ内で伝送可能なＳＳＢの最大個数は４に設定されれば、基地局は、ＳＳＢ伝送を開始可能なスロットの位置としてＳＳＢ伝送ウィンドウ内で最初のスロット、３番目のスロット、５番目のスロットを設定する。端末は、基地局が設定したＳＳＢ伝送を開始可能なスロットの位置からＳＳＢを受信する。図２６（ｂ）において、ＳＳＢ伝送ウィンドウのデュレーションは５ｍｓ、ＳＳＢ伝送ウィンドウ内で伝送可能なＳＳＢの最大個数は８に設定されれば、基地局は、ＳＳＢ伝送を開始可能なスロットの位置としてＳＳＢ伝送ウィンドウ内で最初のスロット、５番目のスロットを設定する。端末は、基地局が設定したＳＳＢ伝送を開始可能なスロットの位置からＳＳＢを受信する。
【０１６８】
図２７は、非免許帯域でＳＳＢを伝送するために３０ＫＨｚサブキャリアスペーシングが使用される際、本発明の実施例によって基地局がＳＳＢ伝送ウィンドウ内で伝送可能なＳＳＢの最大個数によって、ＳＳＢの伝送を開始可能なスロットの位置が複数であることを示す図である。図２７（ａ）は、ＳＳＢ伝送ウィンドウのデュレーションが５ｍｓ、ＳＳＢ伝送ウィンドウ内で伝送可能なＳＳＢの最大個数が４である場合である。図２７（ｂ）は、ＳＳＢ伝送ウィンドウのデュレーションが５ｍｓ、ＳＳＢ伝送ウィンドウ内で伝送可能なＳＳＢの最大個数が８である場合である。
【０１６９】
図２８は、非免許帯域でＳＳＢを伝送するために６０ＫＨｚサブキャリアスペーシングが使用される際、本発明の実施例によって基地局がＳＳＢ伝送ウィンドウ内で伝送可能なＳＳＢの最大個数によって、ＳＳＢの伝送を開始可能なスロットの位置が複数であることを示す図である。図２８（ａ）は、ＳＳＢ伝送ウィンドウのデュレーションが５ｍｓ、ＳＳＢ伝送ウィンドウ内で伝送可能なＳＳＢの最大個数が４である場合である。図２８（ｂ）は、ＳＳＢ伝送ウィンドウのデュレーションが５ｍｓ、ＳＳＢ伝送ウィンドウ内で伝送可能なＳＳＢの最大個数が８である場合である。
【０１７０】
他の具体的な実施例において、基地局はＳＳＢ伝送ウィンドウ内でスロットごとにＳＳＢの伝送が開始されるように設定する。ＳＳＢ伝送ウィンドウ内において、チャネルアクセスの結果によってＳＳＢの伝送が開始されるスロットの位置がＳＳＢ伝送ウィンドウごとに異なり得る。よって、チャネルアクセスの失敗のため、互いに異なるＳＳＢインデックスで互いに異なるビームを使用して伝送する複数のＳＳＢの伝送機会の不均衡が発生する恐れがある。このような実施例を介し、基地局は各ＳＳＢ別の伝送機会の不均衡を減らすことができる。この際、基地局は、スロットごとに含まれたＳＳＢ伝送可能位置ごとに異なるＳＳＢインデックスに当たるＳＳＢを伝送する。これを介し、互いに異なるＳＳＢインデックスに当たるＳＳＢは均一な伝送機会を有することができる。
【０１７１】
図２９は、非免許帯域でＳＳＢを伝送するために１５ｋＨｚサブキャリアスペーシングが使用される際、本発明の実施例によって基地局がＳＳＢ伝送ウィンドウ内でスロットごとにＳＳＢ伝送開始機会を有することを示す図である。図２９（ａ）において、ＳＳＢ伝送ウィンドウのデュレーションが５ｍｓ、ＳＳＢ伝送ウィンドウ内で伝送可能なＳＳＢの最大個数が４に設定された場合である。図２９（ｂ）において、ＳＳＢ伝送ウィンドウのデュレーションが５ｍｓ、そしてＳＳＢ伝送ウィンドウ内で伝送可能なＳＳＢの最大個数が８に設定された場合である。
【０１７２】
図３０は、非免許帯域でＳＳＢを伝送するために３０ＫＨｚサブキャリアスペーシングが使用される際、本発明の実施例によって基地局がＳＳＢ伝送ウィンドウ内でスロットごとにＳＳＢ伝送開始機会を有することを示す図である。図３０（ａ）において、ＳＳＢ伝送ウィンドウのデュレーションが５ｍｓ、ＳＳＢ伝送ウィンドウ内で伝送可能なＳＳＢの最大個数が４に設定された場合である。図３０（ｂ）において、ＳＳＢ伝送ウィンドウのデュレーションが５ｍｓ、ＳＳＢ伝送ウィンドウ内で伝送可能なＳＳＢの最大個数が８に設定された場合である。
【０１７３】
図３１は、非免許帯域でＳＳＢを伝送するために６０ＫＨｚサブキャリアスペーシングが使用される際、本発明の実施例によって基地局がＳＳＢ伝送ウィンドウ内でスロットごとにＳＳＢ伝送開始機会を有することを示す図である。図３１（ａ）において、ＳＳＢ伝送ウィンドウのデュレーションが５ｍｓ、ＳＳＢ伝送ウィンドウ内で伝送可能なＳＳＢの最大個数が４に設定された場合である。図３１（ｂ）において、ＳＳＢ伝送ウィンドウのデュレーションが５ｍｓ、ＳＳＢ伝送ウィンドウ内で伝送可能なＳＳＢの最大個数が８に設定された場合である。
【０１７４】
他の具体的な実施例において、基地局は、ＳＳＢ伝送ウィンドウ内で特定時間区間ごとにＳＳＢ伝送開始機会を設定してＳＳＢを伝送する。詳しくは、特定時間区間ごとに基地局はＳＳＢ伝送を試みる。この際、特定時間区間はスロットの整数倍のデュレーションを有する。また、特定時間区間は予め設定された候補群（ｃａｎｄｉｄａｔｅｓ）内で基地局のＲＲＣ設定（ｃｏｎｆｉｇｕｒａｔｉｏｎ）で設定される。また、特定時間区間は端末と基地局の合意によって固定された値である。
【０１７５】
チャネルアクセス（例えば、ＬＢＴ）手順の失敗によって、基地局はＳＳＢを伝送できない可能性がある。基地局が設定された（ｃｏｎｆｉｇｕｒｅｄ）位置でＳＳＢを伝送できなければ、他の位置で伝送されるようにＳＳＢ伝送ウィンドウが定義される。ＳＳＢ伝送ウィンドウは基地局がＳＳＢを伝送可能な区間であって、複数のＳＳＢ伝送候補位置を含む。いずれか一つのＳＳＢ伝送候補位置で基地局がＳＳＢの伝送を開始できなかったら、基地局はＳＳＢ伝送ウィンドウ内で該当ＳＳＢ伝送候補位置より遅い時点のＳＳＢ伝送候補位置でＳＳＢ伝送を試みる。ＳＳＢ伝送候補位置は、基地局がＳＳＢの伝送を開始可能な時点である。ＳＳＢ伝送ウィンドウ内のいずれか一つのＳＳＢ伝送候補位置で端末がＳＳＢを受信できなかったら、端末は該当ＳＳＢ伝送ウィンドウ内の該当ＳＳＢ伝送候補位置より遅い時点のＳＳＢ伝送候補位置でＳＳＢを受信する。この際、端末は、ＳＳＢ伝送候補位置で基地局がＳＳＢの伝送を開始できなかったか、基地局のＳＳＢ伝送が失敗したのかを判断する。具体的な実施例において、ＳＳＢ伝送ウィンドウ内のいずれか一つのＳＳＢ伝送候補位置で端末がＳＳＢを受信できなかったら、端末は該当ＳＳＢ伝送ウィンドウ内の該当ＳＳＢ伝送候補位置の次のＳＳＢ伝送候補位置でＳＳＢの受信を試みる。端末がいずれか一つのＳＳＢ伝送候補位置でＳＳＢの受信を開始しＳＳＢの受信を完了した後、端末は該当ＳＳＢ伝送ウィンドウ内で追加のＳＳＢの受信を期待しない。詳しくは、端末がいずれか一つのＳＳＢ伝送候補位置でＳＳＢの受信を開始しＳＳＢの受信を完了した後、端末は該当ＳＳＢ伝送ウィンドウ内で追加のＳＳＢの受信を試みない。
【０１７６】
他の具体的な実施例において、ＳＳＢ伝送ウィンドウ内のいずれか一つのＳＳＢ伝送候補位置で端末がＳＳＢを受信できなかったら、端末は該当ＳＳＢ伝送ウィンドウ内で該当ＳＳＢ伝送候補位置の次のＳＳＢ伝送候補位置で特定ＳＳＢの受信を試みる。端末がいずれか一つのＳＳＢ伝送候補位置で特定ＳＳＢの受信を開始し特定ＳＳＢの受信を完了した後、端末は該当ＳＳＢ伝送ウィンドウ内で特定ＳＳＢの受信を行わない。詳しくは、端末はいずれか一つのＳＳＢ伝送候補位置で特定ＳＳＢを受信した後、端末は該当ＳＳＢ伝送ウィンドウ内で特定ＳＳＢの受信を追加に試みない。
【０１７７】
また他の具体的な実施例において、端末はいずれか一つのＳＳＢ伝送候補位置で特定ＳＳＢの受信を完了した後でも、端末は該当ＳＳＢ伝送ウィンドウ内で特定ＳＳＢの受信を追加に試みてもよい。この際、端末は追加に特定ＳＳＢを受信し、追加に受信した特定ＳＳＢを介して合成ゲイン（ｃｏｍｂｉｎｉｎｇ  ｇａｉｎ）を得ることができるためである。このような実施例は、ビームオペレーションのために互いに異なるビームインデックスに当たる複数のＳＳＢが伝送される場合だけでなく、オムニ−伝送（ｏｍｎｉ−ＴＸ）方式を利用する場合にも適用される。詳しくは、同じＳＳＢが繰り返し伝送される場合にも適用される。基地局がＬＢＴ手順の後でＳＳＢを伝送することがあり、ＬＢＴ手順の失敗によってＤＲＳ伝送ウィンドウ内でＳＳＢブロックセット内の全てのＳＳＢを伝送できないことがある。よって、ＳＳＢの伝送順によってＳＳＢインデックス別にＳＳＢの伝送確率が異なり得る。互いに異なるＳＳＢインデックスに当たるＳＳＢの伝送確率を均一に確保する実施例が必要である。それについては、図３２乃至図４２を介して説明する。
【０１７８】
ＳＳＢ伝送ウィンドウ内のＳＳＢ伝送候補位置それぞれはＳＳＢセットのうちいずれか一つのＳＳＢにマッピングされ、基地局はＳＳＢ伝送候補位置とＳＳＢとの間のマッピングに基づいてＳＳＢを伝送する。この際、ＳＳＢセットの複数のＳＳＢは、ＳＳＢセット内で固有の値であるＳＳＢインデックスで識別される。また、ＳＳＢ伝送ウィンドウ内において、複数のＳＳＢ伝送候補位置はＳＳＢ伝送候補位置インデックスで識別される。詳しくは、基地局が特定ＳＳＢ伝送候補位置でチャネルアクセスに成功したら、基地局は該当ＳＳＢ伝送候補位置からＳＳＢの伝送を開始する。この際、基地局はそれぞれのＳＳＢ伝送候補位置にマッピングされたＳＳＢを伝送する。具体的な実施例において、基地局は、チャネルアクセスに成功したＳＳＢ伝送候補位置からＳＳＢセットの伝送を終了するまでの時間区間に位置する少なくとも一つのＳＳＢ伝送候補位置それぞれから、少なくとも一つのＳＳＢ伝送候補位置それぞれにマッピングされたＳＳＢを伝送する。また、基地局はＳＳＢ伝送ウィンドウ内でＳＳＢを伝送し、ＳＳＢ伝送ウィンドウ内で最大に伝送可能なＳＳＢの個数内でＳＳＢを伝送する。
【０１７９】
基地局は、ＤＲＳ伝送周期（ｐｅｒｉｏｄｉｃｉｔｙ）に基づいてＳＳＢを伝送する。詳しくは、基地局のＤＲＳ伝送はＳＳＢ伝送を含む。この際、上述した説明において、ＳＳＢを伝送するためのウィンドウ或いはＳＳＢ伝送ウィンドウはＤＲＳ伝送ウィンドウに代替される。また、ＤＲＳ伝送ウィンドウはＤＲＳを伝送可能な時間区間を示す。また、ＤＲＳ伝送ウィンドウのデュレーションのサイズは固定されている。また、ＤＲＳ伝送ウィンドウは一定周期で繰り返されるように設定される。また、ＤＲＳ伝送ウィンドウは端末別に設定される。
【０１８０】
図３２は、本発明の実施例によってＤＲＳ伝送ウィンドウ内のＳＳＢインデックスとＳＳＢ伝送候補位置インデックスとの間のマッピングが固定されている場合を示す図である。
【０１８１】
図３２は、３０ｋＨｚのサブキャリアスペーシングが使用され、ＤＲＳ伝送ウィンドウのデュレーションが５ｍｓに設定されている場合、ＤＲＳ伝送ウィンドウ内で２０個のＳＳＢ伝送ＳＳＢ伝送候補位置が存在し、２０個のＳＳＢ伝送候補位置それぞれは一つのＳＳＢインデックスに対応する。この際、２０個のＳＳＢ伝送候補位置それぞれに対応するＳＳＢインデックスは静的である。つまり、２０個のＳＳＢ伝送候補位置それぞれに対応するＳＳＢインデックスが設定された後、変更されずにそのまま維持される。例えば、伝送可能なＳＳＢの最大個数が８であれば、ＳＳＢ伝送候補位置インデックスとＳＳＢインデックスは以下のようにマッピングされる。３０ｋＨｚのサブキャリアスペーシングが使用されるため、５ｍｓデュレーションを有するＤＲＳ伝送ウィンドウは計２０個のＳＳＢ伝送のためのＳＳＢ伝送候補位置を含む。説明の便宜上、それぞれのＳＳＢ伝送候補位置インデックスをｉで表示し、ＳＳＢ伝送候補位置ｉに当たるＳＳＢインデックスをｉ＿ＳＳＢと表示する。ＳＳＢ伝送候補位置インデックスが０から７であれば、ｉ＿ＳＳＢ＝ｉである。また、ＳＳＢ伝送候補位置インデックスが８から１５であれば、ｉ＿ＳＳＢ＝（ｉ−８）である。また、ＳＳＢ伝送候補位置インデックスが１６から１９であれば、ｉ＿ＳＳＢ＝（ｉ−１６）である。このようなＳＳＢ伝送候補位置インデックスとＳＳＢインデックスとの間のマッピングは、次の周期のＤＲＳ伝送ウィンドウでもそのまま維持される。図３２は、このような実施例が適用された場合を示す。このような実施例において、各ＳＳＢ伝送候補位置インデックスでＬＢＴの成功確率がいずれも同じであると仮定すると、ＳＳＢインデックスの値が０から３に当たるＳＳＢは伝送機会に対する確率が３／２０であり、ＳＳＢインデックスの値が４から７に当たるＳＳＢは伝送機会に対する確率が１／１０である。互いに異なるＳＳＢインデックスに当たるＳＳＢの伝送確率を均一に確保するために、ＳＳＢの伝送候補位置インデックスでとＳＳＢインデックスとの間のマッピングをＤＲＳ伝送ウィンドウ別に更に設定してもよい。詳しくは、第２ＤＲＳ伝送ウィンドウ内のＳＳＢ伝送候補位置とＳＳＢとの間のマッピング関係は、第１ＤＲＳ伝送ウィンドウ内のＳＳＢ伝送候補位置とＳＳＢとの間のマッピング関係とは異なり得る。
【０１８２】
図３３乃至図３４は、本発明の実施例によってＤＲＳ伝送ウィンドウ内のＳＳＢインデックスとＳＳＢ伝送候補位置インデックスとの間のマッピングが固定されていない場合を示す図である。
【０１８３】
基地局は、以前のＤＲＳ伝送ウィンドウでＳＳＢ伝送候補位置インデックスにマッピングされたＳＳＢインデックスをサイクリックラップアラウンド（ｃｙｃｌｉｃａｌｌｙ  ｗｒａｐ  ａｒｏｕｎｄ）し、ＳＳＢ伝送候補位置インデックスにマッピングする。詳しくは、すぐ前のＤＲＳ伝送ウィンドウでＳＳＢ伝送候補位置インデックスにマッピングされたＳＳＢインデックスの逆順に、ＤＲＳ伝送ウィンドウ内のＳＳＢ伝送候補位置インデックスにＳＳＢインデックスがマッピングされる。基地局は、すぐ前のＤＲＳ伝送ウィンドウにＳＳＢ伝送候補位置インデックスにマッピングされたＳＳＢインデックスの逆順にＤＲＳ伝送ウィンドウ内のＳＳＢ伝送候補位置インデックスにＳＳＢインデックスをマッピングし、ＳＳＢ伝送候補位置インデックスとＳＳＢインデックスとの間のマッピングに基づいてＳＳＢを伝送する。具体的な実施例において、偶数番目のＤＲＳ伝送ウィンドウにおいて、ＳＳＢ伝送候補位置インデックスにＳＳＢインデックスは以下の数式のようにマッピングされる。
ｉ＿ＳＳＢ＝ｉ  ｍｏｄ  Ｌ
この際、ｘ  ｍｏｄ  ｙはｘをｙで割った際の余りを意味する。また、ＬはＤＲＳ伝送ウィンドウ内で基地局が最大に伝送可能なＳＳＢの個数である。
また、奇数番目のＤＲＳ伝送ウィンドウにおいて、ＳＳＢ伝送候補位置インデックスにＳＳＢインデックスは以下の数式のようにマッピングされる。
ｉ＿ＳＳＢ＝（Ｌ−１）−（ｉ  ｍｏｄ  Ｌ）
【０１８４】
例えば、ＤＲＳ伝送ウィンドウ内で伝送可能なＳＳＢの最大個数が８で、ＤＲＳ伝送ウィンドウのデュレーションが５ｍｓで、ＳＳＢ伝送のために３０ｋＨｚのサブキャリアスペーシングが使用される場合、ＳＳＢ伝送候補位置インデックスとＳＳＢインデックスは以下のようにマッピングされる。３０ｋＨｚのサブキャリアスペーシングが使用されるため、５ｍｓデュレーションを有するＤＲＳ伝送ウィンドウは計２０個のＳＳＢ伝送のためのＳＳＢ伝送候補位置を含む。Ｘは偶数である。Ｘ番目のＳＳＢ伝送候補位置インデックスが０から７であれば、ｉ＿ＳＳＢ＝ｉ  ｍｏｄ  ８である。また、ＳＳＢ伝送候補位置インデックスが８から１５であれば、ｉ＿ＳＳＢ＝ｉ  ｍｏｄ  ８である。また、ＳＳＢ伝送候補位置インデックスが１６から１９であれば、ｉ＿ＳＳＢ＝ｉ  ｍｏｄ  ８である。Ｘ番目のＤＲＳ伝送ウィンドウの場合、ＳＳＢ伝送候補位置インデックスが０から７であれば、ｉ＿ＳＳＢ＝７−（ｉ  ｍｏｄ  ８）である。また、ＳＳＢ伝送候補位置インデックスが８から１５であれば、ｉ＿ＳＳＢ＝７−（ｉ  ｍｏｄ  ８）である。また、ＳＳＢ伝送候補位置インデックスが１６から１９であれば、ｉ＿ＳＳＢ＝７−（ｉ  ｍｏｄ  ８）である。図３３は、このような実施例が適用されたＳＳＢ伝送を示す。
【０１８５】
図３３において、基地局はＳＳＢを伝送するための一つのスロット、つまり、２つのＳＳＢ伝送候補位置単位（ｇｒａｎｕａｌｉｔｙ）でＬＢＴ手順を行う。このように、基地局は一つのスロット、つまり、ＳＳＢを伝送するための２つのＳＳＢ伝送候補位置単位でチャネルアクセスを行う。詳しくは、基地局はＳＳＢを伝送するための一つのスロット、つまり、２つのＳＳＢを伝送するためのＳＳＢ伝送候補位置単位でＬＢＴ手順を行う。この際、基地局がインデックスがｉであるＳＳＢ伝送候補位置でＳＳＢ伝送を開始するためのＬＢＴ手順に失敗したら、基地局はインデックスがｉ＋２のＳＳＢ伝送候補位置でＳＳＢ伝送を開始するためのＬＢＴ手順を行い、基地局はインデックスがｉ＋１のＳＳＢ伝送候補位置でＳＳＢ伝送を開始するためのＬＢＴ手順を行うことができない。但し、本実施例はこれに限らず、基地局はＳＳＢ伝送をｎ個のＳＳＢ伝送候補位置単位でためのチャネルアクセスを行ってもよい。この際、ｎは正の整数である。詳しくは、基地局は、ＳＳＢ伝送をｎ個のＳＳＢ伝送候補位置単位でためのＬＢＴ手順を行う。詳しくは、インデックスがｉであるＳＳＢ伝送候補位置でＳＳＢ伝送を開始するためのＬＢＴ手順に失敗したら、基地局はインデックスがｉ＋ｎのＳＳＢ伝送候補位置でＳＳＢ伝送を開始するためのＬＢＴ手順を行うことができ、インデックスがｉ＋ｎのＳＳＢ伝送候補位置の以前のＳＳＢ伝送候補位置でＳＳＢ伝送を開始するためのＬＢＴ手順を行うことができない。具体的な実施例において、ｎは１である。
【０１８６】
図３４は、基地局がＳＳＢを伝送するためのＬＢＴ手順を一つのＳＳＢ伝送候補位置単位で行うことを示す図である。
上述した説明において、ＤＲＳ伝送ウィンドウ内のＳＳＢ伝送候補位置は２０個であり、５ｍｓ内で最大に伝送可能な個数が８である場合を例に挙げているが、上述した実施例はこのような個数に限らない。ＤＲＳ伝送ウィンドウ内のＳＳＢ伝送候補位置がＰ個であり、５ｍｓ内で最大に伝送可能な個数がＱである場合にも適用される。この際、ＰはＱより大きい自然数であり、Ｑは０より大きい自然数である。
【０１８７】
図３３乃至図３４を介して説明した実施例において、２種類のＳＳＢ伝送候補位置とＳＳＢインデックスとの間のマッピングがＤＲＳ伝送ウィンドウに交互に適用されている。４種類のＳＳＢ伝送候補位置とＳＳＢインデックスとの間のマッピングがＤＲＳ伝送ウィンドウに交互に適用されてもよい。それについては、図３５乃至図３６を介して説明する。
【０１８８】
図３５乃至図３７は、本発明の他の実施例によってＤＲＳ伝送ウィンドウ内のＳＳＢインデックスとＳＳＢ伝送候補位置インデックスとの間のマッピングが固定されていない場合を示す図である。
【０１８９】
具体的な実施例において、（ｘ＋Ｎ）番目のＤＲＳ伝送ウィンドウにおいて、Ｎを４で割った余りが０であれば、ＳＳＢ伝送候補位置インデックスにＳＳＢインデックスは以下の数式のようにマッピングされる。
ｉ＿ＳＳＢ＝ｉ  ｍｏｄ  Ｌ
この際、ｘ  ｍｏｄ  ｙはｘをｙで割った際の余りを意味する。また、ＬはＤＲＳ伝送ウィンドウ内で基地局が最大に伝送可能なＳＳＢの個数である。
【０１９０】
また、（ｘ＋Ｎ）番目のＤＲＳ伝送ウィンドウにおいて、Ｎを４で割った余りが１であれば、ＳＳＢ伝送候補位置インデックスにＳＳＢインデックスは以下の数式のようにマッピングされる。
ｉ＿ＳＳＢ＝（Ｌ−１）−（ｉ  ｍｏｄ  Ｌ）
【０１９１】
また、（ｘ＋Ｎ）番目のＤＲＳ伝送ウィンドウにおいて、Ｎを４で割った余りが２であれば、ＳＳＢ伝送候補位置インデックスにＳＳＢインデックスは以下の数式のようにマッピングされる。
ｉ＿ＳＳＢ＝（ｉ＋２）  ｍｏｄ  Ｌ
【０１９２】
また、（ｘ＋Ｎ）番目のＤＲＳ伝送ウィンドウにおいて、Ｎを４で割った余りが３であれば、ＳＳＢ伝送候補位置インデックスにＳＳＢインデックスは以下の数式のようにマッピングされる。
ｉ＿ＳＳＢ＝（Ｌ−１）−｛（ｉ＋２）  ｍｏｄ  Ｌ｝
【０１９３】
例えば、ＤＲＳ伝送ウィンドウ内で伝送可能なＳＳＢの最大個数が８で、ＤＲＳ伝送ウィンドウのデュレーションが５ｍｓで、ＳＳＢ伝送のために１５ｋＨｚのサブキャリアスペーシングが使用される場合、ＳＳＢ伝送候補位置インデックスとＳＳＢインデックスは以下のようにマッピングされる。１５ｋＨｚのサブキャリアスペーシングが使用されるため、５ｍｓデュレーションを有するＤＲＳ伝送ウィンドウは計１０個のＳＳＢ伝送のためのＳＳＢ伝送候補位置を含む。Ｘは４の倍数である。Ｘ番目のＳＳＢ伝送候補位置インデックスが０から７であれば、ｉ＿ＳＳＢ＝ｉ  ｍｏｄ  ８である。また、ＳＳＢ伝送候補位置インデックスが８から９であれば、ｉ＿ＳＳＢ＝ｉ  ｍｏｄ  ８である。Ｘ＋１番目の伝送候補位置インデックスが０から７であれば、ｉ＿ＳＳＢ＝７−（ｉ  ｍｏｄ  ８）である。また、ＳＳＢ伝送候補位置インデックスが８から９であれば、ｉ＿ＳＳＢ＝７−（ｉ  ｍｏｄ  ８）である。Ｘ＋２番目の伝送候補位置インデックスが０から５であれば、ｉ＿ＳＳＢ＝（ｉ＋２）  ｍｏｄ  ８である。また、ＳＳＢ伝送候補位置インデックスが６から９であれば、ｉ＿ＳＳＢ＝（ｉ＋２）  ｍｏｄ  ８である。Ｘ＋３番目の伝送候補位置インデックスが０から５であれば、ｉ＿ＳＳＢ＝７−｛（ｉ＋２）  ｍｏｄ  ８）｝である。また、ＳＳＢ伝送候補位置インデックスが６から９であれば、ｉ＿ＳＳＢ＝７−｛（ｉ＋２）  ｍｏｄ  ８）｝である。
【０１９４】
図３５において、基地局はＳＳＢを伝送するための一つのスロット、つまり、２つのＳＳＢ伝送候補位置単位でＬＢＴ手順を行う。このように、基地局は一つのスロット、つまり、ＳＳＢを伝送するための２つのＳＳＢ伝送候補位置単位でＬＢＴ手順を行う。この際、基地局がインデックスがｉであるＳＳＢ伝送候補位置でＳＳＢ伝送を開始するためのＬＢＴ手順に失敗したら、基地局はインデックスがｉ＋２のＳＳＢ伝送候補位置でＳＳＢ伝送を開始するためのＬＢＴ手順を行い、基地局はインデックスがｉ＋１のＳＳＢ伝送候補位置でＳＳＢ伝送を開始するためのＬＢＴ手順を行うことができない。但し、本実施例はこれに限らず、基地局はＳＳＢ伝送のためのＬＢＴ手順をｎ個のＳＳＢ伝送候補位置単位でを行ってもよい。この際、ｎは正の整数である。詳しくは、インデックスがｉであるＳＳＢ伝送候補位置でＳＳＢ伝送を開始するためのＬＢＴ手順に失敗したら、基地局はインデックスがｉ＋ｎのＳＳＢ伝送候補位置でＳＳＢ伝送を開始するためのＬＢＴ手順を行うことができ、インデックスがｉ＋ｎのＳＳＢ伝送候補位置の以前のＳＳＢ伝送候補位置でＳＳＢ伝送を開始するためのＬＢＴ手順を行うことができない。
【０１９５】
図３６は、基地局がＳＳＢを伝送するためのＬＢＴ手順を一つのＳＳＢ伝送候補位置単位で行うことを示す図である。
上述した説明において、ＤＲＳ伝送ウィンドウ内のＳＳＢ伝送候補位置は１０個であり、５ｍｓ内で最大に伝送可能な個数が８である場合を例に挙げているが、上述した実施例はこのような個数に限らない。ＤＲＳ伝送ウィンドウ内のＳＳＢ伝送候補位置がＰ個であり、５ｍｓ内で最大に伝送可能な個数がＱである場合にも適用される。この際、ＰはＱより大きい自然数であり、Ｑは０より大きい自然数である。
【０１９６】
他の具体的な実施例において、（ｘ＋Ｎ）番目のＤＲＳ伝送ウィンドウにおいて、Ｎを４で割った余りが０であれば、ＳＳＢ伝送候補位置インデックスにＳＳＢインデックスは以下の数式のようにマッピングされる。
ｉ＿ＳＳＢ＝ｉ  ｍｏｄ  Ｌ
この際、ｘ  ｍｏｄ  ｙはｘをｙで割った際の余りを意味する。また、Ｌはハーフ無線フレーム内で基地局が最大に伝送可能なＳＳＢの個数である。
【０１９７】
また、（ｘ＋Ｎ）番目のＤＲＳ伝送ウィンドウにおいて、Ｎを４で割った余りが１であれば、ＳＳＢ伝送候補位置インデックスにＳＳＢインデックスは以下の数式のようにマッピングされる。
【０１９８】
ｉ＿ＳＳＢ＝（Ｌ−１）−｛（ｉ＋２）  ｍｏｄ  Ｌ｝また、（ｘ＋Ｎ）番目のＤＲＳ伝送ウィンドウにおいて、Ｎを４で割った余りが２であれば、ＳＳＢ伝送候補位置インデックスにＳＳＢインデックスは以下の数式のようにマッピングされる。
ｉ＿ＳＳＢ＝（ｉ＋２）  ｍｏｄ  Ｌ
【０１９９】
また、（Ｘ＋Ｎ）番目のＤＲＳ伝送ウィンドウにおいて、Ｎを４で割った余りが３であれば、ＳＳＢ伝送候補位置インデックスにＳＳＢインデックスは以下の数式のようにマッピングされる。
ｉ＿ＳＳＢ＝（Ｌ−１）−（ｉ  ｍｏｄ  Ｌ）
【０２００】
図３７は、図３５を介して説明した実施例がＤＲＳ伝送ウィンドウ内で最大に伝送可能なＳＳＢの個数が４である場合に適用されることを示す。
図３８乃至図４２は、本発明のまた他の実施例によってＤＲＳ伝送ウィンドウ内のＳＳＢインデックスとＳＳＢ伝送候補位置インデックスとの間のマッピングが固定されていない場合を示す図である。
【０２０１】
基地局は、ｘ番目のＤＲＳ伝送ウィンドウから（ｘ＋Ｎ）番目のＤＲＳ伝送ウィンドウまで、伝送ウィンドウそれぞれでＳＳＢ伝送候補位置インデックスとＳＳＢインデックスの間のマッピングを互いに異なるように設定する。詳しくは、ＤＲＳ伝送ウィンドウが変更されるたびに、基地局はＳＳＢ伝送候補位置インデックスにマッピングされるＳＳＢインデックスの値をサイクリックラップアラウンドして設定する。基地局がハーフ無線フレーム内で伝送可能なＳＳＢの最大個数が８個であれば、基地局はＳＳＢ伝送候補位置とＳＳＢインデックスマッピングに４、２、及び１のうちいずれか一つの単位でサイクリックラップアラウンドを適用する。また、基地局がハーフ無線フレーム内で伝送可能なＳＳＢの最大個数が４個であれば、基地局はＳＳＢ伝送候補位置とＳＳＢインデックスマッピングに２及び１のうちいずれか一つの単位でサイクリックラップアラウンドを適用する。
【０２０２】
基地局は、ＳＳＢ伝送候補位置とＳＳＢインデックスマッピングにＤＲＳ伝送ウィンドウ内で、基地局が最大に伝送可能なＳＳＢの個数を４で割った値の単位でサイクリックラップアラウンドを適用する。図３８乃至図３９は、実施例によってＳＳＢ伝送候補位置とＳＳＢインデックスマッピングにハーフ無線フレーム内で、基地局が最大に伝送可能なＳＳＢの個数を４で割った値の単位でサイクリックエクステンションが適用されることを示す。
詳しくは、ＳＳＢ伝送候補位置インデックスとＳＳＢインデックスは以下のようにマッピングされる。
【０２０３】
（ｘ＋Ｎ）番目のＤＲＳ伝送ウィンドウにおいて、Ｎを２で割った余りが０であれば、ＳＳＢ伝送候補位置インデックスにＳＳＢインデックスは以下の数式のようにマッピングされる。
ｉ＿ＳＳＢ＝ｉ  ｍｏｄ  Ｌ
この際、ｘ  ｍｏｄ  ｙはｘをｙで割った際の余りを意味する。また、ＬはＤＲＳ伝送ウィンドウ内で基地局が最大に伝送可能なＳＳＢの個数である。
【０２０４】
また、（ｘ＋Ｎ）番目のＤＲＳ伝送ウィンドウにおいて、Ｎを２で割った余りが１であれば、ＳＳＢ伝送候補位置インデックスにＳＳＢインデックスは以下の数式のようにマッピングされる。
ｉ＿ＳＳＢ＝（ｉ＋Ｌ／２）  ｍｏｄ  Ｌ
【０２０５】
図３８は、ＤＲＳ伝送ウィンドウ内で伝送可能なＳＳＢの最大個数が８で、ＳＳＢを伝送するために３０ｋＨｚのサブキャリアスペーシングが使用される場合、ＳＳＢ伝送候補位置インデックスとＳＳＢインデックスのマッピングを示す。よって、ＤＲＳ伝送ウィンドウは、２０個のＳＳＢ伝送候補位置を含む。図３８において、ＤＲＳ伝送ウィンドウ内のＳＳＢ伝送候補位置は２０個であり、ＤＲＳ伝送ウィンドウ内で最大に伝送可能な個数が８で、ＤＲＳ伝送ウィンドウのデュレーションが５ｍｓである場合を例に挙げているが、上述した実施例はこのような個数に限らない。ＤＲＳ伝送ウィンドウ内のＳＳＢ伝送候補位置がＰ個であり、ＤＲＳ伝送ウィンドウ内で最大に伝送可能な個数がＱである場合にも適用される。この際、ＰはＱより大きい自然数であり、Ｑは０より大きい自然数である。
【０２０６】
図３８において、基地局はＳＳＢを伝送するためのＬＢＴ手順を一つのスロット、つまり、２つのＳＳＢ伝送候補位置単位で行う。このように、基地局はＳＳＢを伝送するためのＬＢＴ手順を一つのスロット、つまり、２つのＳＳＢを伝送候補位置単位で行う。この際、基地局がインデックスがｉであるＳＳＢ伝送候補位置でＳＳＢ伝送を開始するためのＬＢＴ手順に失敗したら、基地局はインデックスがｉ＋２のＳＳＢ伝送候補位置でＳＳＢ伝送を開始するためのＬＢＴ手順を行い、基地局はインデックスがｉ＋１のＳＳＢ伝送候補位置でＳＳＢ伝送を開始するためのＬＢＴ手順を行うことができない。但し、本実施例はこれに限らず、基地局はＳＳＢ伝送のためのＬＢＴ手順をｎ個のＳＳＢ伝送候補位置単位でを行ってもよい。この際、ｎは正の整数である。詳しくは、インデックスがｉであるＳＳＢ伝送候補位置でＳＳＢ伝送を開始するためのＬＢＴ手順に失敗したら、基地局はインデックスがｉ＋ｎのＳＳＢ伝送候補位置でＳＳＢ伝送を開始するためのＬＢＴ手順を行うことができ、インデックスがｉ＋ｎのＳＳＢ伝送候補位置の以前のＳＳＢ伝送候補位置でＳＳＢ伝送を開始するためのＬＢＴ手順を行うことができない。
図３９は、基地局がＳＳＢを伝送するためのＬＢＴ手順を一つのＳＳＢ伝送候補位置単位で行うことを示す図である。
【０２０７】
基地局は、ＳＳＢ伝送候補位置とＳＳＢインデックスマッピングにハーフ無線フレーム内で、基地局が最大に伝送可能なＳＳＢの個数を２で割った値の単位でサイクリックエクステンションを適用する。図４０乃至図４２は、実施例によってＳＳＢ伝送候補位置とＳＳＢインデックスマッピングにハーフ無線フレーム内で、基地局が最大に伝送可能なＳＳＢの個数を２で割った値の単位でサイクリックエクステンションが適用されることを示す。
【０２０８】
基地局は、ハーフ無線フレーム内で、基地局が最大に伝送可能なＳＳＢの個数を２で割った値の単位でサイクリックエクステンションを適用する。詳しくは、ＳＳＢ伝送候補位置インデックスとＳＳＢインデックスは以下のようにマッピングされる。
【０２０９】
（ｘ＋Ｎ）番目のＤＲＳ伝送ウィンドウにおいて、Ｎを４で割った余りが０であれば、ＳＳＢ伝送候補位置インデックスにＳＳＢインデックスは以下の数式のようにマッピングされる。
ｉ＿ＳＳＢ＝ｉ  ｍｏｄ  Ｌ
この際、ｘ  ｍｏｄ  ｙはｘをｙで割った際の余りを意味する。また、Ｌはハーフ無線フレーム内で基地局が最大に伝送可能なＳＳＢの個数である。
【０２１０】
また、（ｘ＋Ｎ）番目のＤＲＳ伝送ウィンドウにおいて、Ｎを４で割った余りが１であれば、ＳＳＢ伝送候補位置インデックスにＳＳＢインデックスは以下の数式のようにマッピングされる。
ｉ＿ＳＳＢ＝（ｉ＋Ｌ／２）  ｍｏｄ  Ｌ
【０２１１】
また、（ｘ＋Ｎ）番目のＤＲＳ伝送ウィンドウにおいて、Ｎを４で割った余りが２であれば、ＳＳＢ伝送候補位置インデックスにＳＳＢインデックスは以下の数式のようにマッピングされる。
ｉ＿ＳＳＢ＝（ｉ＋Ｌ／４）  ｍｏｄ  Ｌ
【０２１２】
また、（ｘ＋Ｎ）番目のＤＲＳ伝送ウィンドウにおいて、Ｎを４で割った余りが３であれば、ＳＳＢ伝送候補位置インデックスにＳＳＢインデックスは以下の数式のようにマッピングされる。
ｉ＿ＳＳＢ＝（ｉ＋３＊Ｌ／４）  ｍｏｄ  Ｌ
【０２１３】
図４０は、ＤＲＳ伝送ウィンドウ内で伝送可能なＳＳＢの最大個数が８で、ＳＳＢを伝送するために１５ｋＨｚのサブキャリアスペーシングが使用される場合、ＳＳＢ伝送候補位置インデックスとＳＳＢインデックスのマッピングを示す。よって、ＤＲＳ伝送ウィンドウは、１０個のＳＳＢ伝送候補位置を含む。図４０において、ＤＲＳ伝送ウィンドウ内のＳＳＢ伝送候補位置は１０個であり、ＤＲＳ伝送ウィンドウ内で最大に伝送可能な個数が８で、ＤＲＳ伝送ウィンドウのデュレーションが５ｍｓである場合を例に挙げているが、上述した実施例はこのような個数に限らない。ＤＲＳ伝送ウィンドウ内のＳＳＢ伝送候補位置がＰ個であり、ＤＲＳ伝送ウィンドウ内で最大に伝送可能な個数がＱである場合にも適用される。この際、ＰはＱより大きい自然数であり、Ｑは０より大きい自然数である。
【０２１４】
図４０において、基地局はＳＳＢを伝送するためのＬＢＴ手順を一つのスロット、つまり、２つのＳＳＢ伝送候補位置単位で行う。このように、基地局はＳＳＢを伝送するためのＬＢＴ手順を一つのスロット、つまり、２つのＳＳＢを伝送候補位置単位で行う。この際、基地局がインデックスがｉであるＳＳＢ伝送候補位置でＳＳＢ伝送を開始するためのＬＢＴ手順に失敗したら、基地局はインデックスがｉ＋２のＳＳＢ伝送候補位置でＳＳＢ伝送を開始するためのＬＢＴ手順を行い、基地局はインデックスがｉ＋１のＳＳＢ伝送候補位置でＳＳＢ伝送を開始するためのＬＢＴ手順を行うことができない。但し、本実施例はこれに限らず、基地局はＳＳＢ伝送のためのＬＢＴ手順をｎ個のＳＳＢ伝送候補位置単位でを行ってもよい。この際、ｎは正の整数である。詳しくは、インデックスがｉであるＳＳＢ伝送候補位置でＳＳＢ伝送を開始するためのＬＢＴ手順に失敗したら、基地局はインデックスがｉ＋ｎのＳＳＢ伝送候補位置でＳＳＢ伝送を開始するためのＬＢＴ手順を行うことができ、インデックスがｉ＋ｎのＳＳＢ伝送候補位置の以前のＳＳＢ伝送候補位置でＳＳＢ伝送を開始するためのＬＢＴ手順を行うことができない。
【０２１５】
図４１は、基地局がＳＳＢを伝送するためのＬＢＴ手順を一つのＳＳＢ伝送候補位置単位で行うことを示す図である。
図４２は、ＤＲＳ伝送ウィンドウ内で基地局が最大に伝送可能なＳＳＢの個数が４である場合を示す。つまり、（ｘ＋Ｎ）番目のＤＲＳ伝送ウィンドウにおいて、Ｎを２で割った余りが０であれば、ＳＳＢ伝送候補位置インデックスにＳＳＢインデックスは以下の数式のようにマッピングされる。
ｉ＿ＳＳＢ＝ｉ  ｍｏｄ  Ｌ
【０２１６】
また、（ｘ＋Ｎ）番目のＤＲＳ伝送ウィンドウにおいて、Ｎを２で割った余りが１であれば、ＳＳＢ伝送候補位置インデックスにＳＳＢインデックスは以下の数式のようにマッピングされる。
ｉ＿ＳＳＢ＝（ｉ＋Ｌ／２）  ｍｏｄ  Ｌ
他の具体的な実施例において、ＳＳＢ伝送候補位置インデックスとＳＳＢインデックスは以下のようにマッピングされる。
【０２１７】
（ｘ＋Ｎ）番目のＤＲＳ伝送ウィンドウにおいて、Ｎを４で割った余りが０であれば、ＳＳＢ伝送候補位置インデックスにＳＳＢインデックスは以下の数式のようにマッピングされる。
ｉ＿ＳＳＢ＝ｉ  ｍｏｄ  Ｌ
この際、ｘ  ｍｏｄ  ｙはｘをｙで割った際の余りを意味する。また、Ｌはハーフ無線フレーム内で基地局が最大に伝送可能なＳＳＢの個数である。
【０２１８】
また、（ｘ＋Ｎ）番目のＤＲＳ伝送ウィンドウにおいて、Ｎを４で割った余りが１であれば、ＳＳＢ伝送候補位置インデックスにＳＳＢインデックスは以下の数式のようにマッピングされる。
ｉ＿ＳＳＢ＝（ｉ＋Ｌ／４）  ｍｏｄ  Ｌ
【０２１９】
また、（ｘ＋Ｎ）番目のＤＲＳ伝送ウィンドウにおいて、Ｎを４で割った余りが２であれば、ＳＳＢ伝送候補位置インデックスにＳＳＢインデックスは以下の数式のようにマッピングされる。
ｉ＿ＳＳＢ＝（ｉ＋Ｌ／２）  ｍｏｄ  Ｌ
【０２２０】
また、（ｘ＋Ｎ）番目のＤＲＳ伝送ウィンドウにおいて、Ｎを４で割った余りが３であれば、ＳＳＢ伝送候補位置インデックスにＳＳＢインデックスは以下の数式のようにマッピングされる。
ｉ＿ＳＳＢ＝（ｉ＋３＊Ｌ／４）  ｍｏｄ  Ｌ
【０２２１】
この際、ＳＳＢ伝送候補位置インデックスとＳＳＢインデックスマッピングを除いた残りの動作は、図４０乃至図４２を介して説明した実施例が同じく適用される。
【０２２２】
基地局は、図３２乃至図４２を介して説明した実施例が適用されたＳＳＢ伝送候補位置とＳＳＢとの間のマッピングに基づいてＳＳＢを伝送する。詳しくは、基地局が特定ＳＳＢ伝送候補位置でチャネルアクセスに成功したら、基地局は該当ＳＳＢ伝送候補位置からＳＳＢの伝送を開始する。この際、基地局は、それぞれのＳＳＢ伝送候補位置でそれぞれのＳＳＢ伝送候補位置にマッピングされたＳＳＢを伝送する。具体的な実施例において、基地局は、チャネルアクセスに成功したＳＳＢ伝送候補位置からＳＳＢの伝送を終了するまでの時間区間に位置する少なくとも一つのＳＳＢ伝送候補位置それぞれで、少なくとも一つのＳＳＢ伝送候補位置それぞれにマッピングされたＳＳＢを伝送する。また、基地局はＤＲＳ伝送ウィンドウ内でＳＳＢを伝送し、ＤＲＳ伝送ウィンドウのデュレーションが内で最大に伝送可能なＳＳＢの個数内でＳＳＢを伝送する。端末はＤＲＳに含まれたＳＳＢを受信し、ＤＲＳに基づいて初期アクセス（ｉｎｉｔｉａｌ  ａｃｃｅｓｓ）及びセル探索（ｃｅｌｌ  ｄｅｔｅｃｔｉｏｎ）、ＲＲＭ、ＲＬＭ、及びＲＳＳＩ測定のうち少なくともいずれか一つを行う。
【０２２３】
図３３乃至図４２を介して説明した実施例を介し、基地局は各ＳＳＢインデックスに当たるＳＳＢが伝送される確率を最大限均一に保障することができる。
図３３乃至図４２を介して説明した実施例を介し、端末はＳＳＢを受信した後、追加のタイミング情報（ｔｉｍｉｎｇ  ｉｎｆｏｒｍａｔｉｏｎ）を受信する必要がある。つまり、一つのＤＲＳ伝送ウィンドウ内で同じＳＳＢが複数のＳＳＢ伝送候補位置で伝送される。例えば、図３３において、第１ＳＳＢインデックス（ＳＳＢ  ｉｎｄｅｘ  ＃０）を有するＳＳＢの伝送が、ｘ番目のＤＲＳ伝送ウィンドウ内にＳＳＢ伝送候補位置インデックスの値が０、８、及び１６のうちいずれか一つに当たるＳＳＢ伝送候補位置で伝送される。端末が第１ＳＳＢインデックス（ＳＳＢ  ｉｎｄｅｘ  ＃０）を有するＳＳＢを受信したら、端末は第１ＳＳＢ伝送候補位置インデックス（＃０）で受信したのか、第９ＳＳＢ伝送候補位置インデックス（＃８）で受信したのか、または第１７ＳＳＢ伝送候補位置インデックス（＃１６）で受信したのかを知ることができない。また、図４２において、第１ＳＳＢインデックス（ＳＳＢ  ｉｎｄｅｘ  ＃０）を有するＳＳＢが、ｘ番目のＤＲＳ伝送ウィンドウ内に第１ＳＳＢ伝送候補位置インデックス（＃０）または第５ＳＳＢ伝送候補位置インデックス（＃４）で伝送される。端末が第１ＳＳＢインデックス（ＳＳＢ  ｉｎｄｅｘ  ＃０）を有するＳＳＢを受信したら、端末は第１ＳＳＢ伝送候補位置インデックス（＃０）で受信したのか、または第５ＳＳＢ伝送候補位置インデックス（＃４）で受信したのかを知ることができない。よって、端末は、追加のタイミング情報を知らなければ、ＳＳＢをどのＳＳＢ伝送候補位置で受信したのかを知ることができない。結局、端末は追加のタイミング情報を知らなければ、ＳＳＢ伝送候補位置によるＳＳＢの受信タイミングを設定することができない。よって、基地局は初期アクセスの際、ＰＢＣＨを介して端末に追加のタイミング情報を指示する。この際、基地局は、端末に同じＳＳＢインデックスにマッピングされたＳＳＢ伝送候補位置に対するタイミングオフセットをＰＢＣＨを介して伝送する。詳しくは、基地局はｏｆｆｓｅｔ＿ＳＳＢ＝ｆｌｏｏｒ  （ｉ／Ｌ）の値でタイミング情報を指示する。この際、ｉはＳＳＢ伝送候補位置のインデックスであり、ＬはＤＲＳ伝送ウィンドウ内で基地局が最大に伝送可能なＳＳＢの個数である。ＤＲＳ伝送ウィンドウが含むＳＳＢ伝送候補位置の個数とＤＲＳ伝送ウィンドウ内で伝送可能なＳＳＢの最大個数は、非免許帯域キャリア周波数及びサブキャリアスペーシングによって異なり得る。また、ＤＲＳ伝送ウィンドウが含むＳＳＢ伝送候補位置の個数とＤＲＳ伝送ウィンドウ内で伝送可能なＳＳＢの最大個数は、ＤＲＳ伝送ウィンドウの長さ及びＤＲＳ伝送デュレーションによって異なり得る。前記でＤＲＳ伝送ウィンドウの長さがＳＳＢ伝送ウィンドウの長さと同じで、ＳＳＢ伝送ウィンドウの長さが５ｍｓで、一つのスロットで最大２つのＳＳＢが伝送可能であることを仮定して説明したが、本発明の実施例はこれに限らない。
【０２２４】
また、非免許帯域において、端末と基地局は２０ＭＨｚ単位でチャネルアクセスを行う。これは、非免許帯域を使用する他のＲＡＴ（ｒａｄｉｏ  ａｃｃｅｓｓ  ｔｅｃｈｎｏｌｏｇｉｅｓ）、例えば、Ｗｉ−Ｆｉとの共存のためのものである。詳しくは、非免許帯域において、端末と基地局は２０ＭＨｚ単位のＬＢＴ手順を行い、ＬＢＴ手順の結果に応じてチャネルでの伝送を行う。端末の場合、基地局との上りリンク同期化のためにランダムアクセスを行うべきである。詳しくは、端末が非免許帯域でスタンドアローンで動作する場合だけでなく、非免許帯域のキャリアと免許帯域のキャリアを共に使用する場合にもランダムアクセスを行う必要がある。端末は室内（ｉｎｄｏｏｒ）またはカバレッジが大きくない屋外（ｏｕｔｄｏｏｒ）環境で基地局とコロケーテッドされないか（ｎｏｎ−ｃｏｌｌｏｃａｔｅｄ）、非理想的なバックホール（ｎｏｎ−ｉｄｅａｌ  ｂａｃｋｈａｕｌ）を利用するが、このような場合、上りリンク同期を合わせるランダムアクセス手順が必要なためである。端末に上り伝送ための帯域幅として複数の２０ＭＨｚ帯域幅からなる帯域幅が設定されれば、端末が該当周波数帯域幅の一部である２０ＭＨｚ帯域幅を使用してランダムアクセスプリアンブル伝送を試みる。ランダムアクセスプリアンブル伝送を試みた周波数帯域幅に当たる周波数帯域が使用中（ｂｕｓｙ）であれば、端末に設定された帯域幅のうちランダムアクセスプリアンブルの伝送を試みた２０ＭＨｚ帯域幅以外の他の周波数帯域幅が遊休であっても、端末はランダムアクセスプリアンブルを伝送することができない。このような問題のため、スペクトル効率性（ｓｐｅｃｔｒａｌ  ｅｆｆｉｃｉｅｎｃｙ）が落ちる恐れがある。よって、これを解決する方法が必要である。
【０２２５】
基地局は、非免許帯域のＢＷＰ（ｂａｎｄｗｉｄｔｈ  ｐａｒｔ）が２０ＭＨｚ帯域幅を有するように設定する。詳しくは、基地局は、非免許帯域のＢＷＰの帯域幅を２０ＭＨｚ以外の値に設定することが許容されない。２０ＭＨｚ以上の帯域幅をを有する周波数帯域幅が使用されれば、複数のＢＷＰが端末に設定される。また、基地局は、ＢＷＰ別にＰＲＡＣＨ伝送オケージョン（ｏｃｃａｓｉｏｎ）を設定する。端末は、ＢＷＰ別にＰＲＡＣＨ伝送を試みる。この際、端末がいずれか一つのＢＷＰでチャネルアクセスに成功したら、端末は該当ＢＷＰでＰＲＡＣＨを伝送する。よって、このような実施例において、端末はいずれか一つの２０ＭＨｚ帯域幅を有する周波数帯域幅でＰＲＡＣＨ伝送を試みる場合より高いＰＲＡＣＨ伝送確率を確保することができる。また、基地局は、端末に２０ＭＨｚ帯域幅別にＰＲＡＣＨ伝送オケージョンを設定する。端末は、２０ＭＨｚ帯域幅別にＰＲＡＣＨ伝送を試みる。この際、端末がいずれか一つの２０ＭＨｚ帯域幅でチャネルアクセスに成功したら、端末は該当２０ＭＨｚ帯域幅でＰＲＡＣＨを伝送する。よって、このような実施例において、端末はいずれか一つの２０ＭＨｚ帯域幅を有する周波数帯域幅でＰＲＡＣＨ伝送を試みる場合より高いＰＲＡＣＨ伝送確率を確保することができる。
【０２２６】
但し、端末が複数のＢＷＰ或いは複数の２０ＭＨｚ帯域幅でチャネルアクセスに成功したら、端末が複数のＢＷＰ或いは複数の２０ＭＨｚ帯域幅でいずれもＰＲＡＣＨを伝送可能であるのかが問題となる。端末が複数のＢＷＰ或いは複数の２０ＭＨｚ帯域幅でチャネルアクセスに成功し、複数のＢＷＰ或いは複数の２０ＭＨｚ帯域幅でＰＲＡＣＨを伝送する場合、ＰＲＡＣＨオケージョンで端末間の伝送衝突が頻繁に発生する可能性がある。それによて、衝突解決（ｃｏｎｔｅｎｔｉｏｎ  ｒｅｓｏｌｕｔｉｏｎ）手順が行われてシステムレイテンシが増加する恐れがある。よって、端末は、チャネルアクセスに成功したＢＷＰ或いは複数の２０ＭＨｚ帯域幅が複数の場合であっても、いずれか一つのＢＷＰ或いは２０ＭＨｚ帯域幅でのみＲＲＡＣＨを伝送する。この際、ＰＲＡＣＨ伝送が行われるいずれか一つのＢＷＰ或いは２０ＭＨｚ帯域幅は、端末と基地局との間の合意によって設定される。詳しくは、端末と基地局はチャネルアクセスの後、伝送に使用するＢＷＰ或いは２０ＭＨｚ帯域幅の優先順位を協議する。端末がチャネルアクセスに成功したＢＷＰ或いは２０ＭＨｚ帯域幅が複数であれば、端末は優先順位に応じて複数のＢＷＰ或いは複数の２０ＭＨｚ帯域幅のうちからいずれか一つを選択する。端末は、選択したＢＷＰを介してＰＲＡＣＨを伝送する。基地局は、優先順位に応じてＰＲＡＣＨの感知（ｄｅｔｅｃｔｉｏｎ）を行う。この際、基地局が優先順位に応じて一つ以上のＢＷＰ或いは一つ以上の２０ＭＨｚ帯域幅でＰＲＡＣＨの感知を完了したら、基地局は追加のＰＲＡＣＨ感知を行わない。この際、一つ以上のＢＷＰの個数或いは一つ以上の２０ＭＨｚ帯域幅は、端末と基地局の協議によって決定される。また、優先順位はサービングセルインデックスに基づいて設定される。詳しくは、優先順位は、サービングセルインデックスが大きいＢＷＰ或いはサービングセルインデックスが大きい２０ＭＨｚ帯域幅が高い優先順位を有するように設定される。他の具体的な実施例において、優先順位は、サービングセルインデックスが低いＢＷＰ或いはサービングセルインデックスが低い２０ＭＨｚ帯域幅が高い優先順位を有するように設定されてもよい。優先順位は、ＢＷＰのインデックス或いは２０ＭＨｚ帯域幅が占めるチャネルナンバーを基準に設定される。詳しくは、優先順位は、ＢＷＰインデックスが大きいＢＷＰが高い優先順位を有するように設定される。他の具体的な実施例において、優先順位は、ＢＷＰインデックスが低いＢＷＰが高い優先順位を有するように設定されてもよい。
【０２２７】
上りリンクを同期化するためのランダムアクセス手順において、端末と基地局は少なくとも４ステップの手順を行うべきである。詳しくは、端末は基地局にＰＲＡＣＨを伝送し、基地局は端末にＰＡＲ（ＲＡＣＨ  ｒｅｓｐｏｎｓｅ）を伝送すべきである。端末はＰＡＲに対する応答としてＰＵＳＣＨ、つまり、メッセージ−３を伝送すべきである。また、基地局は端末にメッセージ−４を伝送すべきである。このような基地局と端末の伝送において、基地局と端末それぞれはチャネルアクセス手順を行うべきである。よって、ランダムアクセス手順において過度な遅延が発生する確率が高い。従って、ランダムアクセス手順における過度な遅延を防止するための方法が必要である。特に、ＲＡＣＨ伝送に関して過度な遅延を防止するための方法が必要である。
【０２２８】
端末は、ＰＲＡＣＨ伝送ウィンドウ内でＰＲＡＣＨ伝送を試みる。詳しくは、端末が基地局によって設定されたＰＲＡＣＨオケージョンでＰＲＡＣＨの伝送に失敗したら、端末はＰＲＡＣＨ伝送ウィンドウ内でＰＲＡＣＨ伝送を試みる。具体的な実施例において、端末が基地局によって設定されたＰＲＡＣＨオケージョンでＰＲＡＣＨの伝送に失敗したら、端末はＰＲＡＣＨ伝送ウィンドウ内でチャネルアクセスを試みる。端末がチャネルアクセスに成功したら、端末は基地局にＰＲＡＣＨを伝送する。この際、ＰＲＡＣＨ伝送ウィンドウは基地局によって設定される。詳しくは、ＰＲＡＣＨ伝送ウィンドウはＲＲＣ設定を介して基地局によって設定される。また、ＲＲＣを設定する前に、基地局はＲＭＳＩを介してＰＲＡＣＨ伝送ウィンドウに関する情報を指示する。端末がＲＭＳＩを介してＰＲＡＣＨ伝送ウィンドウに関する情報を受信することができなければ、端末はＲＭＳＩを介して設定されたＰＲＡＣＨ設定情報に基づいて、デフォルトパラメータをＰＲＡＣＨ伝送ウィンドウに関する情報として使用する。
前記説明において、チャネルアクセスに成功したということは、ＬＢＴ手順に成功したことで示される。
【０２２９】
端末が非免許帯域でスタンドアローンで動作する場合、端末は非免許帯域を介して基地局に上りリンク制御チャネル（ＰＵＣＣＨ、ｐｈｙｓｉｃａｌ  ｕｐｌｉｎｋ  ｃｏｎｔｒｏｌ  ｃｈａｎｎｅｌ）を伝送する必要がある。また、端末が室内またはカバレッジが大きくない屋外環境で基地局とコロケーテッドされないか、非理想的なバックホールを利用することがあるが、このような場合も端末がＰＵＣＣＨを伝送する必要がある。よって、非免許帯域のためのＰＵＣＣＨ伝送方法とＰＵＣＣＨデザインが必要である。それについては、図４３乃至図４５を介して説明する。
【０２３０】
非免許帯域の場合、免許帯域とは異なって複数の無線通信装置が使用するため、地域別または国家別に使用に関する規制が適用される。例えば、衡平性（ｆａｉｒｎｅｓｓ）、ＰＳＤ（ｐｏｗｅｒ  ｓｐｅｃｔｒａｌ  ｄｅｎｓｉｔｙ）、及びＯＣＢ（ｏｃｃｕｐｉｒｅｄ  ｃｈａｎｎｅｌ  ｂａｎｄｗｉｄｔｈ）に関する規制が適用される。詳しくは、ＰＳＤは１０ｄＢＭ／ＭＨｚ以下に制限されるべきであり、伝送するキャリアが名目帯域（ｎｏｍｉｎａｌ  ｂａｎｄｗｉｄｔｈ）の８０％以上を占めるべきであるという規制が適用されてもよい。下りリンク伝送の場合、基地局が多数の端末に伝送を行うため、名目上帯域の８０％を占めることが問題にならない可能性がある。しかし、上りリンク伝送の場合、端末が基地局に伝送することであるため、名目上帯域の８０％を使用することが問題になり得る。また、非免許帯域において、１０ｄＢｍ／ＭＨｚ以下の伝送パワーが使用されるべきであるため、端末は分散方法（ｄｉｓｔｒｉｂｕｔｅｄ  ｍａｎｎｅｒ）を使用して上りリンク伝送を行う必要がある。詳しくは、各周波数帯域別のＰＳＤの制限は以下のように規定される。
【０２３１】
−５１５０−５３５０ＭＨｚにおいて、伝送電力制御（ｔｒａｎｓｍｉｔ  ｐｏｗｏｅｒ  ｃｏｎｔｒｏｌ、ＴＰＣ）が適用される場合（ｗｉｔｈ  ＴＰＣ）：１０ｄＢＭ／ＭＨｚ
−５２５０−５３５０ＭＨｚにおいて、伝送電力制御が適用されない場合（ｗｉｔｈｏｕｔ  ＴＰＣ）：７ｄＢＭ／ＭＨｚ
−５１５０−５３５０ＭＨｚにおいて、伝送電力制御が適用されない場合（ｗｉｔｈｏｕｔ  ＴＰＣ）：１０ｄＢＭ／ＭＨｚ
−５１５０−５２５０ＭＨｚにおいて、伝送電力制御が適用される場合（ｗｉｔｈ  ＴＰＣ）：１７ｄＢＭ／ＭＨｚ
−５４７０−５７２５ＭＨｚにおいて、伝送電力制御が適用される場合（ｗｉｔｈ  ＴＰＣ）：１７ｄＢＭ／ＭＨｚ
−５４７０−５７２５ＭＨｚにおいて、伝送電力制御が適用されない場合（ｗｉｔｈｏｕｔ  ＴＰＣ）：１４ｄＢＭ／ＭＨｚ
−６０ＧＨｚにおいて、４０ｄＢＭ  ＥＲＩＰ（ｅｆｆｅｃｔｉｖｅ  ｉｓｏｔｒｏｐｉｃ  ｒａｄｉａｔｅｄ  ｐｏｗｅｒ）が使用される場合：１３ｄＢＭ／ＭＨｚ  ＥＲＩＰ
【０２３２】
図４３は、ＬＴＥ−ＬＡＡで使用されるＰＵＳＣＨのデザインを示す図である。
ＬＴＥ−ＬＡＡシステムでは、図４３のようにＲＢがインタレースされた（ｉｎｔｅｒｌａｃｅｄ）ＰＵＳＣＨ構造が使用される。これを介し、端末はＰＳＤとＯＣＢに関する規律を満足しながらＰＵＳＣＨ伝送を行うことができる。ＮＲシステムでも、図４３のようなインタレースされたＲＢ構造がＰＵＳＣＨ伝送とＰＵＣＣＨ伝送のために使用される。但し、上述した規制を満足するために、２０ＭＨｚ帯域幅を有するチャネルに１５ｋＨｚサブキャリアスペーシングを適用する際、一つのインタレースは最小１０個のＲＢを占める。一つのインタレースが最小１０個のＲＢを占めるため、最大１０個のインタレースが使用される。この際、インタレースは資源割当単位であって、複数のＲＢが周波数帯域で同じ間隔で位置することを示す。
【０２３３】
非免許帯域で使用されるＰＵＣＣＨ伝送は、ＰＳＤとＯＣＢ規律を満足するようにするために一つの端末が最小１０個のＲＢを使用すべきであるため、一つのＲＢを使用して互いに異なる端末をマルチプレキシングする免許帯域のＰＵＣＣＨと比べ、同時に伝送可能な端末の数が限定される。つまり、マルチプレキシングのキャパシティ（ｃａｐａｃｉｔｙ）が不足する恐れがある。それを解決するためのＰＵＣＣＨ伝送方法及びＰＵＣＣＨデザインが必要である。
【０２３４】
ＰＵＳＣＨが一つのＲＢ単位で構成されたインタレース構造を使用すれば、周波数領域（ｄｏｍａｉｎ）において、一つのインタレース内でＮ個の連続したＲＢに長さがＮのＯＣＣ（ｏｒｔｈｏｇｏｎａｌ  ｃｏｖｅｒ  ｃｏｄｅ）が適用される。ＰＵＣＣＨがＲＢグループ単位で構成されたインタレース構造を使用すれば、Ｎ個のＲＢグループ間に長さがＮのＯＣＣが適用される。この際、ＲＢグループは周波数領域で連続した複数のＲＢを示す。このような実施例を介して、マルチプレキシングキャパシティがＮ倍増加される。基地局は、端末にＰＵＣＣＨ伝送に使用するインタレースのインデックスを指示（ｉｎｄｉｃａｔｉｏｎ）する。この際、基地局は、端末に端末がＰＵＣＣＨ伝送に使用するＯＣＣのインデックスを指示する。これを介し、複数の端末が一つのＲＢ単位またはＲＢグループ単位のインタレース内で同時にＰＵＣＣＨ伝送を行うことができる。このような実施例は、シーケンス基盤で伝送するＰＵＣＣＨフォーマットに適用される。詳しくは、ＮＲシステムで定義されたＰＵＣＣＨフォーマット０、ＰＵＣＣＨフォーマット１、ＰＵＣＣＨフォーマット３、及びＰＵＣＣＨフォーマット４の伝送に適用される。但し、ＮＲシステムで定義されたＰＵＣＣＨフォーマット２の伝送には適用されない。
【０２３５】
図４４は、本発明の実施例による複数の端末が一つのインターレース内でＯＣＣを使用してＰＵＣＣＨフォーマット０に当たるショートＰＵＣＣＨを伝送することを示す図である。図４４（ａ）において、２つの端末が、ＯＣＣの長さが２であるＯＣＣを使用して一つのインタレース内の連続した２つのＲＢを介してＰＵＣＣＨを伝送する。図４４（ｂ）において、４つの端末が、ＯＣＣの長さが４であるＯＣＣを使用して一つのインタレース内の連続した４つのＲＢを介してＰＵＣＣＨを伝送する。図４４では一つのシンボルを介してショートＰＵＣＣＨを伝送することを例示したが、２つのシンボルを介してショートＰＵＣＣＨを伝送する場合にも本発明の実施例が同じく適用されてもよい。
【０２３６】
図４５は、本発明の実施例による複数の端末が一つのインターレース内でＯＣＣを使用してＰＵＣＣＨフォーマット１に当たるロング（ｌｏｎｇ）ＰＵＣＣＨを伝送することを示す図である。図４５（ａ）において、２つの端末が、ＯＣＣの長さが２であるＯＣＣを使用して一つのインタレース内の連続した２つのＲＢを介してＰＵＣＣＨを伝送する。図４５（ｂ）において、４つの端末が、ＯＣＣの長さが４であるＯＣＣを使用して一つのインタレース内の連続した４つのＲＢを介してＰＵＣＣＨを伝送する。図４５では一つのシンボルを介してロングＰＵＣＣＨを伝送することを例示したが、５つのシンボルから１４個のシンボルのうちいずれか一つを介してロングＰＵＣＣＨを伝送する場合にも本発明の実施例が同じく適用されてもよい。
【０２３７】
端末がチャネルのディレイスプレッドが大きく形成されず、ライン・オブ・サイトが形成される伝送環境で動作する場合、周波数領域でチャネルフラクチュエーションが大きく発生しない可能性がある。この際、ＯＣＣの長さは増加される。よって、ＯＣＣの長さは伝送環境に応じて変更し得る。
【０２３８】
他の具体的な実施例において、一つ以上のＲＢグループ単位でインタレースされた場合、一つ以上のＲＢグループ単位で構成されたインタレースされたＰＵＣＣＨ内で端末間に互いに異なるパターンを使用してＰＵＣＣＨを伝送する。一つのインタレースを構成する一つ以上のＲＢグループの個数だけ、複数の端末が互いに異なるパターンを使用してＰＵＣＣＨを伝送する。この際、一つのインタレース内に各一つ以上のＲＢグループに使用されるシーケンスは、ＣＧＳ（ｃｏｍｐｕｔｅｒ  ｇｅｎｅｒａｔｅｄ  ｓｅｑｕｅｎｃｅ）である。また、一つのインタレース内に各一つ以上のＲＢグループに使用されるシーケンス（ｓｅｑｕｅｎｃｅ）は、ＺＣ（Ｚａｄｏｆｆ−Ｃｈｕ）シーケンスである。一つのインタレースが占めるＲＢグループ別に互いに異なるパターンが適用される。また、パターン別に互いに異なる端末が割り当てられる。基地局は、各一つ以上のＲＢグループに当たるパターンに基づいて一つ以上のＲＢグループに伝送されるＰＵＣＣＨを受信し、一つのインタレース内に互いに異なるパターンでマルチプレキシングされた互いに異なる端末が伝送したＰＵＣＣＨを区分して受信する。
【０２３９】
互いに異なるパターンで一つのインタレース内に一つ以上のＲＢグループに使用されるシーケンスの位相（ｐｈａｓｅ）をローテーション（ｒｏｔａｔｉｏｎ）する方法が使用される。互いに異なるパターンで一つのインタレース内に一つ以上のＲＢグループに使用されるシーケンスの位相をローテーションする方法は多様である。一つのインタレース内に一つ以上のＲＢグループにマッピングされる各シーケンスに、端末別に互いに異なるサイクリックシフトが適用される。複数の端末は、端末別に互いに異なるスクランブリングシーケンス（ｓｃｒａｍｂｌｉｎｇ  ｓｅｑｕｅｎｃｅ）を生成し、一つのインタレース内に一つ以上のＲＢグループに該当スクランブリングシーケンスを適用する。
【０２４０】
一つのインタレース内に一つ以上のＲＢグループにマッピングされる各シーケンスに端末別に互いに異なるサイクリックシフトを適用する方法の一例として、一つのインタレースが占めるＲＢの個数が５である場合を説明する。５つのＲＢ別に互いに異なるパターンが適用される。５つのパターンに互いに異なる端末が割り当てられる。第１端末がＣＳ（ｃｙｃｌｉｃ  ｓｈｉｆｔ）間隔を１コマずつシフトする｛０、１、２、３、４｝のＣＳパターンを利用し、第２端末がＣＳ間隔を２コマずつシフトする｛０、２、４、６、８｝のＣＳパターンを利用し、第３端末がＣＳ間隔を３コマずつシフトする｛０、３、６、９、１２｝のＣＳパターンを利用する。但し、一つのインタレース内に互いに異なるＲＢが同一パターンで設定されれば、ＲＢ及びＲＢグループ間の間隔が一定なインタレース構造において、ＰＡＲＰ（ｐｅａｋ−ｔｏ−ａｖｅｒａｇｅ  ｐｏｗｅｒ  ｒａｔｉｏ）／ＣＭ（ｃｕｂｉｃ  ｍａｔｒｉｃ）特性が悪くなる可能性がある。つまり、各ＲＢ及びＲＢグループ別の同一位相が繰り返し割り当てられるため、ＰＡＲＰ／ＣＭの値が大きくなり、伝送カバレッジが小さくなる恐れがある。よって、基本的には一つのインタレース内で互いに異なるＲＢの間には互いに異なるＣＳ値が割り当てられる。
ＰＵＣＣＨとＰＵＳＣＨがインタレース構造を有すれば、ＰＵＣＣＨまたはＰＵＳＣＨとのＦＤＭ（ｆｒｅｑｕｅｎｃｙ  ｄｉｖｉｓｉｏｎ  ｍｕｌｔｉｐｌｅｘｉｎｇ）のためにＰＲＡＣＨもインタレース構造を有する。特に、ＰＲＡＣＨ伝送の場合、複数の端末がＰＲＡＣＨを同時に伝送する必要が高い。よって、前記のＰＵＣＣＨの伝送に関して実施例はＰＲＡＣＨの伝送にも適用される。
【０２４１】
本発明の方法及びシステムを特定実施例に関して説明したが、それらの構成要素または動作の一部または全部は、汎用ハードウェアアーキテクチャを有するコンピューティングシステムを使用して具現される。
【０２４２】
上述した本発明の説明は例示のためのものであって、本発明が属する技術分野における通常の知識を有する者は、本発明の技術的思想や必須的特徴を変更せずも他の具体的な形態に容易に変更可能であることを理解できるはずである。よって、上述した実施例は全ての面で例示的なものであり、限定的なものではないと理解すべきである。例えば、単一形として説明されている各構成要素は分散されて実施されてもよく、同じく分散されていると説明されている構成要素も結合された形態で実施されてもよい。
【０２４３】
本発明の範囲は、上述した詳細な説明よりは後述する特許請求の範囲によって示され、特許請求の範囲の意味及び範囲、そしてその均等概念から導き出される全ての変更または変形された形態が本発明の範囲に含まれると解釈すべきである。
【符号の説明】
【０２４４】
３１  一定領域
３２  マクロ領域
３３  カバレッジ
３４  カバレッジ
１００  端末
１１０  プロセッサ
１２０  通信モジュール
１２１  セルラー通信インターフェースカード
１２２  セルラー通信インターフェースカード
１２３  非免許帯域通信インターフェースカード
１３０  メモリ
１４０  ユーザインタフェース
１５０  ディスプレイユニット
２００  基地局
２１０  プロセッサ
２２０  通信モジュール
２２１  セルラー通信インターフェースカード
２２２  セルラー通信インターフェースカード
２２３  非免許帯域通信インターフェースカード
２３０  メモリ
【図１】
2021534643.tif 000012
【図２】
2021534643.tif 000013
【図３】
2021534643.tif 000014
【図４（ａ）】
2021534643.tif 000015
【図４（ｂ）】
2021534643.tif 000016
【図５】
2021534643.tif 000017
【図６】
2021534643.tif 000018
【図７】
2021534643.tif 000019
【図８】
2021534643.tif 000020
【図９】
2021534643.tif 000021
【図１０】
2021534643.tif 000022
【図１１（ａ）】
2021534643.tif 000023
【図１１（ｂ）】
2021534643.tif 000024
【図１２】
2021534643.tif 000025
【図１３】
2021534643.tif 000026
【図１４】
2021534643.tif 000027
【図１５】
2021534643.tif 000028
【図１６】
2021534643.tif 000029
【図１７】
2021534643.tif 000030
【図１８】
2021534643.tif 000031
【図１９（ａ）】
2021534643.tif 000032
【図１９（ｂ）】
2021534643.tif 000033
【図２０】
2021534643.tif 000034
【図２１（ａ）】
2021534643.tif 000035
【図２１（ｂ）】
2021534643.tif 000036
【図２２（ａ）】
2021534643.tif 000037
【図２２（ｂ）】
2021534643.tif 000038
【図２３】
2021534643.tif 000039
【図２４】
2021534643.tif 000040
【図２５（ａ）】
2021534643.tif 000041
【図２５（ｂ）】
2021534643.tif 000042
【図２６（ａ）】
2021534643.tif 000043
【図２６（ｂ）】
2021534643.tif 000044
【図２７（ａ）】
2021534643.tif 000045
【図２７（ｂ）】
2021534643.tif 000046
【図２８（ａ）】
2021534643.tif 000047
【図２８（ｂ）】
2021534643.tif 000048
【図２９（ａ）】
2021534643.tif 000049
【図２９（ｂ）】
2021534643.tif 000050
【図３０（ａ）】
2021534643.tif 000051
【図３０（ｂ）】
2021534643.tif 000052
【図３１（ａ）】
2021534643.tif 000053
【図３１（ｂ）】
2021534643.tif 000054
【図３２】
2021534643.tif 000055
【図３３】
2021534643.tif 000056
【図３４】
2021534643.tif 000057
【図３５】
2021534643.tif 000058
【図３６】
2021534643.tif 000059
【図３７】
2021534643.tif 000060
【図３８】
2021534643.tif 000061
【図３９】
2021534643.tif 000062
【図４０】
2021534643.tif 000063
【図４１】
2021534643.tif 000064
【図４２】
2021534643.tif 000065
【図４３】
2021534643.tif 000066
【図４４】
2021534643.tif 000067
【図４５】
2021534643.tif 000068
【国際調査報告】
2021534643.tif 000069
2021534643.tif 000070
2021534643.tif 000071
2021534643.tif 000072